(57)【要約】【課題】エジェクタのノズル部を通過する駆動流の流量変動が生じ得る運転条件であっても、ＣＯＰを低下させることなく、エジェクタ式冷凍サイクルを安定して作動させる。【解決手段】放熱器１２にて放熱した第１圧縮機１１吐出冷媒の流れを第１分岐部１３にて分岐し、分岐された一方の冷媒を温度式膨張弁１４にて減圧膨張させて内部熱交換器１５にて他方の冷媒と熱交換させることで、吸引側蒸発器２３およびエジェクタ１９のノズル部１９ａへ供給される他方の冷媒を冷却してＣＯＰを向上させる。さらに、エジェクタ１９出口側に第２圧縮機２１吸入口を接続してエジェクタ１９の駆動流を確保し、第２圧縮機２１吐出冷媒と温度式膨張弁１４下流側冷媒とを混合して第１圧縮機１１へ吸入させることで、エジェクタ式冷凍サイクルを安定して作動させる。【選択図】図１
2010164291.tif 000002
【特許請求の範囲】
【請求項１】
冷媒を圧縮して吐出する第１圧縮手段（１１ａ）と、
前記第１圧縮手段（１１ａ）から吐出された高圧冷媒を放熱させる放熱器（１２）と、
前記放熱器（１２）から流出した冷媒の流れを分岐する第１分岐部（１３）と、
前記第１分岐部（１３）にて分岐された一方の冷媒を減圧膨張させる高圧側減圧手段（１４）と、
前記第１分岐部（１３）にて分岐された他方の冷媒の流れを分岐する第２分岐部（１８、１８ａ）と、
前記第２分岐部（１８、１８ａ）にて分岐された一方の冷媒を減圧膨張させるノズル部（１９ａ）から噴射する高速度の噴射冷媒の流れによって、冷媒吸引口（１９ｂ）から冷媒を吸引して、前記噴射冷媒と前記冷媒吸引口（１９ｂ）から吸引された吸引冷媒とを混合して昇圧するエジェクタ（１９）と、
前記エジェクタ（１９）から流出した冷媒を吸引し、圧縮して吐出する第２圧縮手段（２１ａ）と、
前記第２分岐部（１８、１８ａ）にて分岐された他方の冷媒を減圧膨張させる吸引側減圧手段（２２、２２ａ）と、
前記吸引側減圧手段（２２、２２ａ）にて減圧膨張された冷媒を蒸発させて、前記冷媒吸引口（１９ｂ）側へ流出させる吸引側蒸発器（２３）と、
前記第２圧縮手段（２１ａ）から吐出された冷媒の流れ、および、前記高圧側減圧手段（１４）にて減圧膨張された冷媒の流れを合流させて、前記第１圧縮手段（１１ａ）吸入側へ流出させる合流部（１６）と、
前記高圧側減圧手段（１４）下流側冷媒と前記第１分岐部（１３）にて分岐された他方の冷媒とを熱交換させる内部熱交換器（１５）を備えることを特徴とするエジェクタ式冷凍サイクル。
【請求項２】
前記エジェクタ（１９）から流出した冷媒と、前記第１分岐部（１３）にて分岐された他方の冷媒を熱交換させる補助内部熱交換器（２５）を備えることを特徴とする請求項１に記載のエジェクタ式冷凍サイクル。
【請求項３】
前記冷媒吸引口（１９ｂ）へ吸引される冷媒と、前記第１分岐部（１３）にて分岐された他方の冷媒を熱交換させる第２補助内部熱交換器（３５）を備えることを特徴とする請求項１または２に記載のエジェクタ式冷凍サイクル。
【請求項４】
前記第１分岐部（１３）にて分岐された他方の冷媒を放熱させる補助放熱器（２４）を備えることを特徴とする請求項１ないし３のいずれか１つに記載のエジェクタ式冷凍サイクル。
【請求項５】
前記エジェクタ（１９）出口側と前記第２圧縮手段（２１ａ）吸入側との間に配置されて、前記エジェクタ（１９）から流出した冷媒を蒸発させる流出側蒸発器（２０）を備えることを特徴とする請求項１ないし４のいずれか１つに記載のエジェクタ式冷凍サイクル。
【請求項６】
前記第２分岐部（１８ａ）から前記ノズル部（１９ａ）側へ流出する冷媒流量をノズル側冷媒流量（Ｇｎｏｚ）とし、前記第２分岐部（１８ａ）から前記吸引側減圧手段（２２、２２ａ）側へ流出する冷媒流量を減圧手段側冷媒流量（Ｇｅ）としたときに、
前記減圧手段側冷媒流量（Ｇｅ）に対する前記ノズル側冷媒流量（Ｇｎｏｚ）の流量比（Ｇｎｏｚ／Ｇｅ）が、サイクルの負荷の変動に応じて調整可能に構成されていることを特徴とする請求項１ないし５のいずれか１つに記載のエジェクタ式冷凍サイクル。
【請求項７】
通常運転時よりも前記サイクルの負荷が低下する低負荷運転時には、前記流量比（Ｇｎｏｚ／Ｇｅ）を前記通常運転時よりも増加させることを特徴とする請求項６に記載のエジェクタ式冷凍サイクル。
【請求項８】
前記通常運転時よりも前記サイクルの負荷が増加する高負荷運転時には、前記流量比（Ｇｎｏｚ／Ｇｅ）を前記通常運転時よりも低下させることを特徴とする請求項６または７に記載のエジェクタ式冷凍サイクル。
【請求項９】
前記吸引側減圧手段は、冷媒通路面積を変更可能に構成された電気式の可変絞り機構（２２ａ）であり、
前記可変絞り機構（２２ａ）の作動を制御する絞り能力制御手段（６０ｂ）を備え、
前記制御手段が前記可変絞り機構（２２ａ）の作動を制御することによって、前記流量比（Ｇｎｏｚ／Ｇｅ）が調整されることを特徴とする請求項６ないし８のいずれか１つに記載のエジェクタ式冷凍サイクル。
【請求項１０】
冷媒を圧縮して吐出する第１圧縮手段（１１ａ）と、
前記第１圧縮手段（１１ａ）から吐出された高圧冷媒を放熱させる放熱器（１２）と、
前記放熱器（１２）から流出した冷媒の流れを分岐する第１分岐部（１３）と、
前記第１分岐部（１３）にて分岐された一方の冷媒を減圧膨張させる高圧側減圧手段（１４）と、
前記第１分岐部（１３）にて分岐された他方の冷媒を減圧膨張させるノズル部（１９ａ）から噴射する高速度の噴射冷媒の流れによって、冷媒吸引口（１９ｂ）から冷媒を吸引して、前記噴射冷媒と前記冷媒吸引口（１９ｂ）から吸引された吸引冷媒とを混合して昇圧するエジェクタ（１９）と、
前記エジェクタ（１９）から流出した冷媒の気液を分離する流出側気液分離器（２６）と、
前記流出側気液分離器（２６）にて分離された気相冷媒を吸引し、圧縮して吐出する第２圧縮手段（２１ａ）と、
前記流出側気液分離器（２６）にて分離された液相冷媒を減圧膨張させる吸引側減圧手段（２２）と、
前記吸引側減圧手段（２２）にて減圧膨張された冷媒を蒸発させて、前記冷媒吸引口（１９ｂ）側へ流出させる吸引側蒸発器（２３）と、
前記第２圧縮手段（２１ａ）から吐出された冷媒の流れ、および、前記高圧側減圧手段（１４）にて減圧膨張された冷媒の流れを合流させて、前記第１圧縮手段（１１ａ）吸入側へ流出させる合流部（１６）と、
前記高圧側減圧手段（１４）下流側冷媒と前記第１分岐部（１３）にて分岐された他方の冷媒とを熱交換させる内部熱交換器（１５）と、
前記吸引側蒸発器（２３）出口側と前記第２圧縮手段（２１ａ）吸引側とを連通させて、冷媒に混入されたオイルを前記第２圧縮手段（２１ａ）側へ戻すオイル戻し通路（２７）を備えることを特徴とするエジェクタ式冷凍サイクル。
【請求項１１】
前記エジェクタ（１９）から流出した冷媒と、前記第１分岐部（１３）にて分岐された他方の冷媒を熱交換させる補助内部熱交換器（２５）を備えることを特徴とする請求項１０に記載のエジェクタ式冷凍サイクル。
【請求項１２】
前記冷媒吸引口（１９ｂ）へ吸引される冷媒と、前記第１分岐部（１３）にて分岐された他方の冷媒を熱交換させる第２補助内部熱交換器（３５）を備えることを特徴とする請求項１０または１１に記載のエジェクタ式冷凍サイクル。
【請求項１３】
前記エジェクタ（１９）出口側と前記流出側気液分離器（２６）入口側との間に配置されて、前記エジェクタ（１９）から流出した冷媒を蒸発させる流出側蒸発器（２０）を備えることを特徴とする請求項１０ないし１２のいずれか１つに記載のエジェクタ式冷凍サイクル。
【請求項１４】
前記放熱器（１２）から流出した冷媒の気液を分離して、分離された液相冷媒を下流側へ導出する高圧側気液分離器（１２ｂ、２４ｂ）を備えることを特徴とする請求項１ないし１３のいずれか１つに記載のエジェクタ式冷凍サイクル。
【請求項１５】
前記放熱器（１２）は、冷媒を凝縮させる凝縮部（１２ｃ）、前記凝縮部（１２ｃ）から流出した冷媒の気液を分離する気液分離部（１２ｄ）、および、前記気液分離部（１２ｄ）から流出した液相冷媒を過冷却する過冷却部（１２ｅ）を有していることを特徴とする請求項１ないし１３のいずれか１つに記載のエジェクタ式冷凍サイクル。
【請求項１６】
前記第１圧縮手段（１１ａ）から吐出された高圧冷媒を、前記吸引側蒸発器（２３）へ導くバイパス通路（２８）と、
前記バイパス通路（２８）を開閉する開閉手段（２８ａ）とを備えることを特徴とする請求項１ないし１５のいずれか１つに記載のエジェクタ式冷凍サイクル。
【請求項１７】
前記第１圧縮手段（１１ａ）から吐出された高圧冷媒を、前記流出側蒸発器（２０）へ導くバイパス通路（２８）と、
前記バイパス通路（２８、２８ｂ）を開閉する開閉手段（２８ａ）とを備えることを特徴とする請求項５または１３に記載のエジェクタ式冷凍サイクル。
【請求項１８】
さらに、前記放熱器（１２）の放熱能力を調整する放熱能力調整手段（１２ａ）を備え、
前記第１圧縮手段（１１ａ）から吐出された高圧冷媒は、前記放熱器（１２）から流出した冷媒であり、
前記放熱能力調整手段（１２ａ）は、前記開閉手段（２８ａ）が前記バイパス通路（２８）を開いた際に、前記放熱器（１２）の放熱能力を低下させることを特徴とする請求項１６または１７に記載のエジェクタ式冷凍サイクル。
【請求項１９】
冷媒を圧縮して吐出する第１圧縮手段（１１ａ）と、
前記第１圧縮手段（１１ａ）から吐出された高圧冷媒の流れを分岐する第１分岐部（１３）と、
前記第１分岐部（１３）にて分岐された一方の冷媒を放熱させる第１放熱器（１２１）と、
前記第１分岐部（１３）にて分岐された他方の冷媒を放熱させる第２放熱器（１２２）と、
前記第１放熱器（１２１）にて放熱した冷媒を減圧膨張させる高圧側減圧手段（１４）と、
前記第２放熱器（１２２）にて放熱した冷媒の流れを分岐する第２分岐部（１８、１８ａ）と、
前記第２分岐部（１８、１８ａ）にて分岐された一方の冷媒を減圧膨張させるノズル部（１９ａ）から噴射する高速度の噴射冷媒の流れによって、冷媒吸引口（１９ｂ）から冷媒を吸引して、前記噴射冷媒と前記冷媒吸引口（１９ｂ）から吸引された吸引冷媒とを混合して昇圧するエジェクタ（１９）と、
前記エジェクタ（１９）から流出した冷媒を吸引し、圧縮して吐出する第２圧縮手段（２１ａ）と、
前記第２分岐部（１８、１８ａ）にて分岐された他方の冷媒を減圧膨張させる吸引側減圧手段（２２、２２ａ）と、
前記吸引側減圧手段（２２、２２ａ）にて減圧膨張された冷媒を蒸発させて、前記冷媒吸引口（１９ｂ）側へ流出させる吸引側蒸発器（２３）と、
前記第２圧縮手段（２１ａ）から吐出された冷媒の流れ、および、前記第１分岐部（１３）にて減圧膨張された冷媒の流れを合流させて、前記第１圧縮手段（１１ａ）吸入側へ流出させる合流部（１６）と、
前記高圧側減圧手段（１４）下流側冷媒と前記第１分岐部（１３）にて分岐された他方の冷媒とを熱交換させる内部熱交換器（１５）を備えることを特徴とするエジェクタ式冷凍サイクル。
【請求項２０】
前記エジェクタ（１９）から流出した冷媒と、前記第２放熱器（１２２）から流出した冷媒とを熱交換させる補助内部熱交換器（２５）を備えることを特徴とする請求項１９に記載のエジェクタ式冷凍サイクル。
【請求項２１】
前記冷媒吸引口（１９ｂ）へ吸引される冷媒と、前記第１分岐部（１３）にて分岐された他方の冷媒を熱交換させる第２補助内部熱交換器（３５）を備えることを特徴とする請求項１９または２０に記載のエジェクタ式冷凍サイクル。
【請求項２２】
前記エジェクタ（１９）出口側と前記第２圧縮手段（２１ａ）吸入側との間に配置されて、前記エジェクタ（１９）から流出した冷媒を蒸発させる流出側蒸発器（２０）を備えることを特徴とする請求項１９ないし２１のいずれか１つに記載のエジェクタ式冷凍サイクル。
【請求項２３】
前記第２分岐部（１８ａ）から前記吸引側減圧手段（２２、２２ａ）側へ流出する減圧手段側冷媒流量（Ｇｅ）に対する前記第２分岐部（１８ａ）から前記ノズル部（１９ａ）側へ流出するノズル側冷媒流量（Ｇｎｏｚ）の流量比（Ｇｎｏｚ／Ｇｅ）を、サイクルの負荷の変動に応じて調整可能に構成されていることを特徴とする請求項１９ないし２２のいずれか１つに記載のエジェクタ式冷凍サイクル。
【請求項２４】
通常運転時よりも前記サイクルの負荷が低下する低負荷運転時には、前記流量比（Ｇｎｏｚ／Ｇｅ）を前記通常運転時よりも増加させることを特徴とする請求項２３に記載のエジェクタ式冷凍サイクル。
【請求項２５】
前記通常運転時よりも前記サイクルの負荷が増加する高負荷運転時には、前記流量比（Ｇｎｏｚ／Ｇｅ）を前記通常運転時よりも低下させることを特徴とする請求項２３または２４に記載のエジェクタ式冷凍サイクル。
【請求項２６】
前記第１放熱器（１２１）から流出した冷媒の気液を分離して、分離された液相冷媒を下流側へ導出する第１高圧側気液分離器（１２１ｂ）、および、前記第２放熱器（１２２）から流出した冷媒の気液を分離して、分離された液相冷媒を下流側へ導出する第２高圧側気液分離器（１２２ｂ）のうち、少なくとも一方の高圧側気液分離器（１２１ｂ、１２２ｂ）を備えることを特徴とする請求項１９ないし２５のいずれか１つに記載のエジェクタ式冷凍サイクル。
【請求項２７】
前記第１、第２放熱器（１２１、１２２）のうち、少なくとも一方は、冷媒を凝縮させる凝縮部（１２１ｃ、１２２ｃ）、前記凝縮部（１２１ｃ、１２２ｃ）から流出した冷媒の気液を分離する気液分離部（１２１ｄ、１２２ｄ）、および、前記気液分離部（１２１ｄ、１２２ｄ）から流出した液相冷媒を過冷却する過冷却部（１２１ｅ、１２２ｅ）を有していることを特徴とする請求項１９ないし２５のいずれか１つに記載のエジェクタ式冷凍サイクル。
【請求項２８】
前記第１圧縮手段（１１ａ）から吐出された高圧冷媒を、前記吸引側蒸発器（２３）へ導くバイパス通路（２８）と、
前記バイパス通路（２８）を開閉する開閉手段（２８ａ）とを備えることを特徴とする請求項１９ないし２７のいずれか１つに記載のエジェクタ式冷凍サイクル。
【請求項２９】
前記第１圧縮手段（１１ａ）から吐出された高圧冷媒を、前記流出側蒸発器（２０）へ導くバイパス通路（２８）と、
前記バイパス通路（２８、２８ｂ）を開閉する開閉手段（２８ａ）とを備えることを特徴とする請求項２２に記載のエジェクタ式冷凍サイクル。
【請求項３０】
さらに、前記第１、第２放熱器（１２１、１２２）の放熱能力を調整する放熱能力調整手段（１２１ａ、１２２ａ）を備え、
前記第１圧縮手段（１１ａ）から吐出された高圧冷媒は、前記第１、第２放熱器（１２１、１２２）の少なくとも一方から流出した冷媒であり、
前記放熱能力調整手段（１２１ａ、１２２ａ）は、前記開閉手段（２８ａ）が前記バイパス通路（２８）を開いた際に、前記第１、第２放熱器（１２１、１２２）の放熱能力を低下させることを特徴とする請求項２８または２９に記載のエジェクタ式冷凍サイクル。
【請求項３１】
前記内部熱交換器（１５）は、前記高圧側減圧手段（１４）下流側冷媒のうち、前記合流部（１６）の上流側の冷媒を、前記第１分岐部（１３）にて分岐された他方の冷媒と熱交換させることを特徴とする請求項１ないし３０のいずれか１つに記載のエジェクタ式冷凍サイクル。
【請求項３２】
前記内部熱交換器（１５）は、前記高圧側減圧手段（１４）下流側冷媒のうち、前記合流部（１６）にて前記第２圧縮手段（２１ａ）吐出冷媒と合流した冷媒を、前記第１分岐部（１３）にて分岐された他方の冷媒と熱交換させることを特徴とする請求項１ないし３０のいずれか１つに記載のエジェクタ式冷凍サイクル。
【請求項３３】
前記吸引側減圧手段（２２、２２ａ）は、冷媒を体積膨張させて減圧させるとともに、冷媒の圧力エネルギを機械的エネルギに変換して出力する膨張機（４０）であることを特徴とする請求項１ないし３２のいずれか１つに記載のエジェクタ式冷凍サイクル。
【請求項３４】
前記ノズル部（１９ａ）へ流入する冷媒を減圧膨張させるノズル前減圧手段（１７）を備えることを特徴とする請求項１ないし３３のいずれか１つに記載のエジェクタ式冷凍サイクル。
【請求項３５】
前記ノズル前減圧手段（１７）は、前記第２分岐部（１８、１８ａ）出口側と前記ノズル部（１９ａ）入口側との間に配置されていることを特徴とする請求項３４に記載のエジェクタ式冷凍サイクル。
【請求項３６】
前記内部熱交換器（１５）は、前記高圧側減圧手段（１４）下流側冷媒と前記第２分岐部（１８、１８ａ）にて分岐された他方の冷媒とを熱交換させることを特徴とする請求項３５に記載のエジェクタ式冷凍サイクル。
【請求項３７】
前記第２分岐部（１８、１８ａ）出口側と前記ノズル部（１９ａ）入口側との間に配置されて、前記ノズル部（１９ａ）へ流入する冷媒を減圧膨張させるノズル前減圧手段（１７）を備え、
前記補助内部熱交換器（２５）は、前記エジェクタ（１９）から流出した冷媒と、前記第２分岐部（１８、１８ａ）にて分岐された他方の冷媒とを熱交換させることを特徴とする請求項２、１１、２０に記載のエジェクタ式冷凍サイクル。
【請求項３８】
前記第２分岐部（１８、１８ａ）出口側と前記ノズル部（１９ａ）入口側との間に配置されて、前記ノズル部（１９ａ）へ流入する冷媒を減圧膨張させるノズル前減圧手段（１７）を備え、
前記第２補助内部熱交換器（３５）は、前記冷媒吸引口（１９ｂ）へ吸引される冷媒と、前記第２分岐部（１８、１８ａ）にて分岐された他方の冷媒とを熱交換させることを特徴とする請求項３、１２、２１に記載のエジェクタ式冷凍サイクル。
【請求項３９】
前記ノズル前減圧手段（１７）入口側の冷媒圧力（Ｐｄｅｉ）と前記ノズル部（１９ａ）入口側の冷媒圧力（Ｐｎｏｚｉ）との第１圧力差（Ｐｄｅｉ−Ｐｎｏｚｉ）は、前記ノズル前減圧手段（１７）入口側の冷媒圧力（Ｐｄｅｉ）と前記ノズル部（１９ａ）出口側の冷媒圧力（Ｐｎｏｚｏ）との第２圧力差（Ｐｄｅｉ−Ｐｎｏｚｏ）に０．１以上０．６以下の値を乗じた値になっていることを特徴とする請求項３４ないし３８のいずれか１つに記載のエジェクタ式冷凍サイクル。
【請求項４０】
前記ノズル前減圧手段（１７）は、前記ノズル部（１９ａ）へ流入する冷媒の乾き度（Ｘ０）が０．００３以上０．１４以下となるように冷媒を減圧膨張させることを特徴とする請求項３４ないし３９のいずれか１つに記載のエジェクタ式冷凍サイクル。
【請求項４１】
前記ノズル前減圧手段（１７）は、冷媒を体積膨張させて減圧させるともに、冷媒の圧力エネルギを機械的エネルギに変換して出力する膨張機（４０）であることを特徴とする請求項３４ないし４０のいずれか１つに記載のエジェクタ式冷凍サイクル。
【請求項４２】
冷媒を圧縮して吐出する第１圧縮手段（１１ａ）と、
冷媒と外気とを熱交換させる室外熱交換器（５３）と、
冷媒と熱交換対象流体とを熱交換させる利用側熱交換器（５５）と、
前記熱交換対象流体を冷却する冷却運転モードの冷媒流路および前記熱交換対象流体を加熱する加熱運転モードの冷媒流路を切り替える冷媒流路切替手段（５１、５２）と、
前記冷却運転モード時に、前記室外熱交換器（５３）から流出した冷媒の流れを分岐する第１分岐部（１３）と、
前記冷却運転モード時に、前記第１分岐部（１３）にて分岐された一方の冷媒を減圧膨張させる高圧側減圧手段（１４）と、
前記冷却運転モード時に、前記第１分岐部（１３）にて分岐された他方の冷媒の流れを分岐する第２分岐部（１８）と、
前記冷却運転モード時に、前記第２分岐部（１８）にて分岐された一方の冷媒を減圧膨張させるノズル部（１９ａ）から噴射する高速度の噴射冷媒の流れによって、冷媒吸引口（１９ｂ）から冷媒を吸引して、前記噴射冷媒と前記冷媒吸引口（１９ｂ）から吸引された吸引冷媒とを混合して昇圧するエジェクタ（１９）と、
前記冷却運転モード時に、前記エジェクタ（１９）から流出した冷媒を吸引し、圧縮して吐出する第２圧縮手段（２１ａ）と、
前記冷却運転モード時に、前記第２分岐部（１８）にて分岐された他方の冷媒を減圧膨張させる吸引側減圧手段（２２）と、
前記冷却運転モード時に、前記第２圧縮手段（２１ａ）から吐出された冷媒の流れ、および、前記高圧側減圧手段（１４）にて減圧膨張された冷媒の流れを合流させて、前記第１圧縮手段（１１ａ）吸入側へ流出させる合流部（１６）と、
前記冷却運転モード時に、前記高圧側減圧手段（１４）下流側冷媒と前記第１分岐部（１３）にて分岐された他方の冷媒とを熱交換させる内部熱交換器（１５）を備え、
前記利用側熱交換器（５５）は、前記冷却運転モード時に、前記吸引側減圧手段（２２）にて減圧膨張された冷媒を蒸発させて、前記冷媒吸引口（１９ｂ）側へ流出させ、
前記冷媒流路切替手段（５１、５２）は、
前記冷却運転モードでは、前記第１圧縮手段（１１ａ）から吐出された冷媒を前記室外熱交換器（５３）にて放熱させるとともに、前記利用側熱交換器（５５）にて冷媒を蒸発させる冷媒流路に切り替え、
前記加熱運転モードでは、前記第１圧縮手段（１１ａ）から吐出された冷媒を前記利用側熱交換器（５５）にて放熱させるとともに、前記室外熱交換器（５３）にて冷媒を蒸発させる冷媒流路に切り替えることを特徴とするエジェクタ式冷凍サイクル。
【請求項４３】
前記冷却運転モード時に、前記エジェクタ（１９）から流出した冷媒と、前記第１分岐部（１３）にて分岐された他方の冷媒を熱交換させる補助内部熱交換器（２５）を備えることを特徴とする請求項４２に記載のエジェクタ式冷凍サイクル。
【請求項４４】
前記冷却運転モード時に、前記第１分岐部（１３）にて分岐された他方の冷媒を放熱させる補助室外熱交換器（５３ｂ）を備えることを特徴とする請求項４２または４３に記載のエジェクタ式冷凍サイクル。
【請求項４５】
冷媒を圧縮して吐出する第１圧縮手段（１１ａ）と、
冷媒と外気とを熱交換させる第１、第２室外熱交換器（５３１、５３２）と、
冷媒と熱交換対象流体とを熱交換させる利用側熱交換器（５５）と、
前記熱交換対象流体を冷却する冷却運転モードの冷媒流路および前記熱交換対象流体を加熱する加熱運転モードの冷媒流路を切り替える冷媒流路切替手段（５１、５２）と、
前記冷却運転モード時に、前記第１圧縮手段（１１ａ）から吐出された冷媒の流れを分岐して、分岐された一方の冷媒を前記第１室外熱交換器（５３１）側へ流出させるとともに、分岐された他方の冷媒を前記第２室外熱交換器（５３２）側へ流出させる第１分岐部（１３）と、
前記冷却運転モード時に、前記第１室外熱交換器（５３１）にて熱交換した冷媒を減圧膨張させる高圧側減圧手段（１４ａ）と、
前記冷却運転モード時に、前記第２室外熱交換器（５３２）にて熱交換した冷媒の流れを分岐する第２分岐部（１８）と、
前記冷却運転モード時に、前記第２分岐部（１８）にて分岐された一方の冷媒を減圧膨張させるノズル部（１９ａ）から噴射する高速度の噴射冷媒の流れによって、冷媒吸引口（１９ｂ）から冷媒を吸引して、前記噴射冷媒と前記冷媒吸引口（１９ｂ）から吸引された吸引冷媒とを混合して昇圧するエジェクタ（１９）と、
前記冷却運転モード時に、前記エジェクタ（１９）から流出した冷媒を吸引し、圧縮して吐出する第２圧縮手段（２１ａ）と、
前記冷却運転モード時に、前記第２分岐部（１８）にて分岐された他方の冷媒を減圧膨張させる吸引側減圧手段（２２）と、
前記冷却運転モード時に、前記第２圧縮手段（２１ａ）から吐出された冷媒の流れ、および、前記第１分岐部（１３）にて減圧膨張された冷媒の流れを合流させて、前記第１圧縮手段（１１ａ）吸入側へ流出させる合流部（１６）と、
前記冷却運転モード時に、前記高圧側減圧手段（１４ａ）下流側冷媒と前記第２室外熱交換器（５３２）から流出した冷媒とを熱交換させる内部熱交換器（１５）を備え、
前記利用側熱交換器（５５）は、前記冷却運転モード時に、前記吸引側減圧手段（２２）にて減圧膨張された冷媒を蒸発させて、前記冷媒吸引口（１９ｂ）側へ流出させ、
前記冷媒流路切替手段（５１、５２）は、
前記冷却運転モードでは、前記第１圧縮手段（１１ａ）から吐出された冷媒を前記第１、第２室外熱交換器（５３２）にて放熱させるとともに、前記利用側熱交換器（５５）にて冷媒を蒸発させる冷媒流路に切り替え、
前記加熱運転モードでは、前記第１圧縮手段（１１ａ）から吐出された冷媒を前記利用側熱交換器（５５）にて放熱させるとともに、前記第２室外熱交換器（５３２）にて冷媒を蒸発させる冷媒流路に切り替えることを特徴とするエジェクタ式冷凍サイクル。
【請求項４６】
前記冷却運転モード時に、前記エジェクタ（１９）から流出した冷媒と、前記第２室外熱交換器（５３２）にて放熱した冷媒とを熱交換させる補助内部熱交換器（２５）を備えることを特徴とする請求項４５に記載のエジェクタ式冷凍サイクル。
【請求項４７】
前記冷却運転モード時に、前記エジェクタ（１９）から流出した冷媒を蒸発させる補助利用側熱交換器（５４）を備えることを特徴とする請求項４５または４６に記載のエジェクタ式冷凍サイクル。
【請求項４８】
前記冷却運転モード時に、前記内部熱交換器（１５）は、前記高圧側減圧手段（１４ａ）下流側冷媒のうち、前記合流部（１６）の上流側の冷媒を、前記第１分岐部（１３）にて分岐された他方の冷媒と熱交換させることを特徴とする請求項４２ないし４７のいずれか１つに記載のエジェクタ式冷凍サイクル。
【請求項４９】
前記冷却運転モード時に、前記内部熱交換器（１５）は、前記高圧側減圧手段（１４ａ）下流側冷媒のうち、前記合流部（１６）にて前記第２圧縮手段（２１ａ）吐出冷媒と合流した冷媒を、前記第１分岐部（１３）にて分岐された他方の冷媒と熱交換させることを特徴とする請求項４２ないし４７のいずれか１つに記載のエジェクタ式冷凍サイクル。
【請求項５０】
前記第１圧縮手段（１１ａ）の冷媒吐出能力を変更する第１吐出能力変更手段（１１ｂ）と、
前記第２圧縮手段（２１ａ）の冷媒吐出能力を変更する第２吐出能力変更手段（２１ｂ）とを備え、
前記第１吐出能力変更手段（１１ｂ）および前記第２吐出能力変更手段（２１ｂ）は、それぞれ独立して前記第１圧縮手段（１１ａ）および前記第２圧縮手段（２１ａ）の冷媒吐出能力を変更可能に構成されていることを特徴とする請求項１ないし４９のいずれか１つに記載のエジェクタ式冷凍サイクル。
【請求項５１】
前記第１圧縮手段（１１ａ）および前記第２圧縮手段（２１ａ）は、同一のハウジング（１０ａ）内に収容されて、一体的に構成されていることを特徴とする請求項１ないし５０のいずれか１つに記載のエジェクタ式冷凍サイクル。
【請求項５２】
前記第１圧縮手段（１１ａ）は、冷媒を臨界圧力以上となるまで昇圧させることを特徴とする請求項１ないし５１のいずれか１つに記載のエジェクタ式冷凍サイクル。
【発明の詳細な説明】
【技術分野】
【０００１】
本発明は、エジェクタを有するエジェクタ式冷凍サイクルに関する。
【背景技術】
【０００２】
従来、冷媒減圧手段の機能および冷媒循環手段の機能を果たすエジェクタを有するエジェクタ式冷凍サイクルが知られている。
【０００３】
例えば、特許文献１には、圧縮機から吐出された冷媒を放熱器にて室外空気と熱交換させて放熱させ、放熱した高圧冷媒をエジェクタのノズル部へ供給し、吸引側蒸発器にて蒸発した冷媒をエジェクタの冷媒吸引口から吸引するエジェクタ式冷凍サイクルが開示されている。
【０００４】
さらに、特許文献１のエジェクタ式冷凍サイクルでは、エジェクタのディフューザ部下流側に、ディフューザ部から流出した冷媒の気液を分離する流出側気液分離器を配置し、流出側気液分離器の気相冷媒出口を圧縮機の吸入口側へ接続するとともに、液相冷媒出口を吸引側蒸発器の入口側へ接続し、吸引側蒸発器の出口側を冷媒吸引口に接続している。
【０００５】
また、この種のエジェクタ式冷凍サイクルに適用されるエジェクタでは、エジェクタのノズル部にて高圧冷媒を減圧膨張させて噴射し、この噴射冷媒の圧力低下によって冷媒吸引口から蒸発器下流側の冷媒を吸引することで、ノズル部における減圧膨張時の運動エネルギの損失を回収している。
【０００６】
さらに、回収した運動エネルギ（以下、回収エネルギという。）を、エジェクタのディフューザ部にて圧力エネルギに変換して、圧縮機吸入冷媒圧力を上昇させることで、圧縮機の駆動動力を低減させてエジェクタ式冷凍サイクルの成績係数（ＣＯＰ）を向上させている。
【先行技術文献】
【特許文献】
【０００７】
【特許文献１】特許第３３２２２６３号公報
【発明の概要】
【発明が解決しようとする課題】
【０００８】
ところが、特許文献１のエジェクタ式冷凍サイクルでは、ノズル部を通過する冷媒（以下、駆動流という。）の流量低下に伴って、エジェクタの吸引能力が低下してしまうので、回収エネルギ量も減少してしまう。このため、駆動流の流量低下に伴って、上述のＣＯＰ向上効果が低減してしまう。
【０００９】
なお、駆動流の流量低下が生じる運転条件としては、例えば、外気温の低下に伴って高圧冷媒の圧力が低下する場合等がある。つまり、外気温の低下に伴って高圧冷媒の圧力が低下してしまうと、高圧冷媒と低圧冷媒との圧力差が縮小して、エジェクタの駆動流の流量が低下してしまう。
【００１０】
さらに、このような駆動流の流量低下が生じると、エジェクタの吸引能力が低下して、回収エネルギ量が減少するだけでなく、流出側気液分離器から吸引側蒸発器へ液相冷媒が供給されにくくなり、エジェクタ式冷凍サイクルが発揮できる冷凍能力も低下してしまう。その結果、駆動流の流量低下に伴って、ＣＯＰが大幅に低減してしまう。
【００１１】
この問題に対して、本発明者らは、先に、特願２００８−２５９５０１（以下、先願例という。）にて、図１８３の全体構成図に示すエジェクタ式冷凍サイクルを提案している。この先願例のエジェクタ式冷凍サイクルは、特許文献１のサイクルに対して、吸引側蒸発器２３から流出した冷媒を吸入し圧縮して、冷媒吸引口１９ｂ側へ吐出する第２の圧縮機２１を追加したものである。
【００１２】
これにより、エジェクタ１９の駆動流の流量が低下して、エジェクタ１９の吸引能力が低下するような運転条件であっても、第２の圧縮機２１がエジェクタ１９の吸引能力を補助することができる。従って、駆動流の流量変動にかかわらず、安定的に、吸引側蒸発器２３へ冷媒を供給してＣＯＰの大幅な低減を抑制できる。
【００１３】
しかしながら、本発明者らが、先願例のサイクルについて更なる試験研究を進めたところ、この先願例のサイクルでは、安定的に吸引側蒸発器２３へ冷媒を供給できるにもかかわらず、吸引側蒸発器２３にて発揮できる冷凍能力が低下して、ＣＯＰの大幅な低減を抑制する効果を充分に得られないことがあった。
【００１４】
そこで、本発明者らが、その原因について調査したところ、第２圧縮機２１にて等エントロピ的に圧縮されてエンタルピが増加した乾き度の高い冷媒が冷媒吸引口１９ｂから吸引されることで、ディフューザ部１９ｃから流出した冷媒の乾き度が、特許文献１のサイクルよりも高くなってしまうことが原因であると判った。
【００１５】
その理由は、ディフューザ部１９ｃから流出した冷媒の乾き度が高くなると、流出側気液分離器２６にて分離される液相冷媒流量が減少してしまうため、流出側気液分離器２６から吸引側蒸発器２３側へ供給される液相冷媒流量が、特許文献１のサイクルよりも少なくなってしまうからである。その結果、吸引側蒸発器２３にて発揮できる冷凍能力が低下して、ＣＯＰ低減の抑制効果を充分に得られなくなってしまう。
【００１６】
さらに、第１、第２圧縮機１１、２１の潤滑のために、冷媒中に潤滑用オイル（冷凍機油）を混入させると、一般的な冷凍機油は液相冷媒中に溶け込んでしまうため、流出側気液分離器２６内の液相冷媒中の冷凍機油濃度が、特許文献１のサイクルよりも濃くなってしまう。
【００１７】
そして、冷凍機油濃度の高い液相冷媒が流出側気液分離器２６から吸引側蒸発器２３側へ流入すると、冷凍機油が吸引側蒸発器２３内に滞留してしまうこともある。このような冷凍機油の滞留は、吸引側蒸発器２３への冷媒の流通を妨げて、冷凍能力を低下させるだけでなく、第１、第２圧縮機１１、２１の潤滑不足を引き起こす原因にもなる。
【００１８】
本発明は、上記点に鑑み、駆動流の流量変動が生じ得る運転条件であっても、ＣＯＰを低下させることなく、エジェクタ式冷凍サイクルを安定して作動させることを目的とする。
【００１９】
さらに、エジェクタ式冷凍サイクルでは、駆動流の流量変動が生じ得る運転条件のみならず、運転条件によらず高いＣＯＰを発揮できることが望まれる。
【００２０】
そこで、本発明は、駆動流の流量変動が生じ得る運転条件であってもＣＯＰを低下させることなくエジェクタ式冷凍サイクルを安定して作動させるとともに、運転条件によらず高いＣＯＰを発揮させることを他の目的とする。
【課題を解決するための手段】
【００２１】
上記の目的を達成するため、請求項１に記載の発明では、冷媒を圧縮して吐出する第１圧縮手段（１１ａ）と、第１圧縮手段（１１ａ）から吐出された高圧冷媒を放熱させる放熱器（１２）と、放熱器（１２）から流出した冷媒の流れを分岐する第１分岐部（１３）と、第１分岐部（１３）にて分岐された一方の冷媒を減圧膨張させる高圧側減圧手段（１４）と、第１分岐部（１３）にて分岐された他方の冷媒の流れを分岐する第２分岐部（１８、１８ａ）と、第２分岐部（１８、１８ａ）にて分岐された一方の冷媒を減圧膨張させるノズル部（１９ａ）から噴射する高速度の噴射冷媒の流れによって、冷媒吸引口（１９ｂ）から冷媒を吸引して、噴射冷媒と冷媒吸引口（１９ｂ）から吸引された吸引冷媒とを混合して昇圧するエジェクタ（１９）と、エジェクタ（１９）から流出した冷媒を吸引し、圧縮して吐出する第２圧縮手段（２１ａ）と、第２分岐部（１８、１８ａ）にて分岐された他方の冷媒を減圧膨張させる吸引側減圧手段（２２、２２ａ）と、吸引側減圧手段（２２、２２ａ）にて減圧膨張された冷媒を蒸発させて、冷媒吸引口（１９ｂ）側へ流出させる吸引側蒸発器（２３）と、第２圧縮手段（２１ａ）から吐出された冷媒の流れ、および、高圧側減圧手段（１４）にて減圧膨張された冷媒の流れを合流させて、第１圧縮手段（１１ａ）吸入側へ流出させる合流部（１６）と、高圧側減圧手段（１４）下流側冷媒と第１分岐部（１３）にて分岐された他方の冷媒とを熱交換させる内部熱交換器（１５）を備えるエジェクタ式冷凍サイクルを特徴とする。
【００２２】
これによれば、エジェクタ（１９）の駆動流の流量低下に伴ってエジェクタ（１９）の吸引能力が低下するような運転条件となっても、第２圧縮手段（２１ａ）によってエジェクタ（１９）の下流側から冷媒を吸入して、エジェクタ（１９）の駆動流が低下してしまうことを抑制することができる。
【００２３】
従って、エジェクタ（１９）に確実に吸引作用を発揮させて、エジェクタ式冷凍サイクルを安定して作動させることができる。この際、第１圧縮手段（１１ａ）の冷媒吐出能力を第２圧縮手段（２１ａ）に対して独立して調整することで、サイクルの高圧側冷媒圧力が不必要に上昇してしまうこともない。
【００２４】
さらに、第１圧縮手段（１１ａ）→放熱器（１２）→第１分岐部（１３）→高圧側減圧手段（１４）→内部熱交換器（１５）→合流部（１６）→第１圧縮手段（１１ａ）の順に冷媒を循環させる冷凍サイクルを、第１、第２分岐部（１３、１８、１８ａ）を介して吸引側蒸発器（２３）へ流入する冷媒を冷却するために利用することができる。
【００２５】
従って、吸引側蒸発器（２３）へ流入する冷媒のエンタルピを減少させて、吸引側蒸発器（２３）にて発揮できる冷凍能力を増大させることができるので、ＣＯＰを向上させることができる。
【００２６】
しかも、第１圧縮手段（１１ａ）→放熱器（１２）→第１分岐部（１３）→内部熱交換器（１５）→第２分岐部（１８、１８ａ）→吸引側減圧手段（２２、２２ａ）→吸引側蒸発器（２３）→エジェクタ（１９）→第２圧縮手段（２１ａ）→合流部（１６）→第１圧縮手段（１１ａ）という順に冷媒を循環させているので、吸引側蒸発器（２３）を通過する冷媒の流れが環状となる。
【００２７】
従って、冷媒に第１、第２圧縮手段（１１ａ、２１ａ）の潤滑用の冷凍機油を混入させても、冷凍機油が吸引側蒸発器（２３）内に滞留してしまうことを回避できる。
【００２８】
さらに、第１圧縮手段（１１ａ）に、合流部（１６）にて合流した中間圧気相冷媒を吸入させることができるので、第２圧縮手段（２１ａ）吐出冷媒のみを吸入させる場合に対して、第１圧縮手段（１１ａ）において冷媒を等エントロピ的に圧縮する際の圧縮仕事量を低減させて、より一層、ＣＯＰを向上できる。
【００２９】
その結果、駆動流の流量変動が生じ得る運転条件であっても、ＣＯＰを低下させることなく、エジェクタ式冷凍サイクルを安定して作動させることができる。
【００３０】
請求項２に記載の発明では、請求項１に記載のエジェクタ式冷凍サイクルにおいて、エジェクタ（１９）から流出した冷媒と、第１分岐部（１３）にて分岐された他方の冷媒を熱交換させる補助内部熱交換器（２５）を備えることを特徴とする。
【００３１】
これによれば、補助内部熱交換器（２５）にて、第１、第２分岐部（１３、１８、１８ａ）を介して吸引側蒸発器（２３）へ流入する冷媒を冷却することができるので、吸引側蒸発器（２３）へ流入する冷媒のエンタルピを減少させて、より一層、ＣＯＰを向上させることができる。
【００３２】
請求項３に記載の発明では、請求項１または２に記載のエジェクタ式冷凍サイクルにおいて、冷媒吸引口（１９ｂ）へ吸引される冷媒と、第１分岐部（１３）にて分岐された他方の冷媒を熱交換させる第２補助内部熱交換器（３５）を備えることを特徴とする。
【００３３】
これによれば、第２補助内部熱交換器（３５）にて、第１、第２分岐部（１３、１８、１８ａ）を介して吸引側蒸発器（２３）へ流入する冷媒を冷却することができるので、吸引側蒸発器（２３）へ流入する冷媒のエンタルピを減少させて、より一層、ＣＯＰを向上させることができる。
【００３４】
請求項４に記載の発明では、請求項１ないし３に記載のエジェクタ式冷凍サイクルにおいて、第１分岐部（１３）にて分岐された他方の冷媒を放熱させる補助放熱器（２４）を備えることを特徴とする。
【００３５】
これによれば、補助放熱器（２４）にて、第１、第２分岐部（１３、１８、１８ａ）を介して吸引側蒸発器（２３）へ流入する冷媒を冷却することができるので、吸引側蒸発器（２３）へ流入する冷媒のエンタルピを減少させて、より一層、ＣＯＰを向上させることができる。
【００３６】
請求項５に記載の発明では、請求項１ないし４のいずれか１つに記載のエジェクタ式冷凍サイクルにおいて、エジェクタ（１９）出口側と第２圧縮手段（２１ａ）吸入側との間に配置されて、エジェクタ（１９）から流出した冷媒を蒸発させる流出側蒸発器（２０）を備えることを特徴とする。
【００３７】
これによれば、吸引側蒸発器（２３）のみならず、流出側蒸発器（２０）でも冷凍能力を発揮できる。さらに、吸引側蒸発器（２３）では、噴射冷媒の吸引作用に応じた冷媒蒸発圧力となり、流出側蒸発器（２０）では、エジェクタ（１９）にて昇圧された後の冷媒蒸発圧力となるので、吸引側蒸発器（２３）および流出側蒸発器（２０）の冷媒蒸発温度を異なる温度とすることができる。
【００３８】
請求項６に記載の発明では、請求項１ないし５のいずれか１つに記載のエジェクタ式冷凍サイクルにおいて、第２分岐部（１８ａ）からノズル部（１９ａ）側へ流出する冷媒流量をノズル側冷媒流量（Ｇｎｏｚ）とし、第２分岐部（１８ａ）から吸引側減圧手段（２２、２２ａ）側へ流出する冷媒流量を減圧手段側冷媒流量（Ｇｅ）としたときに、減圧手段側冷媒流量（Ｇｅ）に対するノズル側冷媒流量（Ｇｎｏｚ）の流量比（Ｇｎｏｚ／Ｇｅ）が、サイクルの負荷の変動に応じて調整可能に構成されていることを特徴とする。
【００３９】
ここで、エジェクタ（１９）は、ノズル部（１９ａ）から噴射される噴射冷媒によって生じる負圧によって冷媒吸引口（１９ｂ）から冷媒を吸引している。さらに、噴射冷媒と吸引冷媒との混合冷媒の速度エネルギを、ディフューザ部（１９ｃ）にて圧力エネルギに変換している。
【００４０】
そのため、エジェクタ（１９）のノズル部（１９ａ）へ供給される冷媒、すなわち駆動流を確保できなければ、冷媒吸引作用も冷媒昇圧作用も発揮することができず、第２圧縮機２１吸引冷媒の圧力を上昇させて第２圧縮機２１の駆動力を低減することができない。一方、吸引側蒸発器（２３）に対しても適切な流量の冷媒を供給しなければ、吸引側蒸発器（２３）要求される冷凍能力を発揮させることができない。
【００４１】
従って、サイクルの負荷の変動に応じて、第２分岐部（１８ａ）へ流入する冷媒流量が変化した際に、流量比（Ｇｎｏｚ／Ｇｅ）を適切な値となるように調整することで、駆動流の流量変動が生じ得る運転条件のみならず、運転条件によらずサイクルに高いＣＯＰを発揮させることができる。
【００４２】
なお、本請求項におけるサイクルの負荷とは、エジェクタ式冷凍サイクルの熱負荷に相関を有する物理量によって表すことができる。例えは、放熱器（１２）に要求される放熱能力（放熱器（１２）の放熱負荷）あるいは吸引側蒸発器（２３）に要求される吸熱能力（吸引側蒸発器（２３）の吸熱負荷）等によって表すことができる。
【００４３】
具体的には、請求項７に記載の発明のように、通常運転時よりもサイクルの負荷が低下する低負荷運転時には、流量比（Ｇｎｏｚ／Ｇｅ）を通常運転時よりも増加させればよい。さらに、請求項８に記載の発明のように、通常運転時よりもサイクルの負荷が増加する高負荷運転時には、流量比（Ｇｎｏｚ／Ｇｅ）を通常運転時よりも低下させればよい。
【００４４】
請求項９に記載の発明では、請求項６ないし８のいずれか１つに記載のエジェクタ式冷凍サイクルにおいて、吸引側減圧手段は、冷媒通路面積を変更可能に構成された電気式の可変絞り機構（２２ａ）であり、可変絞り機構（２２ａ）の作動を制御する絞り能力制御手段（６０ｂ）を備え、制御手段が可変絞り機構（２２ａ）の作動を制御することによって、流量比（Ｇｎｏｚ／Ｇｅ）が調整されることを特徴とする。これにより、容易に流量比（Ｇｎｏｚ／Ｇｅ）を調整することができる。
【００４５】
また、請求項１０に記載の発明では、冷媒を圧縮して吐出する第１圧縮手段（１１ａ）と、第１圧縮手段（１１ａ）から吐出された高圧冷媒を放熱させる放熱器（１２）と、放熱器（１２）から流出した冷媒の流れを分岐する第１分岐部（１３）と、第１分岐部（１３）にて分岐された一方の冷媒を減圧膨張させる高圧側減圧手段（１４）と、第１分岐部（１３）にて分岐された他方の冷媒を減圧膨張させるノズル部（１９ａ）から噴射する高速度の噴射冷媒の流れによって、冷媒吸引口（１９ｂ）から冷媒を吸引して、噴射冷媒と冷媒吸引口（１９ｂ）から吸引された吸引冷媒とを混合して昇圧するエジェクタ（１９）と、エジェクタ（１９）から流出した冷媒の気液を分離する流出側気液分離器（２６）と、流出側気液分離器（２６）にて分離された気相冷媒を吸引し、圧縮して吐出する第２圧縮手段（２１ａ）と、流出側気液分離器（２６）にて分離された液相冷媒を減圧膨張させる吸引側減圧手段（２２）と、吸引側減圧手段（２２）にて減圧膨張された冷媒を蒸発させて、冷媒吸引口（１９ｂ）側へ流出させる吸引側蒸発器（２３）と、第２圧縮手段（２１ａ）から吐出された冷媒の流れ、および、高圧側減圧手段（１４）にて減圧膨張された冷媒の流れを合流させて、第１圧縮手段（１１ａ）吸入側へ流出させる合流部（１６）と、高圧側減圧手段（１４）下流側冷媒と第１分岐部（１３）にて分岐された他方の冷媒とを熱交換させる内部熱交換器（１５）と、吸引側蒸発器（２３）出口側と第２圧縮手段（２１ａ）吸引側とを連通させて、冷媒に混入されたオイルを第２圧縮手段（２１ａ）側へ戻すオイル戻し通路（２７）を備えるエジェクタ式冷凍サイクルを特徴とする。
【００４６】
これによれば、請求項１に記載の発明と同様に、第２圧縮手段（２１ａ）の作用によって駆動流の流量低下を抑制して、エジェクタ（１９）に確実に吸引作用を発揮させることができるので、エジェクタ式冷凍サイクルを安定して作動させることができる。
【００４７】
さらに、内部熱交換器（１５）の作用によるＣＯＰ向上効果、および、合流部（１６）にて合流した冷媒を第１圧縮手段（１１ａ）に吸入させることによるＣＯＰ向上効果を得ることができる。
【００４８】
しかも、オイル戻し通路（２７）を備えているので、冷媒に第１、第２圧縮手段（１１ａ、２１ａ）の潤滑用の冷凍機油を混入させても、冷凍機油が吸引側蒸発器（２３）内に滞留してしまうことを回避できる。
【００４９】
その結果、駆動流の流量変動が生じ得る運転条件であっても、ＣＯＰを低下させることなく、エジェクタ式冷凍サイクルを安定して作動させることができる。
【００５０】
請求項１１に記載の発明では、請求項１０に記載のエジェクタ式冷凍サイクルにおいて、エジェクタ（１９）から流出した冷媒と、第１分岐部（１３）にて分岐された他方の冷媒を熱交換させる補助内部熱交換器（２５）を備えることを特徴とする。
【００５１】
これによれば、請求項２に記載の発明と同様に、補助内部熱交換器（２５）にて、吸引側蒸発器（２３）へ流入する冷媒のエンタルピを減少させて、より一層、ＣＯＰを向上させることができる。
【００５２】
請求項１２に記載の発明では、請求項１０または１１に記載のエジェクタ式冷凍サイクルにおいて、冷媒吸引口（１９ｂ）へ吸引される冷媒と、第１分岐部（１３）にて分岐された他方の冷媒を熱交換させる第２補助内部熱交換器（３５）を備えることを特徴とする。
【００５３】
これによれば、請求項３に記載の発明と同様に、第２補助内部熱交換器（３５）にて、吸引側蒸発器（２３）へ流入する冷媒のエンタルピを減少させて、より一層、ＣＯＰを向上させることができる。
【００５４】
請求項１３に記載の発明では、請求項１０ないし１２のいずれか１つに記載のエジェクタ式冷凍サイクルにおいて、エジェクタ（１９）出口側と流出側気液分離器（２６）入口側との間に配置されて、エジェクタ（１９）から流出した冷媒を蒸発させる流出側蒸発器（２０）を備えることを特徴とする。これによれば、請求項５に記載の発明と同様に、吸引側蒸発器（２３）のみならず、流出側蒸発器（２０）でも冷凍能力を発揮できる。
【００５５】
請求項１４に記載の発明のように、請求項１ないし１３のいずれか１つに記載のエジェクタ式冷凍サイクルにおいて、放熱器（１２）から流出した冷媒の気液を分離して、分離された液相冷媒を下流側へ導出する高圧側気液分離器（１２ｂ、２４ｂ）を備えていてもよい。これにより、第１分岐部（１３）にて飽和液相冷媒を分岐することができるので、サイクルの作動を安定化させやすい。
【００５６】
請求項１５に記載の発明のように、請求項１ないし１３のいずれか１つに記載のエジェクタ式冷凍サイクルにおいて、放熱器（１２）は、冷媒を凝縮させる凝縮部（１２ｃ）、凝縮部（１２ｃ）から流出した冷媒の気液を分離する気液分離部（１２ｄ）、および、気液分離部（１２ｄ）から流出した液相冷媒を過冷却する過冷却部（１２ｅ）を有していてもよい。
【００５７】
これにより、第１分岐部（１３）にて過冷却液相冷媒を分岐することができるので、サイクルの作動を安定化させやすい。
【００５８】
請求項１６に記載の発明では、請求項１ないし１５のいずれか１つに記載のエジェクタ式冷凍サイクルにおいて、第１圧縮手段（１１ａ）から吐出された高圧冷媒を、吸引側蒸発器（２３）へ導くバイパス通路（２８）と、バイパス通路（２８）を開閉する開閉手段（２８ａ）とを備えることを特徴とする。
【００５９】
これによれば、吸引側蒸発器（２３）の着霜時に、開閉手段（２８ａ）を開くことで、第１圧縮手段（１１ａ）から吐出された高温冷媒を吸引側蒸発器（２３）に流入させて除霜することができる。
【００６０】
請求項１７に記載の発明では、５または１３に記載のエジェクタ式冷凍サイクルにおいて、第１圧縮手段（１１ａ）から吐出された高圧冷媒を、流出側蒸発器（２０）へ導くバイパス通路（２８）と、バイパス通路（２８、２８ｂ）を開閉する開閉手段（２８ａ）とを備えることを特徴とする。
【００６１】
これによれば、流出側蒸発器（２０）の着霜時に、開閉手段（２８ａ）を開くことで、第１圧縮手段（１１ａ）から吐出された高温冷媒を流出側蒸発器（２０）に流入させて除霜することができる。
【００６２】
請求項１８に記載の発明のように、請求項１６または１７に記載のエジェクタ式冷凍サイクルにおいて、さらに、放熱器（１２）の放熱能力を調整する放熱能力調整手段（１２ａ）を備え、第１圧縮手段（１１ａ）から吐出された高圧冷媒は、放熱器（１２）から流出した冷媒であり、放熱能力調整手段（１２ａ）は、開閉手段（２８ａ）がバイパス通路（２８）を開いた際に、放熱器（１２）の放熱能力を低下させるようにしてもよい。
【００６３】
なお、本請求項における放熱能力を低下させるとは、単に放熱能力を低下させることのみを意味するだけでなく、放熱能力を０とする（放熱器（１２）にて、冷媒を放熱させない状態とする）ことも含み意味である。
【００６４】
また、請求項１９に記載の発明では、冷媒を圧縮して吐出する第１圧縮手段（１１ａ）と、第１圧縮手段（１１ａ）から吐出された高圧冷媒の流れを分岐する第１分岐部（１３）と、第１分岐部（１３）にて分岐された一方の冷媒を放熱させる第１放熱器（１２１）と、第１分岐部（１３）にて分岐された他方の冷媒を放熱させる第２放熱器（１２２）と、第１放熱器（１２１）にて放熱した冷媒を減圧膨張させる高圧側減圧手段（１４）と、第２放熱器（１２２）にて放熱した冷媒の流れを分岐する第２分岐部（１８、１８ａ）と、第２分岐部（１８、１８ａ）にて分岐された一方の冷媒を減圧膨張させるノズル部（１９ａ）から噴射する高速度の噴射冷媒の流れによって、冷媒吸引口（１９ｂ）から冷媒を吸引して、噴射冷媒と冷媒吸引口（１９ｂ）から吸引された吸引冷媒とを混合して昇圧するエジェクタ（１９）と、エジェクタ（１９）から流出した冷媒を吸引し、圧縮して吐出する第２圧縮手段（２１ａ）と、第２分岐部（１８、１８ａ）にて分岐された他方の冷媒を減圧膨張させる吸引側減圧手段（２２、２２ａ）と、吸引側減圧手段（２２、２２ａ）にて減圧膨張された冷媒を蒸発させて、冷媒吸引口（１９ｂ）側へ流出させる吸引側蒸発器（２３）と、第２圧縮手段（２１ａ）から吐出された冷媒の流れ、および、第１分岐部（１３）にて減圧膨張された冷媒の流れを合流させて、第１圧縮手段（１１ａ）吸入側へ流出させる合流部（１６）と、高圧側減圧手段（１４）下流側冷媒と第１分岐部（１３）にて分岐された他方の冷媒とを熱交換させる内部熱交換器（１５）を備えるエジェクタ式冷凍サイクルを特徴とする。
【００６５】
これによれば、請求項１に記載の発明と同様に、第２圧縮手段（２１ａ）の作用によって駆動流の流量低下を抑制して、エジェクタ（１９）に確実に吸引作用を発揮させることができるので、エジェクタ式冷凍サイクルを安定して作動させることができる。
【００６６】
さらに、内部熱交換器（１５）の作用によるＣＯＰ向上効果、および、合流部（１６）にて合流した冷媒を第１圧縮手段（１１ａ）に吸入させることによるＣＯＰ向上効果を得ることができる。
【００６７】
さらに、第１放熱器（１２１）および第２放熱器（１２２）の熱交換能力（放熱性能）を独立に変化させることができるので、例えば、第２放熱器（１２２）の熱交換能力と、吸引側蒸発器（２３）の熱交換能力（吸熱性能）とを容易に適合させることができる。従って、サイクルの作動を安定化させやすい。
【００６８】
しかも、第１圧縮手段（１１ａ）→第１分岐部（１３）→第２放熱器（１２２）→内部熱交換器（１５）→第２分岐部（１８、１８ａ）→吸引側減圧手段（２２、２２ａ）→吸引側蒸発器（２３）→エジェクタ（１９）→第２圧縮手段（２１ａ）→合流部（１６）→第１圧縮手段（１１ａ）という順に冷媒を循環させているので、吸引側蒸発器（２３）を通過する冷媒の流れが環状となる。
【００６９】
従って、請求項１に記載の発明と同様に、冷媒に第１、第２圧縮手段（１１ａ、２１ａ）の潤滑用の冷凍機油を混入させても、冷凍機油が吸引側蒸発器（２３）内に滞留してしまうことを回避できる。
【００７０】
その結果、駆動流の流量変動が生じ得る運転条件であっても、ＣＯＰを低下させることなく、エジェクタ式冷凍サイクルを安定して作動させることができる。
【００７１】
請求項２０に記載の発明では、請求項１９に記載のエジェクタ式冷凍サイクルにおいて、エジェクタ（１９）から流出した冷媒と、第２放熱器（１２２）から流出した冷媒とを熱交換させる補助内部熱交換器（２５）を備えることを特徴とする。
【００７２】
これによれば、補助内部熱交換器（２５）にて、第２分岐部（１８、１８ａ）を介して吸引側蒸発器（２３）へ流入する冷媒を冷却することができるので、吸引側蒸発器（２３）へ流入する冷媒のエンタルピを減少させて、より一層、ＣＯＰを向上させることができる。
【００７３】
請求項２１に記載の発明では、請求項１９または２０に記載のエジェクタ式冷凍サイクルにおいて、冷媒吸引口（１９ｂ）へ吸引される冷媒と、第１分岐部（１３）にて分岐された他方の冷媒を熱交換させる第２補助内部熱交換器（３５）を備えることを特徴とする。
【００７４】
これによれば、第２補助内部熱交換器（３５）にて、第２分岐部（１８、１８ａ）を介して吸引側蒸発器（２３）へ流入する冷媒を冷却することができるので、吸引側蒸発器（２３）へ流入する冷媒のエンタルピを減少させて、より一層、ＣＯＰを向上させることができる。
【００７５】
請求項２２に記載の発明では、請求項１９ないし２１に記載のエジェクタ式冷凍サイクルにおいて、エジェクタ（１９）出口側と第２圧縮手段（２１ａ）吸入側との間に配置されて、エジェクタ（１９）から流出した冷媒を蒸発させる流出側蒸発器（２０）を備えることを特徴とする。これによれば、吸引側蒸発器（２３）のみならず、流出側蒸発器（２０）でも冷凍能力を発揮できる。
【００７６】
請求項２３に記載の発明では、請求項１９ないし２２のいずれか１つに記載のエジェクタ式冷凍サイクルにおいて、第２分岐部（１８ａ）から吸引側減圧手段（２２、２２ａ）側へ流出する減圧手段側冷媒流量（Ｇｅ）に対する第２分岐部（１８ａ）からノズル部（１９ａ）側へ流出するノズル側冷媒流量（Ｇｎｏｚ）の流量比（Ｇｎｏｚ／Ｇｅ）を、サイクルの負荷の変動に応じて調整可能に構成されていることを特徴とする。
【００７７】
これによれば、請求項６に記載の発明と同様に、サイクルの負荷の変動に応じて、第２分岐部（１８ａ）へ流入する冷媒流量が変化した際に、流量比（Ｇｎｏｚ／Ｇｅ）を適切な値となるように調整することで、駆動流の流量変動が生じ得る運転条件のみならず、運転条件によらずサイクルに高いＣＯＰを発揮させることができる。
【００７８】
なお、本請求項におけるサイクルの負荷とは、エジェクタ式冷凍サイクルの熱負荷に相関を有する物理量で表すことができる。例えは、第２放熱器（１２２）に要求される放熱能力（第２放熱器（１２２）の放熱負荷）あるいは吸引側蒸発器（２３）に要求される吸熱能力（吸引側蒸発器（２３）の吸熱負荷）等によって表すことができる。
【００７９】
具体的には、請求項２４に記載の発明のように、通常運転時よりもサイクルの負荷が低下する低負荷運転時には、流量比（Ｇｎｏｚ／Ｇｅ）を通常運転時よりも増加させればよい。さらに、請求項２５に記載の発明のように、通常運転時よりもサイクルの負荷が増加する高負荷運転時には、流量比（Ｇｎｏｚ／Ｇｅ）を通常運転時よりも低下させればよい。
【００８０】
請求項２６に記載の発明のように、請求項１９ないし２５のいずれか１つに記載のエジェクタ式冷凍サイクルにおいて、第１放熱器（１２１）から流出した冷媒の気液を分離して、分離された液相冷媒を下流側へ導出する第１高圧側気液分離器（１２１ｂ）、および、第２放熱器（１２２）から流出した冷媒の気液を分離して、分離された液相冷媒を下流側へ導出する第２高圧側気液分離器（１２２ｂ）のうち、少なくとも一方の高圧側気液分離器（１２１ｂ、１２２ｂ）を備えてもよい。
【００８１】
さらに、請求項２７に記載の発明のように、第１、第２放熱器（１２１、１２２）のうち、少なくとも一方は、冷媒を凝縮させる凝縮部（１２１ｃ、１２２ｃ）、凝縮部（１２１ｃ、１２２ｃ）から流出した冷媒の気液を分離する気液分離部（１２１ｄ、１２２ｄ）、および、気液分離部（１２１ｄ、１２２ｄ）から流出した液相冷媒を過冷却する過冷却部（１２１ｅ、１２２ｅ）を有していてもよい。これにより、サイクルの作動を安定化させやすくなる。
【００８２】
請求項２８に記載の発明では、請求項１９ないし２７のいずれか１つに記載のエジェクタ式冷凍サイクルにおいて、第１圧縮手段（１１ａ）から吐出された高圧冷媒を、吸引側蒸発器（２３）へ導くバイパス通路（２８）と、バイパス通路（２８）を開閉する開閉手段（２８ａ）とを備えることを特徴とする。これによれば、吸引側蒸発器（２３）の着霜時に、請求項１６に記載の発明と同様に除霜することができる。
【００８３】
請求項２９に記載の発明では、請求項２２のいずか１つに記載のエジェクタ式冷凍サイクルにおいて、第１圧縮手段（１１ａ）から吐出された高圧冷媒を、流出側蒸発器（２０）へ導くバイパス通路（２８）と、バイパス通路（２８、２８ｂ）を開閉する開閉手段（２８ａ）とを備えることを特徴とする。これによれば、流出側蒸発器（２０）の着霜時に、請求項１７に記載の発明と同様に除霜することができる。
【００８４】
請求項３０に記載の発明のように、請求項２８または２９に記載のエジェクタ式冷凍サイクルにおいて、さらに、第１、第２放熱器（１２１、１２２）の放熱能力を調整する放熱能力調整手段（１２１ａ、１２２ａ）を備え、第１圧縮手段（１１ａ）から吐出された高圧冷媒は、第１、第２放熱器（１２１、１２２）の少なくとも一方から流出した冷媒であり、放熱能力調整手段（１２１ａ、１２２ａ）は、開閉手段（２８ａ）がバイパス通路（２８）を開いた際に、第１、第２放熱器（１２１、１２２）の放熱能力を低下させるようにしてもよい。
【００８５】
なお、本請求項における放熱能力を低下させるとは、単に放熱能力を低下させることのみを意味するだけでなく、放熱能力を０とする（第１、第２放熱器（１２１、１２２）にて、冷媒を放熱させない状態とする）ことも含み意味である。
【００８６】
請求項３１に記載の発明のように、具体的に、請求項１ないし３０のいずれか１つに記載のエジェクタ式冷凍サイクルにおいて、内部熱交換器（１５）は、高圧側減圧手段（１４）下流側冷媒のうち、合流部（１６）の上流側の冷媒を、第１分岐部（１３）にて分岐された他方の冷媒と熱交換させるようになっていてもよい。
【００８７】
さらに、請求項３２に記載の発明のように、内部熱交換器（１５）は、高圧側減圧手段（１４）下流側冷媒のうち、合流部（１６）にて第２圧縮手段（２１ａ）吐出冷媒と合流した冷媒を、第１分岐部（１３）にて分岐された他方の冷媒と熱交換させるようになっていてもよい。これにより、内部熱交換器（１５）における高圧側冷媒と低圧側冷媒との温度差を拡大して、内部熱交換器（１５）の熱交換効率を向上できる。
【００８８】
請求項３３に記載の発明では、請求項１ないし３２のいずれか１つに記載のエジェクタ式冷凍サイクルにおいて、吸引側減圧手段（２２、２２ａ）は、冷媒を体積膨張させて減圧させるとともに、冷媒の圧力エネルギを機械的エネルギに変換して出力する膨張機（４０）であることを特徴とする。これによれば、膨張機から出力された機械的エネルギを有効に活用することで、エジェクタ式冷凍サイクル全体としてのエネルギ効率を向上できる。
【００８９】
請求項３４に記載の発明では、請求項１ないし３３のいずれか１つに記載のエジェクタ式冷凍サイクルにおいて、ノズル部（１９ａ）へ流入する冷媒を減圧膨張させるノズル前減圧手段（１７）を備えることを特徴とする。
【００９０】
これによれば、ノズル前減圧手段（１７）の作用によって、ノズル部（１９ａ）へ流入する冷媒を気液二相冷媒となるまで減圧することができる。従って、ノズル部（１９ａ）へ液相冷媒を流入させる場合に対して、ノズル部（１９ａ）における冷媒の沸騰を促進させて、ノズル効率を向上させることができる。
【００９１】
その結果、エジェクタ（１９）における昇圧量を増加させて、より一層、ＣＯＰを向上できる。なお、ノズル効率とは、ノズル部（１９ａ）において、冷媒の圧力エネルギを運動エネルギに変換する際のエネルギ変換効率である。
【００９２】
さらに、ノズル前減圧手段（１７）を可変絞り機構で構成することで、サイクルの負荷の変動に応じて、ノズル部（１９ａ）へ流入させる冷媒流量を変化させることができる。その結果、負荷変動が生じても、高いＣＯＰを発揮させながら安定してサイクルを作動させることができる。
【００９３】
請求項３５に記載の発明のように、このノズル前減圧手段（１７）は、第２分岐部（１８、１８ａ）出口側とノズル部（１９ａ）入口側との間に配置されていてもよい。さらに、請求項３６に記載の発明のように、請求項３５に記載のエジェクタ式冷凍サイクルにおいて、内部熱交換器（１５）は、高圧側減圧手段（１４）下流側冷媒と第２分岐部（１８、１８ａ）にて分岐された他方の冷媒とを熱交換させるようにすればよい。
【００９４】
これによれば、内部熱交換器（１５）にて第２分岐部（１８、１８ａ）にて分岐された他方の冷媒、すなわち吸引側蒸発器（２３）へ流入する冷媒を冷却することができるので、吸引側蒸発器（２３）へ流入する冷媒のエンタルピを減少させて、より一層、ＣＯＰを向上させることができる。
【００９５】
さらに、第２分岐部（１８、１８ａ）からノズル部（１９ａ）へ流入する冷媒のエンタルピを不必要に減少させない。これにより、ノズル部（１９ａ）における回収エネルギ量を増大させて、更なるＣＯＰ向上効果を得ることができる。その理由は、ノズル部（１９ａ）へ流入する冷媒のエンタルピが増加するに伴って、モリエル線図上における等エントロピ線の傾きが緩やかになるからである。
【００９６】
そのため、ノズル部（１９ａ）にて、同じ圧力分だけ等エントロピ膨張させた場合、ノズル部（１９ａ）入口側冷媒のエンタルピが高いほど、ノズル部（１９ａ）入口側冷媒のエンタルピとノズル部（１９ａ）出口側冷媒のエンタルピとの差（回収エネルギ量）が大きくなる。そして、この回収エネルギ量の増大に伴って、エジェクタ（１９）の昇圧量を増大させることができ、更なるＣＯＰ向上効果を得ることができる。
【００９７】
請求項３７に記載の発明では、請求項２、１１、２０に記載のエジェクタ式冷凍サイクルにおいて、第２分岐部（１８、１８ａ）出口側とノズル部（１９ａ）入口側との間に配置されて、ノズル部（１９ａ）へ流入する冷媒を減圧膨張させるノズル前減圧手段（１７）を備え、補助内部熱交換器（２５）は、エジェクタ（１９）から流出した冷媒と、第２分岐部（１８、１８ａ）にて分岐された他方の冷媒とを熱交換させることを特徴とする。
【００９８】
これによれば、補助内部熱交換器（２５）にて第２分岐部（１８、１８ａ）にて分岐された他方の冷媒、すなわち吸引側蒸発器（２３）へ流入する冷媒を冷却することができるとともに、補助内部熱交換器（２５）にてノズル部（１９ａ）へ流入する冷媒のエンタルピを不必要に減少させないので、請求項３２と同様に、より一層、ＣＯＰを向上させることができる。
【００９９】
請求項３８に記載の発明では、請求項３、１２、２１に記載のエジェクタ式冷凍サイクルにおいて、第２分岐部（１８、１８ａ）出口側とノズル部（１９ａ）入口側との間に配置されて、ノズル部（１９ａ）へ流入する冷媒を減圧膨張させるノズル前減圧手段（１７）を備え、第２補助内部熱交換器（３５）は、冷媒吸引口（１９ｂ）へ吸引される冷媒と、第２分岐部（１８、１８ａ）にて分岐された他方の冷媒とを熱交換させることを特徴とする。
【０１００】
これによれば、第２補助内部熱交換器（３５）にて第２分岐部（１８、１８ａ）にて分岐された他方の冷媒、すなわち吸引側蒸発器（２３）へ流入する冷媒を冷却することができるとともに、第２補助内部熱交換器（３５）にてノズル部（１９ａ）へ流入する冷媒のエンタルピを不必要に減少させないので、請求項３２と同様に、より一層、ＣＯＰを向上させることができる。
【０１０１】
請求項３９に記載の発明では、請求項３４ないし３８のいずれか１つに記載のエジェクタ式冷凍サイクルにおいて、ノズル前減圧手段（１７）入口側の冷媒圧力（Ｐｄｅｉ）とノズル部（１９ａ）入口側の冷媒圧力（Ｐｎｏｚｉ）との第１圧力差（Ｐｄｅｉ−Ｐｎｏｚｉ）は、ノズル前減圧手段（１７）入口側の冷媒圧力（Ｐｄｅｉ）とノズル部（１９ａ）出口側の冷媒圧力（Ｐｎｏｚｏ）との第２圧力差（Ｐｄｅｉ−Ｐｎｏｚｏ）に０．１以上０．６以下の値を乗じた値になっていることを特徴とする。
【０１０２】
ここで、前述の如く、サイクルの負荷の変動に応じて、流量比（Ｇｎｏｚ／Ｇｅ）を適切な値となるように調整することで、運転条件によらず高いＣＯＰを発揮させることができる。
【０１０３】
さらに、後述する実施形態で説明するように、ノズル前減圧手段（１７）入口側の冷媒圧力（Ｐｄｉ）とノズル部（１９ａ）入口側の冷媒圧力（Ｐｎｉ）との第１圧力差（Ｐｄｅｉ−Ｐｎｏｚｉ）、および、ノズル前減圧手段（１７）入口側の冷媒圧力（Ｐｄｉ）とノズル部（１９ａ）出口側の冷媒圧力（Ｐｎｏ）との第２圧力差（Ｐｄｅｉ−Ｐｎｏｚｏ）によって、ＣＯＰが変化する。
【０１０４】
本請求項では、適切な流量比（Ｇｎｏｚ／Ｇｅ）を実現する具体的な手段として、第１圧力差（Ｐｄｅｉ−Ｐｎｏｚｉ）を、第２圧力差（Ｐｄｅｉ−Ｐｎｏｚｏ）に０．１以上０．６以下の値を乗じた値としている。これにより、駆動流の流量変動が生じ得る運転条件のみならず、運転条件によらずサイクルに高いＣＯＰを発揮させることができる。
【０１０５】
請求項４０に記載の発明では、請求項３４ないし３９のいずれか１つに記載のエジェクタ式冷凍サイクルにおいて、ノズル前減圧手段（１７）は、ノズル部（１９ａ）へ流入する冷媒の乾き度（Ｘ０）が０．００３以上０．１４以下となるように冷媒を減圧膨張させることを特徴とする。
【０１０６】
これによれば、ノズル前減圧手段（１７）が、ノズル部（１９ａ）へ流入する冷媒の乾き度が０．００３以上０．１４以下となるように冷媒を減圧膨張させるので、後述する実施形態で説明するように、流量比（Ｇｎｏｚ／Ｇｅ）を適切な値となるように調整することができる。従って、駆動流の流量変動が生じ得る運転条件のみならず、運転条件によらずサイクルに高いＣＯＰを発揮させることができる。
【０１０７】
請求項４１に記載の発明では、請求項３４ないし４０のいずれか１つに記載のエジェクタ式冷凍サイクルにおいて、ノズル前減圧手段（１７）は、冷媒を体積膨張させて減圧させるともに、冷媒の圧力エネルギを機械的エネルギに変換して出力する膨張機（４０）であることを特徴とする。これによれば、膨張機から出力された機械的エネルギを有効に活用することで、エジェクタ式冷凍サイクル全体としてのエネルギ効率を向上できる。
【０１０８】
また、請求項４２に記載の発明では、冷媒を圧縮して吐出する第１圧縮手段（１１ａ）と、冷媒と外気とを熱交換させる室外熱交換器（５３）と、冷媒と熱交換対象流体とを熱交換させる利用側熱交換器（５５）と、熱交換対象流体を冷却する冷却運転モードの冷媒流路および熱交換対象流体を加熱する加熱運転モードの冷媒流路を切り替える冷媒流路切替手段（５１、５２）と、冷却運転モード時に、室外熱交換器（５３）から流出した冷媒の流れを分岐する第１分岐部（１３）と、冷却運転モード時に、第１分岐部（１３）にて分岐された一方の冷媒を減圧膨張させる高圧側減圧手段（１４）と、冷却運転モード時に、第１分岐部（１３）にて分岐された他方の冷媒の流れを分岐する第２分岐部（１８）と、冷却運転モード時に、第２分岐部（１８）にて分岐された一方の冷媒を減圧膨張させるノズル部（１９ａ）から噴射する高速度の噴射冷媒の流れによって、冷媒吸引口（１９ｂ）から冷媒を吸引して、噴射冷媒と冷媒吸引口（１９ｂ）から吸引された吸引冷媒とを混合して昇圧するエジェクタ（１９）と、冷却運転モード時に、エジェクタ（１９）から流出した冷媒を吸引し、圧縮して吐出する第２圧縮手段（２１ａ）と、冷却運転モード時に、第２分岐部（１８）にて分岐された他方の冷媒を減圧膨張させる吸引側減圧手段（２２）と、冷却運転モード時に、第２圧縮手段（２１ａ）から吐出された冷媒の流れ、および、高圧側減圧手段（１４）にて減圧膨張された冷媒の流れを合流させて、第１圧縮手段（１１ａ）吸入側へ流出させる合流部（１６）と、冷却運転モード時に、高圧側減圧手段（１４）下流側冷媒と第１分岐部（１３）にて分岐された他方の冷媒とを熱交換させる内部熱交換器（１５）を備え、
利用側熱交換器（５５）は、冷却運転モード時に、吸引側減圧手段（２２）にて減圧膨張された冷媒を蒸発させて、冷媒吸引口（１９ｂ）側へ流出させ、冷媒流路切替手段（５１、５２）は、冷却運転モードでは、第１圧縮手段（１１ａ）から吐出された冷媒を室外熱交換器（５３）にて放熱させるとともに、利用側熱交換器（５５）にて冷媒を蒸発させる冷媒流路に切り替え、加熱運転モードでは、第１圧縮手段（１１ａ）から吐出された冷媒を利用側熱交換器（５５）にて放熱させるとともに、室外熱交換器（５３）にて冷媒を蒸発させる冷媒流路に切り替えるエジェクタ式冷凍サイクルを特徴とする。
【０１０９】
これによれば、冷却運転モード時に、請求項１に記載の発明と同様に、第２圧縮手段（２１ａ）の作用によって駆動流の流量低下を抑制して、エジェクタ（１９）に確実に吸引作用を発揮させることができるので、エジェクタ式冷凍サイクルを安定して作動させることができる。
【０１１０】
さらに、内部熱交換器（１５）の作用によるＣＯＰ向上効果、および、第１圧縮手段（１１ａ）に、合流部（１６）にて合流した冷媒を吸入させることによるＣＯＰ向上効果を得ることができる。
【０１１１】
しかも、冷却運転モード時には、第１圧縮手段（１１ａ）→室外熱交換器（５３）→第１分岐部（１３）→内部熱交換器（１５）→第２分岐部（１８）→吸引側減圧手段（２２、２２ａ）→利用側熱交換器（５５）→エジェクタ（１９）→第２圧縮手段（２１ａ）→合流部（１６）→第１圧縮手段（１１ａ）という順に冷媒を循環させているので、利用側熱交換器（５５）を通過する冷媒の流れが環状となる。
【０１１２】
従って、請求項１に記載の発明と同様に、冷媒に第１、第２圧縮手段（１１ａ、２１ａ）の潤滑用の冷凍機油を混入させても、冷却運転モード時に、冷凍機油が利用側熱交換器（５５）内に滞留してしまうことを回避できる。
【０１１３】
その結果、駆動流の流量変動が生じ得る運転条件であっても、ＣＯＰを低下させることなく、エジェクタ式冷凍サイクルを安定して作動させることができる。さらに、冷媒流路切替手段（５１、５２）が冷媒流路を切り替えることによって、加熱対象流体を加熱することもできる。
【０１１４】
請求項４３に記載の発明では、請求項４２に記載のエジェクタ式冷凍サイクルにおいて、冷却運転モード時に、エジェクタ（１９）から流出した冷媒と、第１分岐部（１３）にて分岐された他方の冷媒を熱交換させる補助内部熱交換器（２５）を備えることを特徴とする。
【０１１５】
これによれば、冷却運転モード時に、補助内部熱交換器（２５）の作用によって、利用側熱交換器（５５）へ流入する冷媒を冷却することができるので、利用側熱交換器（５５）へ流入する冷媒のエンタルピを減少させて、より一層、冷却運転モード時のＣＯＰを向上させることができる。
【０１１６】
請求項４４に記載の発明では、請求項４２または４３に記載のエジェクタ式冷凍サイクルにおいて、冷却運転モード時に、第１分岐部（１３）にて分岐された他方の冷媒を放熱させる補助室外熱交換器（５３ｂ）を備えることを特徴とする。
【０１１７】
これによれば、冷却運転モード時に、補助室外熱交換器（５３ｂ）にて、利用側熱交換器（５５）へ流入する冷媒を冷却することができるので、利用側熱交換器（５５）へ流入する冷媒のエンタルピを減少させて、より一層、ＣＯＰを向上させることができる。
【０１１８】
また、請求項４５に記載の発明では、冷媒を圧縮して吐出する第１圧縮手段（１１ａ）と、冷媒と外気とを熱交換させる第１、第２室外熱交換器（５３１、５３２）と、冷媒と熱交換対象流体とを熱交換させる利用側熱交換器（５５）と、熱交換対象流体を冷却する冷却運転モードの冷媒流路および熱交換対象流体を加熱する加熱運転モードの冷媒流路を切り替える冷媒流路切替手段（５１、５２）と、冷却運転モード時に、第１圧縮手段（１１ａ）から吐出された冷媒の流れを分岐して、分岐された一方の冷媒を第１室外熱交換器（５３１）側へ流出させるとともに、分岐された他方の冷媒を第２室外熱交換器（５３２）側へ流出させる第１分岐部（１３）と、冷却運転モード時に、第１室外熱交換器（５３１）にて熱交換した冷媒を減圧膨張させる高圧側減圧手段（１４ａ）と、冷却運転モード時に、第２室外熱交換器（５３２）にて熱交換した冷媒の流れを分岐する第２分岐部（１８）と、冷却運転モード時に、第２分岐部（１８）にて分岐された一方の冷媒を減圧膨張させるノズル部（１９ａ）から噴射する高速度の噴射冷媒の流れによって、冷媒吸引口（１９ｂ）から冷媒を吸引して、噴射冷媒と冷媒吸引口（１９ｂ）から吸引された吸引冷媒とを混合して昇圧するエジェクタ（１９）と、冷却運転モード時に、エジェクタ（１９）から流出した冷媒を吸引し、圧縮して吐出する第２圧縮手段（２１ａ）と、冷却運転モード時に、第２分岐部（１８）にて分岐された他方の冷媒を減圧膨張させる吸引側減圧手段（２２）と、冷却運転モード時に、第２圧縮手段（２１ａ）から吐出された冷媒の流れ、および、第１分岐部（１３）にて減圧膨張された冷媒の流れを合流させて、第１圧縮手段（１１ａ）吸入側へ流出させる合流部（１６）と、冷却運転モード時に、高圧側減圧手段（１４ａ）下流側冷媒と第２室外熱交換器（５３２）から流出した冷媒とを熱交換させる内部熱交換器（１５）を備え、
利用側熱交換器（５５）は、冷却運転モード時に、吸引側減圧手段（２２）にて減圧膨張された冷媒を蒸発させて、冷媒吸引口（１９ｂ）側へ流出させ、冷媒流路切替手段（５１、５２）は、冷却運転モードでは、第１圧縮手段（１１ａ）から吐出された冷媒を第１、第２室外熱交換器（５３２）にて放熱させるとともに、利用側熱交換器（５５）にて冷媒を蒸発させる冷媒流路に切り替え、加熱運転モードでは、第１圧縮手段（１１ａ）から吐出された冷媒を利用側熱交換器（５５）にて放熱させるとともに、第２室外熱交換器（５３２）にて冷媒を蒸発させる冷媒流路に切り替えるエジェクタ式冷凍サイクルを特徴とする。
【０１１９】
これによれば、冷却運転モード時に、請求項１に記載の発明と同様に、第２圧縮手段（２１ａ）の作用によって駆動流の流量低下を抑制して、エジェクタ（１９）に確実に吸引作用を発揮させることができるので、エジェクタ式冷凍サイクルを安定して作動させることができる。
【０１２０】
さらに、内部熱交換器（１５）の作用によるＣＯＰ向上効果、および、第１圧縮手段（１１ａ）に、合流部（１６）にて合流した冷媒を吸入させることによるＣＯＰ向上効果を得ることができる。
【０１２１】
さらに、第１室外熱交換器（５３１）および第２室外熱交換器（５３２）の熱交換能力を独立に変化させることができるので、例えば、冷房運転モード時の第２室外熱交換器（５３２）の熱交換能力と、利用側熱交換器（５５）の熱交換能力（吸熱性能）とを容易に適合させることができる。従って、サイクルの作動を安定化させやすい。
【０１２２】
しかも、冷却運転モード時には、第１圧縮手段（１１ａ）→第１分岐部（１３）→第２室外熱交換器（５３２）→内部熱交換器（１５）→第２分岐部（１８）→吸引側減圧手段（２２）→利用側熱交換器（５５）→エジェクタ（１９）→第２圧縮手段（２１ａ）→合流部（１６）→第１圧縮手段（１１ａ）という順に冷媒を循環させているので、利用側熱交換器（５５）を通過する冷媒の流れが環状となる。
【０１２３】
従って、請求項１に記載の発明と同様に、冷媒に第１、第２圧縮手段（１１ａ、２１ａ）の潤滑用の冷凍機油を混入させても、冷凍機油が利用側熱交換器（５５）内に滞留してしまうことを回避できる。
【０１２４】
その結果、駆動流の流量変動が生じ得る運転条件であっても、ＣＯＰを低下させることなく、エジェクタ式冷凍サイクルを安定して作動させることができる。さらに、冷媒流路切替手段（５１、５２）が冷媒流路を切り替えることによって、加熱対象流体を加熱することもできる。
【０１２５】
請求項４６に記載の発明では、請求項４５に記載のエジェクタ式冷凍サイクルにおいて、冷却運転モード時に、エジェクタ（１９）から流出した冷媒と、第２室外熱交換器（５３２）にて放熱した冷媒とを熱交換させる補助内部熱交換器（２５）を備えることを特徴とする。
【０１２６】
これによれば、冷却運転モード時に、補助内部熱交換器（２５）の作用によって、利用側熱交換器（５５）へ流入する冷媒を冷却することができるので、利用側熱交換器（５５）へ流入する冷媒のエンタルピを減少させて、より一層、冷却運転モード時のＣＯＰを向上させることができる。
【０１２７】
請求項４７に記載の発明では、請求項４５または４６に記載のエジェクタ式冷凍サイクルにおいて、冷却運転モード時に、エジェクタ（１９）から流出した冷媒を蒸発させる補助利用側熱交換器（５４）を備えることを特徴とする。これによれば、冷却運転モード時に、利用側熱交換器（５５）のみならず、補助利用側熱交換器（５４）でも冷凍能力を発揮できる。
【０１２８】
請求項４８に記載の発明のように、具体的に、請求項４２ないし４７のいずれか１つに記載のエジェクタ式冷凍サイクルにおいて、冷却運転モード時に、内部熱交換器（１５）は、高圧側減圧手段（１４ａ）下流側冷媒のうち、合流部（１６）の上流側の冷媒を、第１分岐部（１３）にて分岐された他方の冷媒と熱交換させるようになっていてもよい。
【０１２９】
さらに、請求項４９に記載の発明のように、内部熱交換器（１５）は、冷却運転モード時に、高圧側減圧手段（１４）下流側冷媒のうち、合流部（１６）にて第２圧縮手段（２１ａ）吐出冷媒と合流した冷媒を、第１分岐部（１３）にて分岐された他方の冷媒と熱交換させるようになっていてもよい。
【０１３０】
請求項５０に記載の発明では、請求項１ないし４９のいずれか１つに記載のエジェクタ式冷凍サイクルにおいて、第１圧縮手段（１１ａ）の冷媒吐出能力を変更する第１吐出能力変更手段（１１ｂ）と、第２圧縮手段（２１ａ）の冷媒吐出能力を変更する第２吐出能力変更手段（２１ｂ）とを備え、第１吐出能力変更手段（１１ｂ）および第２吐出能力変更手段（２１ｂ）は、それぞれ独立して第１圧縮手段（１１ａ）および第２圧縮手段（２１ａ）の冷媒吐出能力を変更可能に構成されていることを特徴とする。
【０１３１】
これによれば、第１圧縮手段（１１ａ）の冷媒吐出能力と第２圧縮手段（２１ａ）の冷媒吐出能力とを独立に調整して、第１、第２圧縮手段（１１ａ、２１ａ）のいずれも高い圧縮効率を発揮させながら作動させることができる。従って、エジェクタ式冷凍サイクル全体としてのＣＯＰを、より一層、向上させることができる。
【０１３２】
請求項５１に記載の発明では、請求項１ないし５０のいずれか１つに記載のエジェクタ式冷凍サイクルにおいて、第１圧縮手段（１１ａ）および第２圧縮手段（２１ａ）は、同一のハウジング（１０ａ）内に収容されて、一体的に構成されていることを特徴とする。これによれば、第１圧縮手段（１１ａ）および第２圧縮手段（２１ａ）の小型化が可能となり、エジェクタ式冷凍サイクル全体としての小型化を図ることもできる。
【０１３３】
請求項５２に記載の発明のように、請求項１ないし５１のいずれか１つに記載のエジェクタ式冷凍サイクルにおいて、第１圧縮手段（１１ａ）は、冷媒を臨界圧力以上となるまで昇圧させるようになっていてもよい。
【０１３４】
なお、この欄および特許請求の範囲で記載した各手段の括弧内の符号は、後述する実施形態に記載の具体的手段との対応関係を示すものである。
【図面の簡単な説明】
【０１３５】
【図１】第１実施形態のエジェクタ式冷凍サイクルの全体構成図である。
【図２】第１実施形態のエジェクタ式冷凍サイクルの冷媒の状態を示すモリエル線図である。
【図３】第２実施形態のエジェクタ式冷凍サイクルの全体構成図である。
【図４】第２実施形態のエジェクタ式冷凍サイクルの冷媒の状態を示すモリエル線図である。
【図５】第３実施形態のエジェクタ式冷凍サイクルの全体構成図である。
【図６】第３実施形態のエジェクタ式冷凍サイクルの冷媒の状態を示すモリエル線図である。
【図７】第４実施形態のエジェクタ式冷凍サイクルの全体構成図である。
【図８】第４実施形態のエジェクタ式冷凍サイクルの冷媒の状態を示すモリエル線図である。
【図９】第５実施形態のエジェクタ式冷凍サイクルの全体構成図である。
【図１０】（ａ）は、第５実施形態の通常運転モードにおける冷媒の状態を示すモリエル線図であり、（ｂ）は、第５実施形態のオイル戻し運転モードにおける冷媒の状態を示すモリエル線図である。
【図１１】第６実施形態のエジェクタ式冷凍サイクルの全体構成図である。
【図１２】（ａ）は、第６実施形態の通常運転モードにおける冷媒の状態を示すモリエル線図であり、（ｂ）は、第６実施形態のオイル戻し運転モードにおける冷媒の状態を示すモリエル線図である。
【図１３】第７実施形態のエジェクタ式冷凍サイクルの全体構成図である。
【図１４】第７実施形態のエジェクタ式冷凍サイクルの冷媒の状態を示すモリエル線図である。
【図１５】第８実施形態のエジェクタ式冷凍サイクルの全体構成図である。
【図１６】第８実施形態のエジェクタ式冷凍サイクルの冷媒の状態を示すモリエル線図である。
【図１７】第９実施形態のエジェクタ式冷凍サイクルの全体構成図である。
【図１８】第１０実施形態のエジェクタ式冷凍サイクルの全体構成図である。
【図１９】第１１実施形態のエジェクタ式冷凍サイクルの全体構成図である。
【図２０】第１２実施形態のエジェクタ式冷凍サイクルの全体構成図である。
【図２１】第１３実施形態のエジェクタ式冷凍サイクルの全体構成図である。
【図２２】第１４実施形態のエジェクタ式冷凍サイクルの全体構成図である。
【図２３】第１５実施形態のエジェクタ式冷凍サイクルの全体構成図である。
【図２４】第１６実施形態のエジェクタ式冷凍サイクルの全体構成図である。
【図２５】第１７実施形態のエジェクタ式冷凍サイクルの全体構成図である。
【図２６】第１８実施形態のエジェクタ式冷凍サイクルの全体構成図である。
【図２７】第１９実施形態のエジェクタ式冷凍サイクルの全体構成図である。
【図２８】第２０実施形態のエジェクタ式冷凍サイクルの全体構成図である。
【図２９】第２１実施形態のエジェクタ式冷凍サイクルの全体構成図である。
【図３０】第２２実施形態のエジェクタ式冷凍サイクルの全体構成図である。
【図３１】第２３実施形態のエジェクタ式冷凍サイクルの全体構成図である。
【図３２】第２４実施形態のエジェクタ式冷凍サイクルの全体構成図である。
【図３３】第２５実施形態のエジェクタ式冷凍サイクルの全体構成図である。
【図３４】第２６実施形態のエジェクタ式冷凍サイクルの全体構成図である。
【図３５】第２７実施形態のエジェクタ式冷凍サイクルの全体構成図である。
【図３６】第２８実施形態のエジェクタ式冷凍サイクルの全体構成図である。
【図３７】第２９実施形態のエジェクタ式冷凍サイクルの全体構成図である。
【図３８】第３０実施形態のエジェクタ式冷凍サイクルの全体構成図である。
【図３９】第３１実施形態のエジェクタ式冷凍サイクルの全体構成図である。
【図４０】第３２実施形態のエジェクタ式冷凍サイクルの全体構成図である。
【図４１】第３３実施形態のエジェクタ式冷凍サイクルの全体構成図である。
【図４２】第３３実施形態のエジェクタ式冷凍サイクルの冷媒の状態を示すモリエル線図である。
【図４３】第３４実施形態のエジェクタ式冷凍サイクルの全体構成図である。
【図４４】第３４実施形態のエジェクタ式冷凍サイクルの冷媒の状態を示すモリエル線図である。
【図４５】第３５実施形態のエジェクタ式冷凍サイクルの全体構成図である。
【図４６】第３５実施形態のエジェクタ式冷凍サイクルの冷媒の状態を示すモリエル線図である。
【図４７】第３６実施形態のエジェクタ式冷凍サイクルの全体構成図である。
【図４８】第３６実施形態のエジェクタ式冷凍サイクルの冷媒の状態を示すモリエル線図である。
【図４９】第３７実施形態のエジェクタ式冷凍サイクルの全体構成図である。
【図５０】第３７実施形態のエジェクタ式冷凍サイクルの冷媒の状態を示すモリエル線図である。
【図５１】第３８実施形態のエジェクタ式冷凍サイクルの全体構成図である。
【図５２】第３８実施形態のエジェクタ式冷凍サイクルの冷媒の状態を示すモリエル線図である。
【図５３】第３９実施形態のエジェクタ式冷凍サイクルの全体構成図である。
【図５４】（ａ）は、第３９実施形態の通常運転モードにおける冷媒の状態を示すモリエル線図であり、（ｂ）は、第３９実施形態の除霜運転モードにおける冷媒の状態を示すモリエル線図である。
【図５５】第４０実施形態のエジェクタ式冷凍サイクルの全体構成図である。
【図５６】（ａ）は、第４０実施形態の通常運転モードにおける冷媒の状態を示すモリエル線図であり、（ｂ）は、第４０実施形態の除霜運転モードにおける冷媒の状態を示すモリエル線図である。
【図５７】第４１実施形態のエジェクタ式冷凍サイクルの全体構成図である。
【図５８】（ａ）は、第４１実施形態の通常運転モードにおける冷媒の状態を示すモリエル線図であり、（ｂ）は、第４１実施形態の除霜運転モードにおける冷媒の状態を示すモリエル線図である。
【図５９】第４２実施形態のエジェクタ式冷凍サイクルの全体構成図である。
【図６０】（ａ）は、第４２実施形態の通常運転モードにおける冷媒の状態を示すモリエル線図であり、（ｂ）は、第４２実施形態の除霜運転モードにおける冷媒の状態を示すモリエル線図である。
【図６１】第４３実施形態のエジェクタ式冷凍サイクルの全体構成図である。
【図６２】（ａ）は、第４３実施形態の通常運転モードにおける冷媒の状態を示すモリエル線図であり、（ｂ）は、第４３実施形態の除霜運転モードにおける冷媒の状態を示すモリエル線図である。
【図６３】第４４実施形態のエジェクタ式冷凍サイクルの全体構成図である。
【図６４】（ａ）は、第４４実施形態の通常運転モードにおける冷媒の状態を示すモリエル線図であり、（ｂ）は、第４４実施形態の除霜運転モードにおける冷媒の状態を示すモリエル線図である。
【図６５】第４５実施形態のエジェクタ式冷凍サイクルの全体構成図である。
【図６６】（ａ）は、第４５実施形態の通常運転モードにおける冷媒の状態を示すモリエル線図であり、（ｂ）は、第４５実施形態の除霜運転モードにおける冷媒の状態を示すモリエル線図である。
【図６７】第４６実施形態のエジェクタ式冷凍サイクルの全体構成図である。
【図６８】（ａ）は、第４６実施形態の通常運転モードにおける冷媒の状態を示すモリエル線図であり、（ｂ）は、第４６実施形態の除霜運転モードにおける冷媒の状態を示すモリエル線図である。
【図６９】第４７実施形態のエジェクタ式冷凍サイクルの全体構成図である。
【図７０】（ａ）は、第４７実施形態の通常運転モードにおける冷媒の状態を示すモリエル線図であり、（ｂ）は、第４７実施形態の除霜運転モードにおける冷媒の状態を示すモリエル線図である。
【図７１】第４８実施形態のエジェクタ式冷凍サイクルの全体構成図である。
【図７２】（ａ）は、第４８実施形態の冷却運転モードにおける冷媒の状態を示すモリエル線図であり、（ｂ）は、第４８実施形態の加熱運転モードにおける冷媒の状態を示すモリエル線図である。
【図７３】第４９実施形態のエジェクタ式冷凍サイクルの全体構成図である。
【図７４】（ａ）は、第４９実施形態の冷却運転モードにおける冷媒の状態を示すモリエル線図であり、（ｂ）は、第４９実施形態の加熱運転モードにおける冷媒の状態を示すモリエル線図である。
【図７５】第５０実施形態のエジェクタ式冷凍サイクルの全体構成図である。
【図７６】（ａ）は、第５０実施形態の冷却運転モードにおける冷媒の状態を示すモリエル線図であり、（ｂ）は、第５０実施形態の加熱運転モードにおける冷媒の状態を示すモリエル線図である。
【図７７】第５１実施形態のエジェクタ式冷凍サイクルの全体構成図である。
【図７８】（ａ）は、第５１実施形態の冷却運転モードにおける冷媒の状態を示すモリエル線図であり、（ｂ）は、第５１実施形態の加熱運転モードにおける冷媒の状態を示すモリエル線図である。
【図７９】第５２実施形態のエジェクタ式冷凍サイクルの全体構成図である。
【図８０】（ａ）は、第５２実施形態の冷却運転モードにおける冷媒の状態を示すモリエル線図であり、（ｂ）は、第５２実施形態の加熱運転モードにおける冷媒の状態を示すモリエル線図である。
【図８１】第５３実施形態のエジェクタ式冷凍サイクルの全体構成図である。
【図８２】（ａ）は、第５３実施形態の冷却運転モードにおける冷媒の状態を示すモリエル線図であり、（ｂ）は、第５３実施形態の加熱運転モードにおける冷媒の状態を示すモリエル線図である。
【図８３】第５４実施形態のエジェクタ式冷凍サイクルの全体構成図である。
【図８４】第５４実施形態のエジェクタ式冷凍サイクルの冷媒の状態を示すモリエル線図である。
【図８５】第５５実施形態のエジェクタ式冷凍サイクルの全体構成図である。
【図８６】第５５実施形態のエジェクタ式冷凍サイクルの冷媒の状態を示すモリエル線図である。
【図８７】第５６実施形態のエジェクタ式冷凍サイクルの全体構成図である。
【図８８】第５６実施形態のエジェクタ式冷凍サイクルの冷媒の状態を示すモリエル線図である。
【図８９】第５７実施形態のエジェクタ式冷凍サイクルの全体構成図である。
【図９０】第５７実施形態のエジェクタ式冷凍サイクルの冷媒の状態を示すモリエル線図である。
【図９１】第５８実施形態のエジェクタ式冷凍サイクルの全体構成図である。
【図９２】（ａ）は、第５８実施形態の通常運転モードにおける冷媒の状態を示すモリエル線図であり、（ｂ）は、第５８実施形態のオイル戻し運転モードにおける冷媒の状態を示すモリエル線図である。
【図９３】第５９実施形態のエジェクタ式冷凍サイクルの全体構成図である。
【図９４】（ａ）は、第５９実施形態の通常運転モードにおける冷媒の状態を示すモリエル線図であり、（ｂ）は、第５９実施形態のオイル戻し運転モードにおける冷媒の状態を示すモリエル線図である。
【図９５】第６０実施形態のエジェクタ式冷凍サイクルの全体構成図である。
【図９６】第６０実施形態のエジェクタ式冷凍サイクルの冷媒の状態を示すモリエル線図である。
【図９７】第６１実施形態のエジェクタ式冷凍サイクルの全体構成図である。
【図９８】第６１実施形態のエジェクタ式冷凍サイクルの冷媒の状態を示すモリエル線図である。
【図９９】第６２実施形態のエジェクタ式冷凍サイクルの全体構成図である。
【図１００】第６３実施形態のエジェクタ式冷凍サイクルの全体構成図である。
【図１０１】第６４実施形態のエジェクタ式冷凍サイクルの全体構成図である。
【図１０２】第６５実施形態のエジェクタ式冷凍サイクルの全体構成図である。
【図１０３】第６６実施形態のエジェクタ式冷凍サイクルの全体構成図である。
【図１０４】第６７実施形態のエジェクタ式冷凍サイクルの全体構成図である。
【図１０５】第６８実施形態のエジェクタ式冷凍サイクルの全体構成図である。
【図１０６】第６９実施形態のエジェクタ式冷凍サイクルの全体構成図である。
【図１０７】第７０実施形態のエジェクタ式冷凍サイクルの全体構成図である。
【図１０８】第７１実施形態のエジェクタ式冷凍サイクルの全体構成図である。
【図１０９】第７２実施形態のエジェクタ式冷凍サイクルの全体構成図である。
【図１１０】第７３実施形態のエジェクタ式冷凍サイクルの全体構成図である。
【図１１１】第７４実施形態のエジェクタ式冷凍サイクルの全体構成図である。
【図１１２】第７５実施形態のエジェクタ式冷凍サイクルの全体構成図である。
【図１１３】第７６実施形態のエジェクタ式冷凍サイクルの全体構成図である。
【図１１４】第７７実施形態のエジェクタ式冷凍サイクルの全体構成図である。
【図１１５】第７８実施形態のエジェクタ式冷凍サイクルの全体構成図である。
【図１１６】第７９実施形態のエジェクタ式冷凍サイクルの全体構成図である。
【図１１７】第８０実施形態のエジェクタ式冷凍サイクルの全体構成図である。
【図１１８】第８０実施形態のエジェクタ式冷凍サイクルの冷媒の状態を示すモリエル線図である。
【図１１９】第８１実施形態のエジェクタ式冷凍サイクルの全体構成図である。
【図１２０】第８１実施形態のエジェクタ式冷凍サイクルの冷媒の状態を示すモリエル線図である。
【図１２１】第８２実施形態のエジェクタ式冷凍サイクルの全体構成図である。
【図１２２】第８２実施形態のエジェクタ式冷凍サイクルの冷媒の状態を示すモリエル線図である。
【図１２３】第８３実施形態のエジェクタ式冷凍サイクルの全体構成図である。
【図１２４】第８３実施形態のエジェクタ式冷凍サイクルの冷媒の状態を示すモリエル線図である。
【図１２５】第８４実施形態のエジェクタ式冷凍サイクルの全体構成図である。
【図１２６】第８４実施形態のエジェクタ式冷凍サイクルの冷媒の状態を示すモリエル線図である。
【図１２７】第８５実施形態のエジェクタ式冷凍サイクルの全体構成図である。
【図１２８】第８５実施形態のエジェクタ式冷凍サイクルの冷媒の状態を示すモリエル線図である。
【図１２９】第８６実施形態のエジェクタ式冷凍サイクルの冷媒の状態を示すモリエル線図である。
【図１３０】（ａ）は、第８６実施形態の通常運転モードにおける冷媒の状態を示すモリエル線図であり、（ｂ）は、第８６実施形態の除霜運転モードにおける冷媒の状態を示すモリエル線図である。
【図１３１】第８７実施形態のエジェクタ式冷凍サイクルの冷媒の状態を示すモリエル線図である。
【図１３２】（ａ）は、第８７実施形態の通常運転モードにおける冷媒の状態を示すモリエル線図であり、（ｂ）は、第８７実施形態の除霜運転モードにおける冷媒の状態を示すモリエル線図である。
【図１３３】第８８実施形態のエジェクタ式冷凍サイクルの冷媒の状態を示すモリエル線図である。
【図１３４】（ａ）は、第８８実施形態の通常運転モードにおける冷媒の状態を示すモリエル線図であり、（ｂ）は、第８８実施形態の除霜運転モードにおける冷媒の状態を示すモリエル線図である。
【図１３５】第８９実施形態のエジェクタ式冷凍サイクルの冷媒の状態を示すモリエル線図である。
【図１３６】（ａ）は、第８９実施形態の通常運転モードにおける冷媒の状態を示すモリエル線図であり、（ｂ）は、第８９実施形態の除霜運転モードにおける冷媒の状態を示すモリエル線図である。
【図１３７】第９０実施形態のエジェクタ式冷凍サイクルの冷媒の状態を示すモリエル線図である。
【図１３８】（ａ）は、第９０実施形態の通常運転モードにおける冷媒の状態を示すモリエル線図であり、（ｂ）は、第９０実施形態の除霜運転モードにおける冷媒の状態を示すモリエル線図である。
【図１３９】第９１実施形態のエジェクタ式冷凍サイクルの冷媒の状態を示すモリエル線図である。
【図１４０】（ａ）は、第９１実施形態の通常運転モードにおける冷媒の状態を示すモリエル線図であり、（ｂ）は、第９１実施形態の除霜運転モードにおける冷媒の状態を示すモリエル線図である。
【図１４１】第９２実施形態のエジェクタ式冷凍サイクルの冷媒の状態を示すモリエル線図である。
【図１４２】（ａ）は、第９２実施形態の通常運転モードにおける冷媒の状態を示すモリエル線図であり、（ｂ）は、第９２実施形態の除霜運転モードにおける冷媒の状態を示すモリエル線図である。
【図１４３】第９３実施形態のエジェクタ式冷凍サイクルの冷媒の状態を示すモリエル線図である。
【図１４４】（ａ）は、第９３実施形態の通常運転モードにおける冷媒の状態を示すモリエル線図であり、（ｂ）は、第９３実施形態の除霜運転モードにおける冷媒の状態を示すモリエル線図である。
【図１４５】第９４実施形態のエジェクタ式冷凍サイクルの冷媒の状態を示すモリエル線図である。
【図１４６】（ａ）は、第９４実施形態の通常運転モードにおける冷媒の状態を示すモリエル線図であり、（ｂ）は、第９４実施形態の除霜運転モードにおける冷媒の状態を示すモリエル線図である。
【図１４７】第９５実施形態のエジェクタ式冷凍サイクルの全体構成図である。
【図１４８】（ａ）は、第９５実施形態の冷却運転モードにおける冷媒の状態を示すモリエル線図であり、（ｂ）は、第９５実施形態の加熱運転モードにおける冷媒の状態を示すモリエル線図である。
【図１４９】第９６実施形態のエジェクタ式冷凍サイクルの全体構成図である。
【図１５０】（ａ）は、第９６実施形態の冷却運転モードにおける冷媒の状態を示すモリエル線図であり、（ｂ）は、第９６実施形態の加熱運転モードにおける冷媒の状態を示すモリエル線図である。
【図１５１】第９７実施形態のエジェクタ式冷凍サイクルの全体構成図である。
【図１５２】（ａ）は、第９７実施形態の冷却運転モードにおける冷媒の状態を示すモリエル線図であり、（ｂ）は、第９７実施形態の加熱運転モードにおける冷媒の状態を示すモリエル線図である。
【図１５３】第９８実施形態のエジェクタ式冷凍サイクルの全体構成図である。
【図１５４】（ａ）は、第９８実施形態の冷却運転モードにおける冷媒の状態を示すモリエル線図であり、（ｂ）は、第９８実施形態の加熱運転モードにおける冷媒の状態を示すモリエル線図である。
【図１５５】第９９実施形態のエジェクタ式冷凍サイクルの全体構成図である。
【図１５６】（ａ）は、第９９実施形態の冷却運転モードにおける冷媒の状態を示すモリエル線図であり、（ｂ）は、第９９実施形態の加熱運転モードにおける冷媒の状態を示すモリエル線図である。
【図１５７】第１００実施形態のエジェクタ式冷凍サイクルの全体構成図である。
【図１５８】（ａ）は、第１００実施形態の冷却運転モードにおける冷媒の状態を示すモリエル線図であり、（ｂ）は、第１００実施形態の加熱運転モードにおける冷媒の状態を示すモリエル線図である。
【図１５９】第１０１実施形態のエジェクタ式冷凍サイクルの全体構成図である。
【図１６０】第１０１実施形態のエジェクタ式冷凍サイクルの冷媒の状態を示すモリエル線図である。
【図１６１】第１０２実施形態のエジェクタ式冷凍サイクルの全体構成図である。
【図１６２】第１０２実施形態のエジェクタ式冷凍サイクルの電気制御系のブロック図である。
【図１６３】第１０３実施形態のエジェクタ式冷凍サイクルの第１圧力差、第２圧力差およびＣＯＰの関係を示す説明図である。
【図１６４】第１０４実施形態のエジェクタ式冷凍サイクルのノズル部へ流入する冷媒の乾き度Ｘ０とＣＯＰとの関係を示すグラフである。
【図１６５】第１０５実施形態のエジェクタ式冷凍サイクルの全体構成図である。
【図１６６】第１０５実施形態のエジェクタ式冷凍サイクルの冷媒の状態を示すモリエル線図である。
【図１６７】第１０６実施形態のエジェクタ式冷凍サイクルの全体構成図である。
【図１６８】第１０６実施形態のエジェクタ式冷凍サイクルの冷媒の状態を示すモリエル線図である。
【図１６９】第１０７実施形態のエジェクタ式冷凍サイクルの全体構成図である。
【図１７０】第１０７実施形態のエジェクタ式冷凍サイクルの冷媒の状態を示すモリエル線図である。
【図１７１】第１０８実施形態のエジェクタ式冷凍サイクルの全体構成図である。
【図１７２】第１０８実施形態のエジェクタ式冷凍サイクルの冷媒の状態を示すモリエル線図である。
【図１７３】第１０９実施形態のエジェクタ式冷凍サイクルの全体構成図である。
【図１７４】第１０９実施形態のエジェクタ式冷凍サイクルの冷媒の状態を示すモリエル線図である。
【図１７５】第１１０実施形態のエジェクタ式冷凍サイクルの全体構成図である。
【図１７６】第１１０実施形態のエジェクタ式冷凍サイクルの冷媒の状態を示すモリエル線図である。
【図１７７】第１１１実施形態のエジェクタ式冷凍サイクルの全体構成図である。
【図１７８】第１１１実施形態のエジェクタ式冷凍サイクルの冷媒の状態を示すモリエル線図である。
【図１７９】第１１２実施形態のエジェクタ式冷凍サイクルの全体構成図である。
【図１８０】第１１２実施形態のエジェクタ式冷凍サイクルの電気制御系のブロック図である。
【図１８１】第１１３実施形態のエジェクタ式冷凍サイクルの全体構成図である。
【図１８２】第１１３実施形態のエジェクタ式冷凍サイクルの電気制御系のブロック図である。
【図１８３】先願例のエジェクタ式冷凍サイクルの全体構成図である。
【発明を実施するための形態】
【０１３６】
（第１実施形態）
図１、２により、本発明のエジェクタ式冷凍サイクルを冷凍機に適用した例を説明する。この冷凍機は、冷却対象空間である冷凍庫内を−３０〜−１０℃程度の極低温まで冷却するものである。図１は、本実施形態のエジェクタ式冷凍サイクル１００の全体構成図である。
【０１３７】
エジェクタ式冷凍サイクル１００において、第１圧縮機１１は、冷媒を吸入し、圧縮して吐出するもので、吐出容量が固定された第１圧縮手段１１ａを第１電動モータ１１ｂにて駆動する電動圧縮機である。第１圧縮手段１１ａとしては、具体的に、スクロール型圧縮手段、ベーン型圧縮手段等の各種圧縮手段を採用できる。
【０１３８】
第１電動モータ１１ｂは、後述する制御装置から出力される制御信号によって、その作動（回転数）が制御されるもので、交流モータ、直流モータのいずれの形式を採用してもよい。そして、この回転数制御によって、第１圧縮手段１１ａの冷媒吐出能力が変更される。従って、本実施形態の第１電動モータ１１ｂは、第１圧縮手段１１ａの冷媒吐出能力を変更する第１吐出能力変更手段を構成している。
【０１３９】
第１圧縮機１１の吐出口側には、放熱器１２が接続されている。放熱器１２は第１圧縮機１１から吐出された高圧冷媒と冷却ファン１２ａにより送風される庫外空気（外気）とを熱交換させることによって、高圧冷媒を放熱させて冷却する放熱用熱交換器である。冷却ファン１２ａは、制御装置から出力される制御電圧によって回転数（送風空気量）が制御される電動式送風機である。
【０１４０】
そして、この回転数制御による送風空気量の増減に伴って、放熱器１２の放熱能力も増減する。さらに、本実施形態の放熱器１２は、冷却ファン１２ａを停止させると、ほぼ放熱能力を発揮しない状態となる。従って、本実施形態の冷却ファン１２ａは、放熱器１２の放熱能力を調整する放熱能力調整手段を構成している。
【０１４１】
なお、本実施形態のエジェクタ式冷凍サイクル１００では、冷媒として通常のフロン系冷媒を採用し、高圧側冷媒圧力が冷媒の臨界圧力を超えない亜臨界冷凍サイクルを構成している。従って、放熱器１２は冷媒を凝縮させる凝縮器として機能する。また、この冷媒には第１、第２圧縮手段１１ａ、２１ａを潤滑するための液相冷媒に対して溶解性を有する冷凍機油が混入されており、冷凍機油は冷媒とともにサイクルを循環している。
【０１４２】
放熱器１２の出口側には、放熱器１２から流出した高圧冷媒の流れを分岐する第１分岐部１３が接続されている。第１分岐部１３は、３つの流入出口を有する三方継手で構成されており、３つの流入出口のうち１つを冷媒流入口とし、２つを冷媒流出口としたものである。
【０１４３】
このような三方継手は、管径の異なる配管を接合して構成してもよいし、金属ブロックや樹脂ブロックに通路径の異なる複数の冷媒通路を設けて構成してもよい。第１分岐部１３の一方の冷媒流出口には、高圧側減圧手段としての温度式膨張弁１４が接続され、他方の冷媒流出口には、後述する内部熱交換器１５の高圧側冷媒流路１５ａが接続されている。
【０１４４】
温度式膨張弁１４は、第１圧縮手段１１ａ吸入側に設けられた感温部（図示せず）を有しており、第１圧縮手段１１ａ吸入側冷媒の温度と圧力とに基づいて、第１圧縮手段１１ａ吸入側冷媒の過熱度を検出し、この過熱度が予め設定された所定値となるように機械的機構により弁開度（冷媒流量）を調整する可変絞り機構である。
【０１４５】
温度式膨張弁１４の出口側には、内部熱交換器１５の中間圧側冷媒流路１５ｂが接続されている。内部熱交換器１５は、高圧側冷媒流路１５ａを通過する第１分岐部１３にて分岐された他方の冷媒と中間圧側冷媒流路１５ｂを通過する温度式膨張弁１４下流側冷媒との間で熱交換を行うものである。
【０１４６】
より具体的には、本実施形態における温度式膨張弁１４下流側冷媒は、温度式膨張弁１４にて減圧膨張された冷媒のうち、後述する合流部１６上流側の冷媒である。従って、第１分岐部１３にて温度式膨張弁１４側へ流入した冷媒は、温度式膨張弁１４→内部熱交換器１５の中間圧側冷媒流路１５ｂ→合流部１６の順に流れる。
【０１４７】
また、内部熱交換器１５の具体的構成としては、高圧側冷媒流路１５ａを形成する外側管の内側に中間圧側冷媒流路１５ｂを形成する内側管を配置する二重管方式の熱交換器構成を採用している。もちろん、高圧側冷媒流路１５ａを内側管として、中間圧側冷媒流路１５ｂを外側管としてもよい。さらに、高圧側冷媒流路１５ａと中間圧側冷媒流路１５ｂとを形成する冷媒配管同士をろう付け接合して熱交換させる構成等を採用してもよい。
【０１４８】
内部熱交換器１５の中間圧側冷媒流路１５ｂの出口側には、合流部１６の冷媒流入口が接続されている。合流部１６は、内部熱交換器１５の中間圧側冷媒流路１５ｂから流出した冷媒の流れと後述する第２圧縮機２１の第２圧縮手段２１ａ吐出冷媒の流れとを合流させて、第１圧縮手段１１ａ吸入側へ流出させるものである。
【０１４９】
この合流部１６の基本的構成は、第１分岐部１３と同様である。つまり、合流部１６では、三方継手の３つの流入出口のうち２つを冷媒流入口とし、１つを冷媒流出口としている。
【０１５０】
内部熱交換器１５の高圧側冷媒流路１５ａの出口側には、図１に示すように、後述するエジェクタ１９のノズル部１９ａへ流入する冷媒を中間圧冷媒となるまで減圧膨張させるノズル前減圧手段としての、第１固定絞り１７が接続されている。この第１固定絞り１７としては、キャピラリチューブ、オリフィス等の固定絞り機構を採用できる。
【０１５１】
第１固定絞り１７の出口側には、第１分岐部１３にて分岐された他方の冷媒の流れ、すなわち第１分岐部１３にて分岐されて第１固定絞り１７にて減圧膨張された冷媒の流れを分岐する第２分岐部１８が接続されている。この第２分岐部１８の基本的構成は、第１分岐部１３と同様である。
【０１５２】
第２分岐部１８の一方の冷媒流出口には、エジェクタ１９のノズル部１９ａ入口側が接続され、他方の冷媒流出口には、後述する吸引側減圧手段としての第２固定絞り２２が接続されている。エジェクタ１９は、冷媒を減圧膨張させる冷媒減圧手段であるとともに、高速で噴出する冷媒流の吸引作用によって冷媒の循環を行う冷媒循環手段もある。
【０１５３】
具体的には、エジェクタ１９は、第２分岐部１８にて分岐された一方の中間圧冷媒の通路面積を小さく絞って、中間圧冷媒を等エントロピ的に減圧膨張させるノズル部１９ａ、ノズル部１９ａの冷媒噴射口と連通するように配置されて後述する吸引側蒸発器２３から流出した冷媒を吸引する冷媒吸引口１９ｂ等を有して構成される。
【０１５４】
さらに、ノズル部１９ａおよび冷媒吸引口１９ｂの冷媒流れ下流側部位には、ノズル部１９ａから噴射する高速度の噴射冷媒と冷媒吸引口１９ｂからの吸引冷媒とを混合して昇圧させるディフューザ部１９ｃが設けられている。
【０１５５】
ディフューザ部１９ｃは冷媒通路面積を徐々に大きくする形状に形成されており、冷媒流れを減速して冷媒圧力を上昇させる作用、つまり、冷媒の速度エネルギを圧力エネルギに変換する作用を果たす。もちろん、噴射冷媒と吸引冷媒とを混合させる混合部を設け、混合された冷媒をディフューザ部１９ｃへ流入させるようにしてもよい。
【０１５６】
エジェクタ１９の出口側（具体的には、ディフューザ部１９ｃの出口側）には、流出側蒸発器２０が接続されている。流出側蒸発器２０は、エジェクタ１９のディフューザ部１９ｃから流出した冷媒と送風ファン２０ａによって循環送風される冷凍庫内空気とを熱交換させることによって、低圧冷媒を蒸発させて吸熱作用を発揮させる吸熱用熱交換器である。従って、流出側蒸発器２０における熱交換対象流体は、冷凍庫内空気である。
【０１５７】
流出側蒸発器２０の出口側には、第２圧縮機２１の吸入口が接続されている。第２圧縮機２１の基本的構成は第１圧縮機１１と同様である。従って、第２圧縮機２１は、固定容量型の第２圧縮手段２１ａを第２電動モータ２１ｂにて駆動する電動圧縮機である。さらに、本実施形態の第２電動モータ２１ｂは、第２圧縮手段２１ａの冷媒吐出能力を変更する第２吐出能力変更手段を構成している。
【０１５８】
また、前述の如く、第２圧縮機２１の吐出口には、合流部１６の冷媒流入口が接続され、合流部１６の冷媒流出口には、第１圧縮手段１１ａの吸入口が接続されている。
【０１５９】
第２分岐部１８の他方の冷媒流出口には、図１に示すように、第２固定絞り２２が接続されている。第２固定絞り２２の基本的構成は、第１固定絞り１７と同様である。この第２固定絞り２２は、第２分岐部１８にて分岐された他方の冷媒を減圧膨張させるもので、その出口側に接続された吸引側蒸発器２３へ流入する冷媒を減圧膨張させる吸引側減圧手段としての機能を果たす。
【０１６０】
吸引側蒸発器２３は、固定絞り２２にて減圧膨張された低圧冷媒と送風ファン２０ａから循環送風された流出側蒸発器２０通過後の庫内空気とを熱交換させることによって、冷媒を蒸発させて吸熱作用を発揮させる吸熱用熱交換器である。吸引側蒸発器２３の出口側には、エジェクタ１９の冷媒吸引口１９ｂが接続されている。
【０１６１】
なお、本実施形態では、流出側蒸発器２０および吸引側蒸発器２３をフィンアンドチューブ構造の熱交換器で構成し、流出側蒸発器２０および吸引側蒸発器２３の熱交換フィンを共通化している。そして、エジェクタ１９から流出した冷媒を流通させるチューブ構成と、固定絞り２２から流出した冷媒を流通させるチューブ構成とを互いに独立に設けることで、流出側蒸発器２０および吸引側蒸発器２３を一体構造に構成している。
【０１６２】
そのため、送風ファン２０ａにて送風された室外空気は、まず、流出側蒸発器２０にて吸熱され、次に吸引側蒸発器２３にて吸熱されるようになっている。もちろん、流出側蒸発器２０および吸引側蒸発器２３を一体構造とする際に、双方の蒸発器の構成部品をアルミニウムで構成し、ろう付け等の接合手段により一体構造に接合してもよい。さらに、ボルト締め等の機械的係合手段によって一体的に結合する構成を採用してもよい。
【０１６３】
図示しない制御装置は、ＣＰＵ、ＲＯＭおよびＲＡＭ等を含む周知のマイクロコンピュータとその周辺回路から構成される。この制御装置は、そのＲＯＭ内に記憶された制御プログラムに基づいて各種演算、処理を行って、上述の各種電気式のアクチュエータ１１ａ、１２ａ、２０ａ、２１ａ等の作動を制御する制御手段である。
【０１６４】
従って、この制御装置は、第１吐出能力変更手段である第１電動モータ１１ｂの作動を制御する第１吐出能力制御手段としての機能、第２吐出能力変更手段である第２電動モータ２１ｂの作動を制御する第２吐出能力制御手段、そして、放熱能力調整手段である冷却ファン１２ａの作動を制御する放熱能力制御手段としての機能を兼ね備えている。
【０１６５】
もちろん、第１吐出能力制御手段、第２吐出能力制御手段および放熱能力制御手段を異なる制御装置で構成してもよい。また、制御装置には、外気温を検出する外気センサ、庫内温度を検出する庫内温度センサ等の図示しないセンサ群の検出値や、冷凍機を作動させる作動スイッチ、等が設けられた図示しない操作パネルの各種操作信号が入力される。
【０１６６】
次に、上記構成における本実施形態の作動を図２のモリエル線図に基づいて説明する。操作パネルの作動スイッチが投入されると、制御装置が第１、第２電動モータ１１ｂ、２１ｂ、冷却ファン１２ａ、送風ファン２０ａを作動させる。これにより、圧縮機１０が冷媒を吸入し、高圧冷媒となるまで圧縮して吐出する（図２（ａ）のａ2点）。
【０１６７】
第１圧縮機１１から吐出された高温高圧の気相冷媒は、放熱器１２へ流入し、冷却ファン１２ａから送風された送風空気（外気）と熱交換して放熱して凝縮する（ａ2点→ｂ2点）。放熱器１２から流出した冷媒の流れは、第１分岐部１３にて温度式膨張弁１４側へ流出する流れと、内部熱交換器１５の高圧側冷媒流路１５ａ側へ流出する流れとに分流される。
【０１６８】
温度式膨張弁１４へ流入した冷媒は、中間圧冷媒となるまで等エンタルピ的に減圧膨張されて気液二相状態となる（ｂ2点→ｃ2点）。この際、温度式膨張弁１４の弁開度は、第１圧縮機１１吸入側冷媒の過熱度（ｅ2点）が予め定めた所定値となるように調整される。温度式膨張弁１４から流出した中間圧冷媒は、内部熱交換器１５の中間圧側冷媒流路１５ｂへ流入する。
【０１６９】
内部熱交換器１５の中間圧側冷媒流路１５ｂへ流入した中間圧冷媒は、第１分岐部１３から高圧側冷媒流路１５ａへ流入した高圧冷媒と熱交換して、そのエンタルピを増加させる（ｃ2点→ｄ2点）。中間圧側冷媒流路１５ｂから流出した冷媒は、合流部１６にて第２圧縮機２１吐出冷媒（ｌ2）と合流して（ｄ2点→ｅ2点）、第１圧縮機１１に吸入されて再び圧縮される（ｅ2点→ａ2点）。
【０１７０】
一方、第１分岐部１３から内部熱交換器１５の高圧側冷媒流路１５ａへ流入した冷媒は、そのエンタルピを減少させて（ｂ2点→ｆ2点）、第１固定絞り１７へ流入する。第１固定絞り１７へ流入した冷媒は、等エンタルピ的に減圧膨張して、気液二相状態となる（ｆ2点→ｇ2点）。
【０１７１】
第１固定絞り１７から流出した冷媒の流れは、第２分岐部１８にてエジェクタ１９のノズル部１９ａ側へ流出する流れと、第２固定絞り２２側へ流出する流れとに分流される。
【０１７２】
この際、第２分岐部１８では、第２固定絞り２２側へ流入する減圧手段側冷媒流量Ｇｅとノズル部１９ａ側へ流入するノズル側冷媒流量Ｇｎｏｚとの流量比Ｇｎｏｚ／Ｇｅが、サイクル全体として高いＣＯＰを発揮できる最適流量比となるように、第２分岐部１８、ノズル部１９ａおよび第２固定絞り２２の流量特性（圧力損失特性）が決定されている。
【０１７３】
第２分岐部１８からエジェクタ１９のノズル部１９ａへ流入した冷媒は、ノズル部１９ａにて、等エントロピ的に減圧膨張する（ｇ2点→ｈ2点）。そして、この減圧膨張時に冷媒の圧力エネルギが速度エネルギに変換されて、冷媒がノズル部１９ａの冷媒噴射口から高速度となって噴射される。この噴射冷媒の冷媒吸引作用により、冷媒吸引口１９ｂから吸引側蒸発器２３流出冷媒が吸引される。
【０１７４】
さらに、ノズル部１９ａから噴射された噴射冷媒と冷媒吸引口１９ｂから吸引された吸引冷媒がエジェクタ１９のディフューザ部１９ｃにて混合され（ｈ2点→ｉ2点、ｎ2点→ｉ2点）、昇圧される（ｉ2点→ｊ2点）。つまり、ディフューザ部１９ｃでは通路面積の拡大により、冷媒の速度エネルギが圧力エネルギに変換されるため、冷媒の圧力が上昇する。
【０１７５】
ディフューザ部１９ｃから流出した冷媒は、流出側蒸発器２０へ流入して、送風ファン２０ａにより循環送風される庫内空気から吸熱して蒸発する（ｊ2点→ｋ2点）。これにより、庫内送風空気が冷却される。そして、吸引側蒸発器２３から流出した冷媒は、第２圧縮機２１に吸入され、中間圧となるまで圧縮される（ｋ2点→ｌ2点）。
【０１７６】
この際、制御装置は、第２圧縮機２１の吸引作用によって、エジェクタ１９の下流側から冷媒を吸入して、エジェクタ１９の駆動流の流量低下を抑制して、エジェクタ１９に吸引作用を発揮させることができるように、第２圧縮機２１の第２電動モータ２１ｂの作動を制御する。
【０１７７】
さらに、第２圧縮機２１の冷媒吐出能力に応じて、サイクルの高圧側冷媒圧力、すなわち第１圧縮機１１の吐出冷媒圧力が不必要に上昇しないように、第１圧縮機１１の第１電動モータ１１ｂの作動を制御する。第２圧縮機２１から吐出された冷媒は、前述の如く、合流部２０にて内部熱交換器１５の中間圧側冷媒流路１５ｂから流出した冷媒と合流して（ｌ2点→ｅ2点）、第１圧縮機１１に吸入される。
【０１７８】
一方、第２分岐部１８から固定絞り２２側へ流入した冷媒は、さらに低圧冷媒となるまで等エンタルピ的に減圧膨張される（ｇ2点→ｍ2点）。固定絞り２２にて減圧膨張された低圧冷媒は、吸引側蒸発器２３へ流入し、送風ファン２０ａから送風された流出側蒸発器２０通過後の庫内送風空気から吸熱して蒸発する（ｍ2点→ｎ2点）。
【０１７９】
これにより、庫内送風空気がさらに冷却される。そして、吸引側蒸発器２３から流出した冷媒は、前述の如く、冷媒吸引口１９ｂからエジェクタ１９内へ吸引される（ｎ2点→ｉ2点）。
【０１８０】
本実施形態のエジェクタ式冷凍サイクル１００は、上述の如く作動するので、以下のような優れた効果を得ることができる。
【０１８１】
（Ａ）第２分岐部１８において、流量比Ｇｎｏｚ／Ｇｅが最適流量比となるように、冷媒の流れを分流しているので、流出側蒸発器２０および吸引側蒸発器２３の双方へ適切に冷媒を供給できる。従って、流出側蒸発器２０および吸引側蒸発器２３の双方で同時に冷却作用を発揮できる。
【０１８２】
この際、吸引側蒸発器２３の冷媒蒸発圧力は第２固定絞り２２にて減圧された後の圧力となり、流出側蒸発器２０の冷媒蒸発圧力は、吸引側蒸発器２３の冷媒蒸発圧力をディフューザ部１９ｃで昇圧した後の圧力となる。従って、流出側蒸発器２０の冷媒蒸発温度よりも吸引側蒸発器２３の冷媒蒸発温度を低くすることができる。
【０１８３】
そして、送風ファン２０ａの送風空気の流れ方向に対して、冷媒蒸発温度が高い流出側蒸発器２０を上流側に配置し、冷媒蒸発温度が低い吸引側蒸発器２３を下流側に配置しているので、流出側蒸発器２０における冷媒蒸発温度と送風空気との温度差および吸引側蒸発器２３における冷媒蒸発温度と送風空気との温度差を確保できる。その結果、流出側蒸発器２０および吸引側蒸発器２３の双方における熱交換効率を向上できる。
【０１８４】
（Ｂ）エジェクタ１９の駆動流が流量低下するような運転条件、すなわち、エジェクタ１９の吸引能力が低下するような運転条件となっても、第２圧縮機２１（第２圧縮手段２１ａ）の吸引作用によって、エジェクタ１９のディフューザ部１９ｃの下流側から冷媒を吸入して、エジェクタ１９の駆動流の流量低下を抑制できる。従って、エジェクタ１９の吸引能力を補助して、エジェクタ式冷凍サイクルを安定して作動させることができる。
【０１８５】
第２圧縮機２１の冷媒吐出能力を増加させたとしても、第１圧縮手段１１ａの冷媒吐出能力を調整することができるので、サイクルの高圧側冷媒圧力が不必要に上昇してしまうことを回避できる。従って、不必要にＣＯＰを低下させてしまうことがない。その結果、駆動流の流量変動が生じ得る運転条件であっても、ＣＯＰを低下させることなく、エジェクタ式冷凍サイクルを安定して作動させることができる。
【０１８６】
このような効果は、高圧冷媒と低圧冷媒との圧力差が大きい冷凍サイクル装置、例えば、本実施形態のように、冷却対象空間である冷凍庫内温度を極低温（例えば、−３０℃〜−１０程度）まで低下させる冷凍サイクル装置において、極めて有効である。
【０１８７】
（Ｃ）第１圧縮機１１→放熱器１２→第１分岐部１３→温度式膨張弁１４→内部熱交換器１５の中間圧側冷媒流路１５ｂ→合流部１６→第１圧縮機１１の順に冷媒を循環させる冷凍サイクルを、内部熱交換器１５によって、吸引側蒸発器２３および流出側蒸発器２０へ流入する冷媒を冷却するために利用している。
【０１８８】
従って、吸引側蒸発器２３および流出側蒸発器２０へ流入する冷媒のエンタルピを減少させて、吸引側蒸発器２３および流出側蒸発器２０にて発揮できる冷凍能力を増大させることができ、ＣＯＰを向上させることができる。
【０１８９】
（Ｄ）流出側蒸発器２０および吸引側蒸発器２３といった蒸発器を通過する冷媒は、第１圧縮機１１→放熱器１２→第１分岐部１３→内部熱交換器１５の高圧側冷媒流路１５ａ→第１固定絞り１７→第２分岐部１８→エジェクタ１９→流出側蒸発器２０→第２圧縮機２１→合流部１６→第１圧縮機１１の順に流れ、さらに、第１圧縮機１１→放熱器１２→第１分岐部１３→内部熱交換器１５の高圧側冷媒流路１５ａ→第１固定絞り１７→第２分岐部１８→第２固定絞り２２→吸引側蒸発器２３→エジェクタ１９→流出側蒸発器２０→第２圧縮機２１→合流部１６→第１圧縮機１１（第１圧縮手段１１ａ）の順に流れる。
【０１９０】
つまり、流出側蒸発器２０および吸引側蒸発器２３といった蒸発器を通過する冷媒の流れが環状となるので、冷媒に第１、第２圧縮機１１、２１の潤滑用のオイル（冷凍機油）を混入させても、このオイルが流出側蒸発器２０および吸引側蒸発器２３内等に滞留してしまうことを回避できる。その結果、エジェクタ式冷凍サイクルを安定して作動させることができる。
【０１９１】
（Ｅ）第１圧縮手段１１ａに、合流部１６にて合流した中間圧気相冷媒を吸入させることができるので、第２圧縮手段２１ａ吐出冷媒のみを吸入させる場合に対して、第１圧縮手段１１ａにおいて冷媒を等エントロピ的に圧縮する際の圧縮仕事量を低減させて、より一層、ＣＯＰを向上できる。
【０１９２】
（Ｆ）第１固定絞り１７にて減圧された冷媒（図２のｇ2点）が気液二相状態となるので、エジェクタ１９のノズル部１９ａへ気液二相状態の冷媒を流入させることができる。従って、ノズル部１９ａへ液相冷媒を流入させる場合に対して、ノズル部１９ａにおける冷媒の沸騰を促進させることができ、ノズル効率を向上させることができる。
【０１９３】
従って、回収エネルギ量を増加させて、ディフューザ部１９ｃにおける昇圧量を増加させることができるので、より一層、ＣＯＰを向上できる。さらに、ノズル部１９ａへ液相冷媒を流入させる場合に対して、ノズル部１９ａの冷媒通路面積を拡大することができるので、ノズル部１９ａの加工が容易となる。その結果、エジェクタ１９の製造コストを低減して、エジェクタ式冷凍サイクル１００全体としての製造コストを低減できる。
【０１９４】
（第２実施形態）
本実施形態では、図３の全体構成図に示すように、第１実施形態のエジェクタ式冷凍サイクル１００に対して、補助内部熱交換器２５を追加するとともに、流出側蒸発器２０を廃止した例を説明する。なお、図３では、第１実施形態と同一もしくは均等部分には同一の符号を付している。このことは、以下の図面においても同様である。
【０１９５】
本実施形態の補助内部熱交換器２５の基本的構成は、第１実施形態の内部熱交換器１５と同様である。この補助内部熱交換器２５は、高圧側冷媒流路２５ａを通過する第１分岐部１３から内部熱交換器１５側へ流出した冷媒と、低圧側冷媒流路２５ｂを通過するエジェクタ１９のディフューザ部１９ｃから流出した冷媒との間で熱交換を行うものである。
【０１９６】
より具体的には、本実施形態における高圧側冷媒流路２５ａを通過する冷媒は、内部熱交換器１５の高圧側冷媒流路１５ａ出口側から第１固定絞り１７へ至る冷媒流路を流通する冷媒である。従って、第１分岐部１３から内部熱交換器１５側へ流出した冷媒は、内部熱交換器１５→補助内部熱交換器２５→第１固定絞り１７の順に流れる。その他の構成は、第１実施形態と同様である。
【０１９７】
次に、上記構成における本実施形態の作動を図４のモリエル線図に基づいて説明する。なお、図４における冷媒の状態を示す符号は、図２における同様の冷媒の状態を示す符号と同一の符号を用いるとともに添字のみを変更している。このことは、以下の実施形態におけるモリエル線図においても同様である。
【０１９８】
本実施形態のエジェクタ式冷凍サイクル１００作動させると、ディフューザ部１９ｃから流出した冷媒が補助内部熱交換器２５の低圧側冷媒流路２５ｂにて蒸発して、第２圧縮機２１へ吸入される冷媒のエンタルピが増加する（図４のｊ4点→ｋ4点）。さらに、内部熱交換器１５の高圧側冷媒流路１５ａから流出した冷媒が補助内部熱交換器２５の高圧側冷媒流路２５ｂにて放熱し、そのエンタルピが減少する（図４のｆ4点→ｆ’4点）。
【０１９９】
その他の作動は、第１実施形態と同様である。従って、本実施形態では、吸引側蒸発器２３にて冷却作用を発揮できるだけでなく、第１実施形態の（Ｂ）〜（Ｆ）と同様の効果を得ることができる。さらに、補助内部熱交換器２５の作用によって、吸引側蒸発器２３流入冷媒のエンタルピを減少させて、吸引側蒸発器２３にて発揮できる冷凍能力を増大させることができるので、より一層、ＣＯＰを向上できる。
【０２００】
さらに、本実施形態では、第１分岐部１３から内部熱交換器１５側へ流出した冷媒を内部熱交換器１５→補助内部熱交換器２５→第１固定絞り１７の順に通過させているので、効率的に吸引側蒸発器２３流入冷媒のエンタルピを減少させることができる。その理由は、内部熱交換器１５の中間圧側冷媒流路１５ｂを流れる中間圧冷媒に対して、補助内部熱交換器２５の低圧側冷媒流路２５ｂを流れる低圧冷媒の温度が低くなるからである。
【０２０１】
もちろん、中間圧冷媒と低圧冷媒との温度差が小さくなる場合等には、第１分岐部１３から内部熱交換器１５側へ流出した冷媒を補助内部熱交換器２５の高圧側冷媒流路２５ａ→内部熱交換器１５の高圧側冷媒流路１５ａ→第１固定絞り１７の順に通過させてもよい。
【０２０２】
（第３実施形態）
本実施形態では、図５の全体構成図に示すように、第１実施形態のエジェクタ式冷凍サイクル１００に対して、補助放熱器２４を追加した例を説明する。補助放熱器２４は、第１分岐部１３から内部熱交換器１５側へ流出した高圧冷媒と冷却ファン１２ａにより送風される庫外空気（外気）とを熱交換させることによって、高圧冷媒をさらに放熱させて冷却する放熱用熱交換器である。
【０２０３】
なお、図５では、図示の明確化のため、冷却ファン１２ａを放熱器１２近傍に配置しているが、この冷却ファン１２ａは、補助放熱器２４にも庫外空気を送風する。もちろん、放熱器１２および補助放熱器２４に、それぞれ独立した送風ファンから庫外空気を送風するようにしてもよい。
【０２０４】
また、本実施形態の放熱器１２は、上述の実施形態に対して、熱交換面積を縮小することによって、その熱交換能力を低下させている。さらに、図５に示すように、本実施形態では、第１分岐部１３から内部熱交換器１５側へ流出した冷媒は、補助放熱器２４→内部熱交換器１５→第１固定絞り１７の順に流れる。
【０２０５】
さらに、本実施形態の第１分岐部１３は、放熱器１２の熱交換能力の低下に伴って、補助放熱器２４側へ流出する冷媒流量が、温度式膨張弁１４側へ流出する冷媒流量よりも多くなるように構成されている。このような流量調整は、第１分岐部１３内の各冷媒通路の冷媒通路面積等を調整することで行うことができる。その他の構成は、第１実施形態と同様である。
【０２０６】
次に、本実施形態の作動を図６のモリエル線図に基づいて説明する。本実施形態では、第１圧縮機１１吐出冷媒（図６のａ6点）が放熱器１２にて放熱して凝縮し、気液二相状態となる（ａ6点→ｂ6点）。これは、上述の第１実施形態に対して放熱器１２の熱交換能力を低下させているからである。
【０２０７】
放熱器１２から流出した高圧冷媒は、第１分岐部１３へ流入し、温度式膨張弁１４側へ流出する冷媒流れと補助放熱器２４側へ流出する冷媒流れとに分流される。補助放熱器２４側へ流入した冷媒は、補助放熱器２４→内部熱交換器１５の高圧側冷媒流路１５ａの順に流れて、そのエンタルピをさらに減少させる（ｂ6点→ｂ’6点→ｆ6点）。
【０２０８】
その他の作動は、第１実施形態と同様である。従って、本実施形態では、第１実施形態の（Ａ）〜（Ｆ）と同様の効果を得ることができるとともに、補助放熱器２４の作用によって、吸引側蒸発器２３流入冷媒のエンタルピを減少させて、吸引側蒸発器２３および流出側蒸発器２０にて発揮できる冷凍能力を増大させることができる。
【０２０９】
さらに、第１分岐部１３から補助放熱器２４側へ流出する冷媒流量が、温度式膨張弁１４側へ流出する冷媒流量より多くなるように調整されているので、吸引側蒸発器２３および流出側蒸発器２０へ供給される冷媒流量を増加させることができる。その結果、吸引側蒸発器２３および流出側蒸発器２０にて発揮される冷却能力を増加させることができる。
【０２１０】
さらに、本実施形態では、第１分岐部１３から内部熱交換器１５側へ流出した冷媒を補助放熱器２４→内部熱交換器１５の高圧側冷媒流路１５ａ→第１固定絞り１７の順に通過させているので、効率的に吸引側蒸発器２３流入冷媒のエンタルピを減少させることができる。その理由は、内部熱交換器１５の中間圧側冷媒流路１５ｂを流れる中間圧冷媒に対して、補助放熱器２４にて冷媒と熱交換する庫外空気の温度が高くなるからである。
【０２１１】
もちろん、中間圧冷媒と庫外空気との温度差が小さくなる場合等には、第１分岐部１３から内部熱交換器１５側へ流出した冷媒を内部熱交換器１５の高圧側冷媒流路１５ａ→補助放熱器２４→第１固定絞り１７の順に通過させてもよい。
【０２１２】
（第４実施形態）
本実施形態では、図７の全体構成図に示すように、第３実施形態のエジェクタ式冷凍サイクル１００に対して、第２実施形態と同様の補助内部熱交換器２５を追加するとともに、流出側蒸発器２０を廃止している。
【０２１３】
従って、本実施形態では、第１分岐部１３から内部熱交換器１５側へ流出した冷媒は、補助放熱器２４→内部熱交換器１５→補助内部熱交換器２５→第１固定絞り１７の順に流れる。その他の構成は、第３実施形態と同様である。
【０２１４】
次に、本実施形態の作動を図８のモリエル線図に基づいて説明する。本実施形態では、放熱器１２から流出した高圧冷媒が、第１分岐部１３にて、温度式膨張弁１４側へ流出する冷媒流れと補助放熱器２４側へ流出する冷媒流れとに分流される。
【０２１５】
第１分岐部１３から補助放熱器２４側へ流入した冷媒は、第３実施形態と同様に、補助放熱器２４→内部熱交換器１５の高圧側冷媒流路１５ａ順に流れ、そのエンタルピをさらに減少させる（図８のｂ8点→ｂ’8点→ｆ8点）。
【０２１６】
さらに、第２実施形態と同様に、ディフューザ部１９ｃから流出した冷媒が補助内部熱交換器２５の低圧側冷媒流路２５ｂにて蒸発して、第２圧縮機２１へ吸入される冷媒のエンタルピが増加する（ｊ8点→ｋ8点）。また、内部熱交換器１５の高圧側冷媒流路１５ａから流出した冷媒が補助内部熱交換器２５の高圧側冷媒流路２５ｂにて冷却され、そのエンタルピが減少する（ｆ8点→ｆ’8点）。
【０２１７】
その他の作動は、第３実施形態と同様である。従って、本実施形態では、吸引側蒸発器２３にて冷却作用を発揮できるだけでなく、第１実施形態の（Ｂ）〜（Ｆ）と同様の効果を得ることができる。さらに、補助放熱器２４および補助内部熱交換器２５の作用によって、吸引側蒸発器２３流入冷媒のエンタルピを減少させて、吸引側蒸発器２３にて発揮できる冷凍能力を増大させることができるので、より一層、ＣＯＰを向上できる。
【０２１８】
さらに、本実施形態では、第１分岐部１３から内部熱交換器１５側へ流出した冷媒を補助放熱器２４→内部熱交換器１５→補助内部熱交換器２５→第１固定絞り１７の順に通過させているので、第２、第３実施形態と同様に、効率的に吸引側蒸発器２３流入冷媒のエンタルピを減少させることができる。
【０２１９】
（第５実施形態）
図９、１０により、本発明のエジェクタ式冷凍サイクル２００を第１実施形態と同様の冷凍機に適用した例を説明する。図９は、本実施形態のエジェクタ式冷凍サイクル２００の全体構成図である。なお、本実施形態のエジェクタ式冷凍サイクル２００は、その前提となる第１実施形態のエジェクタ式冷凍サイクル１００に対して、構成機器の変更およびその接続態様の変更、すなわちサイクル構成を変更したものである。
【０２２０】
図９に示すように、本実施形態では、第２分岐部１８を廃止して、第１固定絞り１７から流出した冷媒の全流量をエジェクタ１９のノズル部１９ａへ流入させる。流出側蒸発器２０を廃止して、エジェクタ１９のディフューザ部１９ｃの出口側に、ディフューザ部１９ｃから流出した冷媒の気液を分離して、サイクル内の余剰冷媒を貯える流出側気液分離器としてのアキュムレータ２６を設けている。
【０２２１】
アキュムレータ２６の気相冷媒出口には、第２圧縮機２１の吸入口が接続され、液相冷媒出口には、第２固定絞り２２が接続されている。また、第２固定絞り２２の出口側には、吸引側蒸発器２３の入口側が接続されている。さらに、本実施形態では、吸引側蒸発器２３出口側と第２圧縮機２１吸入口側とを接続するオイル戻し通路２７が設けられている。
【０２２２】
このオイル戻し通路２７は、吸引側蒸発器２３の出口側から第２圧縮機２１の吸入口側へ冷凍機油を戻すための通路である。また、オイル戻し通路２７には、オイル戻し通路２７を開閉するオイル戻し用開閉弁２７ａが配置されている。このオイル戻し用開閉弁２７ａは、制御装置から出力される制御電圧によって、開閉作動が制御される電磁弁である。
【０２２３】
さらに、オイル戻し用開閉弁２７ａが開弁した際の冷媒通路面積は、オイル戻し通路２７の冷媒通路面積よりも小さく形成されている。従って、オイル戻し通路２７を流通する冷媒は、オイル戻し用開閉弁２７ａを通過する際に減圧される。その他の構成は、第１実施形態と同様である。
【０２２４】
次に、上記構成における本実施形態の作動を図１０のモリエル線図に基づいて説明する。本実施形態のエジェクタ式冷凍サイクル２００では、庫内を冷却する通常運転モードと庫内を冷却しながら第２圧縮機２１へ冷凍機油を戻すオイル戻し運転モードとを、所定時間毎に切り替えている。なお、図１０（ａ）は、通常運転モードのモリエル線図であり、図１０（ｂ）は、オイル戻し運転モードのモリエル線図である。
【０２２５】
まず、通常運転モードでは、制御装置が、制御装置が第１、第２電動モータ１１ｂ、２１ｂ、冷却ファン１２ａ、送風ファン２０ａを作動させる。さらに、制御装置が、オイル戻し用開閉弁２７ａを閉弁状態とする。
【０２２６】
従って、第１圧縮機１１吐出冷媒（図１０（ａ）のａ10a点）が、放熱器１２にて冷却され、第１分岐部１３にて分岐される。第１分岐部１３から温度式膨張１４側へ流出した冷媒は、第１実施形態と同様に、温度式膨張弁１４→内部熱交換器１５→合流部１６→第１圧縮機１１の順に流れる（ｂ10a点→ｃ10a点→ｄ10a点→ｅ10a点）。
【０２２７】
一方、第１分岐部１３から内部熱交換器１５の高圧側冷媒流路１５ａ側へ流出した冷媒は、第１実施形態と同様に、内部熱交換器１５の高圧側冷媒流路１５ａ→第１固定絞り１７の順に流れ（ｂ10a点→ｆ10a点→ｇ10a点）、第１固定絞り１７から流出した冷媒の全流量がエジェクタ１９のノズル部１９ａへ流入する。
【０２２８】
エジェクタ１９のノズル部１９ａへ流入した冷媒は、ノズル部１９ａにて、等エントロピ的に減圧膨張する（ｇ10a点→ｈ10a点）。そして、第１実施形態と同様に、ノズル部１９ａから噴射された噴射冷媒と冷媒吸引口１９ｂから吸引された吸引冷媒がエジェクタ１９のディフューザ部１９ｃにて混合され（ｈ10a点→ｉ10a点、ｎ10a点→ｉ10a点）、昇圧される（ｉ10a点→ｊ10a点）。
【０２２９】
次に、ディフューザ部１９ｃから流出した冷媒は、アキュムレータ２６にて気液分離される（ｊ10a点→ｋ１10a点およびｊ10a点→ｋ２10a点）。さらに、アキュムレータ２６の気相冷媒出口から流出した冷媒は、第２圧縮機２１に吸入され、中間圧となるまで圧縮される（ｋ１10a点→ｌ10a点）。
【０２３０】
この際、制御装置は、第２圧縮機２１の吸引作用によって、エジェクタ１９の下流側から冷媒を吸入して、エジェクタ１９の駆動流を確保できるように、第２圧縮機２１の第２電動モータ２１ｂの作動を制御する。さらに、第２圧縮機２１の冷媒吐出能力に応じて、サイクルの高圧側冷媒圧力、すなわち第１圧縮機１１の吐出冷媒圧力が不必要に上昇しないように、第１圧縮機１１の第１電動モータ１１ｂの作動を制御する。
【０２３１】
さらに、第２圧縮機２１から吐出された冷媒は、前述の如く、合流部２０にて内部熱交換器１５の中間圧側冷媒流路１５ｂから流出した冷媒と合流して（ｌ10a点→ｅ10a点）、第１圧縮機１１に吸入される。
【０２３２】
一方、アキュムレータ２６の液相冷媒出口から第２固定絞り２２へ流入した冷媒は、さらに低圧冷媒となるまで等エンタルピ的に減圧膨張される（ｋ２10a点→ｍ10a点）。固定絞り２２にて減圧膨張された低圧冷媒は、吸引側蒸発器２３へ流入し、送風ファン２０ａにより循環送風される庫内送風空気から吸熱して蒸発する（ｍ10a点→ｎ10a点）。これにより、庫内空気が冷却される。
【０２３３】
そして、吸引側蒸発器２３から流出した冷媒は、オイル戻し用開閉弁２７ａが閉弁状態となっているので、その全流量が、冷媒吸引口１９ｂからエジェクタ１９内へ吸引される（ｎ10a点→ｉ10a点）。
【０２３４】
次に、オイル戻し運転モードについて説明する。このオイル戻し運転モードは、通常運転モードが予め定めた第１基準時間継続された際に実行される。そして、このオイル戻し運転モードは予め定めた第２基準時間継続される。この第２基準時間は、第１基準時間に対して充分に短く設定されている。
【０２３５】
オイル戻し運転モードでは、制御装置が、オイル戻し用開閉弁２７ａを開弁させ、第２圧縮機２１の冷媒吐出能力を増加させる。このため、図１０（ｂ）のモリエル線図に示すように、吸引側蒸発器２３から流出した冷媒の一部が、第２圧縮機２１の吸引作用によって、オイル戻し通路２７側へ流入する。
【０２３６】
オイル戻し通路２７へ流入した冷媒は、オイル戻し用開閉弁２７ａを通過する際に圧力低下して（ｎ10b点→ｎ’10b点）、第２圧縮機２１へ吸入される（ｎ’10b点）。これにより、冷媒とともに吸引側蒸発器２３へ流入した冷凍機油が第２圧縮機２１へ吸入される。
【０２３７】
本実施形態のエジェクタ式冷凍サイクル２００は、上述の如く作動するので、吸引側蒸発器２３にて冷却作用を発揮できるとともに、第１実施形態の（Ｂ）、（Ｃ）、（Ｅ）、（Ｆ）と同様の効果を得ることができる。
【０２３８】
さらに、（Ｇ）オイル戻し通路２７およびオイル戻し用開閉弁２７ａを備えているので、オイル戻し運転モードを実行することができる。その結果、冷媒に第１、第２圧縮手段１１ａ、２１ａの潤滑用の冷凍機油を混入させても、冷凍機油が吸引側蒸発器２３内に滞留してしまうことを回避できる。その結果、エジェクタ式冷凍サイクルを安定して作動させることができる。
【０２３９】
なお、本実施形態では、オイル戻し通路２７にオイル戻し用開閉弁２７ａを設けた例を説明したが、オイル戻し用開閉弁２７ａを廃止して、吸引側蒸発器２３側から第２圧縮機２１側へ冷媒（冷凍機油）が流れることのみを許容するオイル戻し用逆止弁を設けてもよい。
【０２４０】
（第６実施形態）
本実施形態では、図１１の全体構成図に示すように、第５実施形態のエジェクタ式冷凍サイクル２００に対して、第３実施形態と同様の流出側蒸発器２０および補助放熱器２４を追加している。
【０２４１】
さらに、第５実施形態に対して、放熱器１２の熱交換能力を低下させるとともに、第１分岐部１３にて補助放熱器２４側へ流出する冷媒流量が温度式膨張弁１４側へ流出する冷媒流量よりも多くなるように構成されている。その他の構成は、第５実施形態と同様である。
【０２４２】
従って、本実施形態のエジェクタ式冷凍サイクル２００を作動させると、図１２のモリエル線図に示すように、通常運転モードおよびオイル戻し運転モードのいずれの運転モードにおいても、第１分岐部１３から補助放熱器２４側へ流入した冷媒が、補助放熱器２４→内部熱交換器１５の高圧側冷媒流路１５ａ順に流れる際に、そのエンタルピを減少させる（ｂ12a点→ｂ’12a点→ｆ12a点）。
【０２４３】
さらに、ディフューザ部１９ｃから流出した冷媒は、流出側蒸発器２０へ流入して、送風ファン２０ａにより循環送風される庫内空気から吸熱して蒸発する（ｊ12a点→ｋ12a点）。これにより、庫内送風空気が冷却される。なお、図１２（ａ）は、通常運転モードのモリエル線図であり、図１２（ｂ）は、オイル戻し運転モードのモリエル線図である。その他の作動は、第５実施形態と同様である。
【０２４４】
従って、本実施形態では、第５実施形態と同様の効果を得ることができるとともに、第３実施形態と同様に、補助放熱器２４の作用によって、吸引側蒸発器２３流入冷媒のエンタルピを減少させて、吸引側蒸発器２３および流出側蒸発器２０にて発揮できる冷凍能力を増大させることができる。
【０２４５】
さらに、第１分岐部１３から補助放熱器２４側へ流出する冷媒流量が、温度式膨張弁１４側へ流出する冷媒流量より多くなるように調整されているので、吸引側蒸発器２３および流出側蒸発器２０へ供給される冷媒流量を増加させることができる。その結果、吸引側蒸発器２３および流出側蒸発器２０にて発揮される冷却能力を増加させることができる。
【０２４６】
（第７実施形態）
図１３、１４により、本発明のエジェクタ式冷凍サイクル３００を第１実施形態と同様の冷凍機に適用した例を説明する。図１３は、本実施形態のエジェクタ式冷凍サイクル３００の全体構成図である。なお、本実施形態のエジェクタ式冷凍サイクル３００は、その前提となる第１実施形態のエジェクタ式冷凍サイクル１００に対して、構成機器の変更およびその接続態様の変更、すなわちサイクル構成を変更したものである。
【０２４７】
図１３に示すように、本実施形態では、第１圧縮機１１の吐出口側に、第１実施形態と同様の第１分岐部１３を配置している。第１分岐部１３の一方の冷媒流出口には、第１放熱器１２１が接続され、他方の冷媒流出口には、第２放熱器１２２が接続されている。
【０２４８】
第１放熱器１２１は、第１分岐部１３の一方の冷媒流出口から流出した高圧冷媒と、冷却ファン１２１ａにより送風される庫外空気（外気）とを熱交換させて、高圧冷媒を放熱させて冷却する放熱用熱交換器である。また、第２放熱器１２２は、第１分岐部１３の他方の冷媒流出口から流出した高圧冷媒と、冷却ファン１２２ａにより送風される庫外空気（外気）とを熱交換させて、高圧冷媒を放熱させて冷却する放熱用熱交換器である。
【０２４９】
さらに、本実施形態のエジェクタ式冷凍サイクル３００では、第１放熱器１２１の熱交換面積を、第２放熱器１２２に対して縮小させることによって、第１放熱器１２１の熱交換能力（放熱性能）を第２放熱器１２２の熱交換能力よりも低下させている。冷却ファン１２１ａ、１２２ａは、制御装置から出力される制御電圧によって回転数（送風空気量）が制御される電動式送風機である。本実施形態の冷却ファン１２１ａ、１２２ａは、それぞれ放熱器１２１、１２２の放熱能力を調整する放熱能力調整手段を構成している。
【０２５０】
第１放熱器１２１の出口側には、第１実施形態と同様の高圧側減圧手段としての温度式膨張弁１４が接続されている。さらに、温度式膨張弁１４の出口側には、第１実施形態と同様の内部熱交換器１５の中間圧側冷媒流路１５ｂが接続されている。内部熱交換器１５の中間圧側冷媒流路１５ｂの冷媒流れ下流側のサイクル構成は、第１実施形態と同様である。
【０２５１】
一方、第２放熱器１２２の出口側には、内部熱交換器１５の高圧側冷媒流路１５ａが接続されている。内部熱交換器１５の高圧側冷媒流路１５ａの冷媒流れ下流側のサイクル構成は、第１実施形態と同様である。
【０２５２】
次に、本実施形態の作動を図１４のモリエル線図に基づいて説明する。本実施形態では、第１圧縮機１１吐出冷媒（図１４のａ14点）が第１分岐部１３へ流入し、第１放熱器１２１側へ流入する冷媒流れと第２放熱器１２２側へ流入する冷媒流れとに分流される。
【０２５３】
第１放熱器１２１側へ流入した冷媒は、冷却ファン１２１ａから送風された送風空気（外気）と熱交換して放熱して凝縮する（ａ14点→ｂ１14点）。一方、第２放熱器１２２側へ流入した冷媒は、冷却ファン１２２ａから送風された送風空気（外気）と熱交換して放熱して凝縮する（ａ14点→ｂ２14点）。
【０２５４】
この際、第１放熱器１２１の熱交換能力が、第２放熱器１２２の熱交換能力よりも低く設定されているので、第１放熱器１２１から流出した冷媒のエンタルピは、第２放熱器１２２から流出した冷媒のエンタルピよりも高くなる。
【０２５５】
第１放熱器１２１から流出した冷媒は、温度式膨張弁１４にて等エンタルピ的に減圧膨張される（ｂ１14点→ｃ14点）。一方、第２放熱器１２２から流出した冷媒は、内部熱交換器１５の高圧側冷媒流路１５ａにて放熱して、そのエンタルピをさらに減少させる（ｂ２14点→ｆ14点）。その他の作動は、第１実施形態と同様である。
【０２５６】
従って、本実施形態では、第１実施形態の（Ａ）〜（Ｃ）、（Ｅ）、（Ｆ）と同様の効果を得ることができる。
【０２５７】
さらに、流出側蒸発器２０および吸引側蒸発器２３といった蒸発器を通過する冷媒は、第１圧縮機１１→第１分岐部１３→第２放熱器１２２→内部熱交換器１５の高圧側冷媒流路１５ａ→第１固定絞り１７→第２分岐部１８→エジェクタ１９→流出側蒸発器２０→第２圧縮機２１→合流部１６→第１圧縮機１１の順に流れ、さらに、第１圧縮機１１→第１分岐部１３→第２放熱器１２２→内部熱交換器１５の高圧側冷媒流路１５ａ→第１固定絞り１７→第２分岐部１８→第２固定絞り２２→吸引側蒸発器２３→エジェクタ１９→流出側蒸発器２０→第２圧縮機２１→合流部１６→第１圧縮機１１の順に流れる。
【０２５８】
つまり、流出側蒸発器２０および吸引側蒸発器２３といった蒸発器を通過する冷媒の流れが環状となるので、冷媒に第１、第２圧縮機１１、２１の潤滑用のオイル（冷凍機油）を混入させても、このオイルが流出側蒸発器２０および吸引側蒸発器２３内等に滞留してしまうことを回避できる。その結果、エジェクタ式冷凍サイクルを安定して作動させることができる。
【０２５９】
さらに、第１放熱器１２１および第２放熱器１２２の熱交換能力（放熱性能）を独立に変化させることができるので、例えば、第２放熱器１２２の熱交換能力と、吸引側蒸発器２３の熱交換能力（吸熱性能）とを容易に適合させることができる。従って、エジェクタ式冷凍サイクルの作動を、より一層、安定化させやすい。
【０２６０】
（第８実施形態）
本実施形態では、図１５の全体構成図に示すように、第７実施形態のエジェクタ式冷凍サイクル３００に対して、第２実施形態と同様の補助内部熱交換器２５を追加するとともに、流出側蒸発器２０を廃止している。
【０２６１】
本実施形態のエジェクタ式冷凍サイクル３００作動させると、図１６のモリエル線図に示すように、ディフューザ部１９ｃから流出した冷媒が補助内部熱交換器２５の低圧側冷媒流路２５ｂにて蒸発して、第２圧縮機２１吸入冷媒のエンタルピが増加する（ｊ16点→ｋ16点）。
【０２６２】
さらに、内部熱交換器１５の高圧側冷媒流路１５ａから流出した冷媒が、補助内部熱交換器２５の高圧側冷媒流路２５ａにて放熱して、そのエンタルピをさらに減少させる（ｆ16点→ｆ’16点）。その他の作動は、第７実施形態と同様である。
【０２６３】
従って、本実施形態では、吸引側蒸発器２３にて冷却作用を発揮できるだけでなく、第１実施形態の（Ｂ）、（Ｃ）、（Ｅ）、（Ｆ）と同様の効果を得ることができる。さらに、第７実施形態と同様に、エジェクタ式冷凍サイクルを安定して作動させることができる。
【０２６４】
（第９実施形態）
本実施形態は、図１７に示すように、第１実施形態のエジェクタ式冷凍サイクル１００に対して、放熱器１２出口側に、放熱器１２から流出した冷媒の気液を分離して余剰冷媒を貯える高圧側気液分離器として受液器１２ｂを設けたものである。この受液器１２ｂは、分離された飽和液相冷媒を下流側の第１分岐部１３へ導出させる。
【０２６５】
本実施形態によれば、サイクルに負荷変動が生じても、第１分岐部１３に流入する冷媒（第１実施形態の図２のｂ2点に対応）が、確実に飽和液相状態となるので、サイクルの作動を安定化させやすい。
【０２６６】
（第１０実施形態）
本実施形態では、図１８に示すように、第２実施形態のエジェクタ式冷凍サイクル１００に対して、第９実施形態と同様の受液器１２ｂを設けている。これによれば、第９実施形態と同様に、サイクルの作動を安定化させやすい。もちろん、第３、第４実施形態のエジェクタ式冷凍サイクル１００および第５、第６実施形態のエジェクタ式冷凍サイクル２００に対して、第９実施形態と同様の受益器１２ｂを設けてもよい。
【０２６７】
（第１１実施形態）
本実施形態では、図１９に示すように、第３実施形態のエジェクタ式冷凍サイクル１００に対して、補助放熱器２４出口側に、補助放熱器２４から流出した冷媒の気液を分離して余剰冷媒を貯える高圧側気液分離器として受液器２４ｂを設けている。この受液器２４ｂは、分離された飽和液相冷媒を下流側の内部熱交換器１５の高圧側冷媒流路１５ａへ導出させる。
【０２６８】
本実施形態によれば、サイクルに負荷変動が生じても、内部熱交換器１５の高圧側冷媒流路１５ａに流入する冷媒（図６のｂ’6点に対応）が、確実に飽和液相状態となるので、サイクルの作動を安定化させやすい。
【０２６９】
（第１２実施形態）
本実施形態では、図２０に示すように、第４実施形態のエジェクタ式冷凍サイクル１００に対して、第１１実施形態と同様の受液器２４ｂを設けている。本実施形態によれば、第１１実施形態と同様に、サイクルの作動を安定化させやすい。
【０２７０】
（第１３実施形態）
本実施形態では、図２１に示すように、第７実施形態のエジェクタ式冷凍サイクル３００に対して、第１放熱器１２１および第２放熱器１２２の出口側に、それぞれ第１、第２放熱器１２１、１２２から流出した冷媒の気液を分離して余剰冷媒を貯える高圧側気液分離器としての第１、第２受液器１２１ｂ、１２２ｂを設けたものである。
【０２７１】
この第１、第２受液器１２１ｂ、１２２ｂは、分離された飽和液相冷媒を、それぞれ下流側の温度式膨張弁１４および内部熱交換器１５の高圧側冷媒流路１５ａへ導出させる。
【０２７２】
本実施形態によれば、サイクルに負荷変動が生じても、第１受液器１２１ｂから温度式膨張弁１４へ流入する冷媒、および、第２受液器１２２ｂから内部熱交換器１５へ流入する冷媒（第７実施形態の図１４のｂ１14点およびｂ２14点に対応）が、確実に飽和液相状態となるので、サイクルの作動を安定化させやすい。
【０２７３】
なお、本実施形態では、第１、第２受液器１２１ｂ、１２２ｂの双方を設けた例を説明したが、第１、第２受液器１２１ｂ、１２２ｂのうち、いずれか一方のみを設ける構成としてもよい。
【０２７４】
（第１４実施形態）
第１４実施形態では、図２２に示すように、第８実施形態のエジェクタ式冷凍サイクル３００に対して、第１３実施形態と同様の第１、第２受液器１２１ｂ、１２２ｂを設けている。本実施形態によれば、第１３実施形態と同様に、サイクルの作動を安定化させやすい。もちろん、本実施形態においても、第１、第２受液器１２１ｂ、１２２ｂのうち、いずれか一方のみを設ける構成としてもよい。
【０２７５】
（第１５実施形態）
本実施形態では、図２３の全体構成図に示すように、第１実施形態のエジェクタ式冷凍サイクル１００に対して、放熱器１２の構成を変更した例を説明する。
【０２７６】
具体的には、本実施形態の放熱器１２は、冷媒を凝縮させる凝縮部１２ｃ、凝縮部１２ｃから流出した冷媒の気液を分離する気液分離部１２ｄ（受液部）、および、気液分離部１２ｄから流出した液相冷媒を過冷却する過冷却部１２ｅを有する、いわゆるサブクール型凝縮器として構成されている。その他の構成は、第１実施形態と同様である。
【０２７７】
本実施形態によれば、サイクルに負荷変動が生じても、第１分岐部１３に流入する冷媒（第１実施形態の図２のｂ2点に対応）が、確実に過冷却液相状態となるので、サイクルの作動を安定化させることができる。さらに、吸引側蒸発器２３および流出側蒸発器２０へ流入する冷媒のエンタルピを低下させて、吸引側蒸発器２３および流出側蒸発器２０にて発揮できる冷媒能力を増大できる。その結果、より一層、ＣＯＰを向上できる。
【０２７８】
（第１６〜１８実施形態）
第１６実施形態では、図２４の全体構成図に示すように、第２実施形態のエジェクタ式冷凍サイクル１００に対して、第１５実施形態と同様に、放熱器１２としてサブクール型凝縮器を採用している。これによれば、第１５実施形態と同様に、サイクルの作動を安定化させることができるとともに、より一層、ＣＯＰを向上できる。
【０２７９】
第１７実施形態では、図２５の全体構成図に示すように、第３実施形態のエジェクタ式冷凍サイクル１００に対して、第１５実施形態と同様に、放熱器１２としてサブクール型凝縮器を採用している。これによれば、第１５実施形態と同様に、サイクルの作動を安定化させることができるとともに、より一層、ＣＯＰを向上できる。
【０２８０】
第１８実施形態では、図２６の全体構成図に示すように、第４実施形態のエジェクタ式冷凍サイクル１００に対して、第１５実施形態と同様に、放熱器１２としてサブクール型凝縮器を採用している。これによれば、第１５実施形態と同様に、サイクルの作動を安定化させることができるとともに、より一層、ＣＯＰを向上できる。
【０２８１】
もちろん、第５、第６実施形態のエジェクタ式冷凍サイクル２００に対して、放熱器１２としてサブクール型凝縮器を採用してもよい。
【０２８２】
（第１９実施形態）
本実施形態では、図２７の全体構成図に示すように、第７実施形態のエジェクタ式冷凍サイクル３００に対して、第１放熱器１２１および第２放熱器１２２を、それぞれ第１５実施形態と同様のサブクール型凝縮器に変更している。
【０２８３】
より具体的には、第１放熱器１２１および第２放熱器１２２は、それぞれ冷媒を凝縮させる凝縮部１２１ｃ、１２２ｃ、凝縮部１２１ｃ、１２２ｃから流出した冷媒の気液を分離する気液分離部１２１ｄ、１２２ｄ（受液部）、および、気液分離部１２１ｄ、１２２ｄから流出した液相冷媒を過冷却する過冷却部１２１ｅ、１２２ｅを有して構成されている。その他の構成は、第７実施形態と同様である。
【０２８４】
本実施形態によれば、サイクルに負荷変動が生じても、第１放熱器１２１から温度式膨張弁１４へ流入する冷媒、および、第２放熱器１２２から内部熱交換器１５へ流入する冷媒（第７実施形態の図１４のｂ１14点およびｂ２14点に対応）が、確実に過冷却液相状態となるので、サイクルの作動を安定化させやすい。
【０２８５】
さらに、吸引側蒸発器２３および流出側蒸発器２０へ流入する冷媒のエンタルピを低下させて、吸引側蒸発器２３および流出側蒸発器２０にて発揮できる冷媒能力を増大できる。その結果、より一層、ＣＯＰを向上できる。なお、本実施形態では、第１、第２放熱器１２１、１２２の双方をサブクール型凝縮器とした例を説明したが、第１、第２放熱器１２１、１２２のうち、いずれか一方のみをサブクール型凝縮器としてもよい。
【０２８６】
（第２０実施形態）
本実施形態では、図２８の全体構成図に示すように、第８実施形態のエジェクタ式冷凍サイクル３００に対して、第１放熱器１２１および第２放熱器１２２を、それぞれ第１９実施形態と同様のサブクール型凝縮器に変更している。
【０２８７】
本実施形態によれば、第１９実施形態と同様に、サイクルの作動を安定化させやすくなるとともに、より一層、ＣＯＰを向上できる。もちろん、本実施形態においても、第１、第２放熱器１２１、１２２のうち、いずれか一方をサブクール型凝縮器としてもよい。
【０２８８】
（第２１実施形態）
本実施形態では、図２９の全体構成図に示すように、第１実施形態のエジェクタ式冷凍サイクル１００に対して、温度式膨張弁１４を廃止して、高圧側減圧手段として冷媒の圧力エネルギを機械的エネルギに変換して出力する膨張機４０を設けた例を説明する。
【０２８９】
本実施形態では具体的に、膨張機４０として、スクロール型の容積型圧縮機構を採用している。もちろん、ベーン型、ローリングピストン型といった他の形式の容積型圧縮機構を採用してもよい。そして、容積型圧縮機構を圧縮機構として用いる場合の冷媒流れに対して逆流させるように冷媒を流すことで、冷媒を体積膨張させて減圧させながら、回転軸を回転させて機械的エネルギ（回転エネルギ）を出力させる。
【０２９０】
また、膨張機４０の回転軸には、発電機４０ａの回転軸が直結されている。発電機４０ａは、膨張機４０が出力した機械的エネルギ（回転エネルギ）を電気エネルギに変換して出力するものである。さらに、発電機４０ａが出力した電気エネルギは、バッテリ４０ｂに貯えられる。その他の構成および作動は、第１実施形態と同様である。
【０２９１】
従って、本実施形態のエジェクタ式冷凍サイクル１００を作動させると、第１実施形態の（Ａ）〜（Ｆ）と同様の効果を得ることができるだけでなく、エジェクタ式冷凍サイクル１００全体としてのエネルギ効率を向上できる。
【０２９２】
すなわち、本実施形態では、第１実施形態の温度式膨張弁１４において、冷媒が等エンタルピ的に減圧膨張する際に損失していたエネルギを膨張機４０で機械的エネルギとして回収できる。そして、回収した機械的エネルギを電気エネルギに変換することによって、損失していたエネルギを有効に活用することができる。その結果、エジェクタ式冷凍サイクル１００全体としてのエネルギ効率を向上できる。
【０２９３】
なお、バッテリ４０ｂに蓄えられた電気エネルギは、エジェクタ式冷凍サイクル１００の各種電気式アクチュエータ１１ｂ、２１ｂ、１２ａ、２０ａに供給してもよいし、サイクル構成機器以外の外部の電気負荷に供給してもよい。
【０２９４】
また、膨張機４０にて回収された機械的エネルギを、電気エネルギに変換することなく、そのまま機械的エネルギとして利用してもよい。例えば、膨張機４０の回転軸と第１、第２圧縮手段１１ａ、２１ａの回転軸とを連結して、第１、第２圧縮手段１１ａ、２１ａの補助動力源として利用すれば、エジェクタ式冷凍サイクル１００のＣＯＰを向上できる。
【０２９５】
もちろん、膨張機４０から出力された機械的エネルギを、外部機器の駆動源として利用してもよい。例えば、外部機器としてフライホイールを採用すれば、膨張機にて回収された機械的エネルギを運動エネルギとして蓄えることができる。また、外部機器として発条装置（ぜんまいばね）を採用すれば、膨張機から出力された機械的エネルギを弾性エネルギとして蓄えることもできる。
【０２９６】
さらに、本実施形態では、高圧側減圧手段として膨張機４０を採用した例を説明したが、もちろん、第１固定絞り１７を廃止して、ノズル前減圧手段として膨張機を採用してもよいし、第２固定絞り２２を廃止して、吸引側減圧手段として膨張機を採用してもよい。
【０２９７】
（第２２〜２６実施形態）
第２２実施形態では、図３０の全体構成図に示すように、第２実施形態のエジェクタ式冷凍サイクル１００に対して、温度式膨張弁１４を廃止して、高圧側減圧手段として第２１実施形態と同様の膨張機４０、発電機４０ａおよびバッテリ４０ｂを設けている。
【０２９８】
従って、本実施形態のエジェクタ式冷凍サイクル１００を作動させると、第２実施形態と同様の効果を得ることができるだけでなく、第２１実施形態と同様にエジェクタ式冷凍サイクル１００全体としてのエネルギ効率を向上できる。
【０２９９】
第２３実施形態では、図３１の全体構成図に示すように、第３実施形態のエジェクタ式冷凍サイクル１００に対して、温度式膨張弁１４を廃止して、高圧側減圧手段として第２１実施形態と同様の膨張機４０、発電機４０ａおよびバッテリ４０ｂを設けている。
【０３００】
従って、本実施形態のエジェクタ式冷凍サイクル１００を作動させると、第３実施形態と同様の効果を得ることができるだけでなく、第２１実施形態と同様にエジェクタ式冷凍サイクル１００全体としてのエネルギ効率を向上できる。
【０３０１】
第２４実施形態では、図３２の全体構成図に示すように、第４実施形態のエジェクタ式冷凍サイクル１００に対して、温度式膨張弁１４を廃止して、高圧側減圧手段として第２１実施形態と同様の膨張機４０、発電機４０ａおよびバッテリ４０ｂを設けている。
【０３０２】
従って、本実施形態のエジェクタ式冷凍サイクル１００を作動させると、第４実施形態と同様の効果を得ることができるだけでなく、第２１実施形態と同様にエジェクタ式冷凍サイクル１００全体としてのエネルギ効率を向上できる。
【０３０３】
第２５実施形態では、図３３の全体構成図に示すように、第７実施形態のエジェクタ式冷凍サイクル３００に対して、温度式膨張弁１４を廃止して、高圧側減圧手段として第２１実施形態と同様の膨張機４０、発電機４０ａおよびバッテリ４０ｂを設けている。
【０３０４】
従って、本実施形態のエジェクタ式冷凍サイクル１００を作動させると、第７実施形態と同様の効果を得ることができるだけでなく、第２１実施形態と同様にエジェクタ式冷凍サイクル３００全体としてのエネルギ効率を向上できる。
【０３０５】
第２６実施形態では、図３４の全体構成図に示すように、第８実施形態のエジェクタ式冷凍サイクル３００に対して、温度式膨張弁１４を廃止して、高圧側減圧手段として第２１実施形態と同様の膨張機４０、発電機４０ａおよびバッテリ４０ｂを設けている。
【０３０６】
従って、本実施形態のエジェクタ式冷凍サイクル１００を作動させると、第８実施形態と同様の効果を得ることができるだけでなく、第２１実施形態と同様にエジェクタ式冷凍サイクル３００全体としてのエネルギ効率を向上できる。
【０３０７】
もちろん、第２２〜第２６実施形態において、第１固定絞り１７を廃止して、ノズル前減圧手段として膨張機を採用してもよいし、第２固定絞り２２を廃止して、吸引側減圧手段として膨張機を採用してもよい。さらに、第５、第６実施形態のエジェクタ式冷凍サイクル２００において、温度式膨張弁１４、第１、第２固定絞り１７、２２として膨張機を採用してもよい。
【０３０８】
（第２７実施形態）
本実施形態では、図３５の全体構成図に示すように、第１実施形態の第１圧縮機１１および第２圧縮機２１を圧縮機１０として１つの圧縮機として構成した例を説明する。具体的には、圧縮機１０は、１つのハウジング１０ａ内に第１、第２圧縮手段１１ａ、２１ａの２つの圧縮手段および第１、第２圧縮手段１１ａ、２１ａを駆動する第１、第２電動モータ１１ｂ、２１ｂを収容して構成された二段昇圧式の電動圧縮機である。
【０３０９】
この第１、第２圧縮手段１１ａ、２１ａとしては、第１実施形態と同様に、スクロール型圧縮手段、ベーン型圧縮手段等の各種圧縮機構を採用できる。また、第１、第２電動モータ１１ｂ、２１ｂは、後述する制御装置から出力される制御信号によって、それぞれ独立して、その作動（回転数）が制御されるもので、交流モータ、直流モータのいずれの形式を採用してもよい。
【０３１０】
そして、この回転数制御によって、第１、第２圧縮手段１１ａ、２１ａの冷媒吐出能力が、それぞれ独立して変更される。従って、本実施形態の第１、第２電動モータ１１ｂ、２１ｂは、第１実施形態と同様に、それぞれ第１、第２圧縮手段１１ａ、２１ａの冷媒吐出能力を変更する第１、第２吐出能力変更手段を構成している。
【０３１１】
ハウジング１０ａには、低圧冷媒を吸入する吸入ポート１０ｂ、中間圧冷媒を流入させる中間圧ポート１０ｃ、および、高圧冷媒を吐出する吐出ポート１０ｄが設けられている。そして、これらの各ポート１０ｂ〜１０ｄが、ハウジング１０ａ内部で第１、第２圧縮手段１１ａ、２１ａに接続されている。
【０３１２】
具体的には、吸入ポート１０ｂは、第２圧縮手段２１ａの吸入口へ接続され、中間圧ポート１０ｃは、第２圧縮手段２１ａの吐出口と第１圧縮手段１１ａの吸入口に連通するように接続され、吐出ポート１０ｄは、第１圧縮手段１１ａの吐出口へ接続される。従って、第１圧縮手段１１ａは、第２圧縮手段２１ａから吐出された冷媒と中間圧ポート１０ｃから流入した冷媒とを混合した中間圧冷媒を吸入し圧縮して吐出することになる。
【０３１３】
このため、図３５に示すように、圧縮機１０の吸入ポート１０ｂにエジェクタ１９のディフューザ部１９ｃ出口側を接続し、中間圧ポート１０ｃに内部熱交換器１５の中間圧側冷媒流路１５ｂ出口側を接続し、吐出ポート１０ｄに放熱器１２入口側を接続することで、第１実施形態と全く同様のサイクルが構成される。さらに、本実施形態の合流部１６は、圧縮機１０の内部に構成される。
【０３１４】
従って、本実施形態のエジェクタ式冷凍サイクル１００を作動させると、第１実施形態と全く同様に作動して、全く同様の効果を得ることができる。さらに、第１、第２圧縮手段１１ａ、２１ａを同一のハウジング１０ａに収容して、圧縮機１０として一体的に構成しているので、圧縮機１０の小型化および低コスト化ができる。延いては、エジェクタ式冷凍サイクル１００全体としての小型化および低コスト化ができる。
【０３１５】
（第２８〜３２実施形態）
第２８実施形態では、図３６の全体構成図に示すように、第２７実施形態と同様に、第２実施形態の第１圧縮機１１および第２圧縮機２１を圧縮機１０として１つの圧縮機として構成している。つまり、圧縮機１０として二段昇圧式の電動圧縮機を採用することで、第２実施形態と全く同様のサイクルを構成している。
【０３１６】
従って、本実施形態のエジェクタ式冷凍サイクル１００を作動させると、第２実施形態と全く同様に作動して、全く同様の効果を得ることができる。さらに、圧縮機１０の小型化および低コスト化ができる。
【０３１７】
第２９実施形態では、図３７の全体構成図に示すように、第２７実施形態と同様に、第３実施形態の第１圧縮機１１および第２圧縮機２１を圧縮機１０として１つの圧縮機として構成している。つまり、圧縮機１０として二段昇圧式の電動圧縮機を採用することで、第３実施形態と全く同様のサイクルを構成している。
【０３１８】
従って、本実施形態のエジェクタ式冷凍サイクル１００を作動させると、第３実施形態と全く同様に作動して、全く同様の効果を得ることができるとともに、圧縮機１０の小型化および低コスト化ができる。
【０３１９】
第３０実施形態では、図３８の全体構成図に示すように、第２７実施形態と同様に、第４実施形態の第１圧縮機１１および第２圧縮機２１を圧縮機１０として１つの圧縮機として構成している。つまり、圧縮機１０として二段昇圧式の電動圧縮機を採用することで、第４実施形態と全く同様のサイクルを構成している。
【０３２０】
従って、本実施形態のエジェクタ式冷凍サイクル１００を作動させると、第４実施形態と全く同様に作動して、全く同様の効果を得ることができるとともに、圧縮機１０の小型化および低コスト化ができる。
【０３２１】
第３１実施形態では、図３９の全体構成図に示すように、第２７実施形態と同様に、第７実施形態の第１圧縮機１１および第２圧縮機２１を圧縮機１０として１つの圧縮機として構成している。つまり、圧縮機１０として二段昇圧式の電動圧縮機を採用することで、第７実施形態と全く同様のサイクルを構成している。
【０３２２】
従って、本実施形態のエジェクタ式冷凍サイクル１００を作動させると、第７実施形態と全く同様に作動して、全く同様の効果を得ることができるとともに、圧縮機１０の小型化および低コスト化ができる。
【０３２３】
第３２実施形態では、図４０の全体構成図に示すように、第２７実施形態と同様に、第８実施形態の第１圧縮機１１および第２圧縮機２１を圧縮機１０として１つの圧縮機として構成している。つまり、圧縮機１０として二段昇圧式の電動圧縮機を採用することで、第８実施形態と全く同様のサイクルを構成している。
【０３２４】
従って、本実施形態のエジェクタ式冷凍サイクル１００を作動させると、第８実施形態と全く同様に作動して、全く同様の効果を得ることができるとともに、圧縮機１０の小型化および低コスト化ができる。
【０３２５】
もちろん、第５、第６実施形態のエジェクタ式冷凍サイクル２００に対して、二段昇圧式の圧縮機１０を採用してもよい。
【０３２６】
（第３３実施形態）
上述の各実施形態では、冷媒として通常のフロン系冷媒を採用し、第１圧縮機１１吐出冷媒の圧力が冷媒の臨界圧力を超えない亜臨界冷凍サイクルを構成した例を説明したが、本実施形態では、冷媒として二酸化炭素を採用し、第１圧縮機１１吐出冷媒の圧力が冷媒の臨界圧力以上となる超臨界冷凍サイクルを構成した例を説明する。
【０３２７】
さらに、本実施形態では、図４１の全体構成図に示すように、第１実施形態に対して、ノズル前減圧手段である第１固定絞り１７を廃止している。その他の構成は、第１実施形態と同様である。
【０３２８】
次に、図４２のモリエル線図により、本実施形態のエジェクタ式冷凍サイクル１００の作動を説明する。本実施形態のエジェクタ式冷凍サイクル１００を作動させると、第１圧縮機１１吐出冷媒が放熱器１２にて放熱して冷却される。この際、放熱器１２を通過する冷媒は、凝縮することなく超臨界状態のまま放熱する（ａ42点→ｂ42点）。
【０３２９】
放熱器１２から流出した冷媒は、第１分岐部１３へ流入し、温度式膨脹弁１４側へ流入する冷媒流れと内部熱交換器１５の高圧側冷媒流路１５ａ側へ流入する冷媒流れとに分流される。第１分岐部１３から内部熱交換器１５の高圧側冷媒流路１５ａ側へ流入した超臨界状態の高圧冷媒は、超臨界状態のままさらに放熱する（ｂ42点→ｆ42点）。
【０３３０】
内部熱交換器１５の高圧側冷媒流路１５ａ側から流出した冷媒の流れは、第２分岐部１８へ流入し、エジェクタ１９のノズル部１９ａ側へ流入する冷媒流れと第２固定絞り２２側へ流入する冷媒流れとに分流される。第２分岐部１８からノズル部１９ａ側へ流出した超臨界状態の高圧冷媒は、ノズル部１９ａで等エントロピ的に減圧膨張する（ｆ42点→ｈ42点）。
【０３３１】
一方、第２分岐部１８から第２固定絞り２２側へ流出した超臨界状態の高圧冷媒は、第２固定絞り２２にて等エンタルピ的に減圧膨張する（ｆ42点→ｍ42点）。以降の作動は、第１実施形態と同様である。従って、本実施形態の構成においても、第１実施形態の（Ａ）〜（Ｅ）と同様の効果を得ることができる。
【０３３２】
さらに、超臨界冷凍サイクルでは、高圧側冷媒圧力が亜臨界冷凍サイクルよりも高くなるので、サイクルの高低圧差が拡大し、エジェクタ１９のノズル部１９ａにおける減圧量（図４２では、ｆ42点とｈ42点の圧力差）が増加する。これにより、ノズル部１９ａ入口側冷媒のエンタルピとノズル部１９ａ出口側冷媒のエンタルピとの差（回収エネルギ量）も増加するので、より一層、ＣＯＰを向上できる。
【０３３３】
（第３４実施形態）
本実施形態では、図４３の全体構成図に示すように、第２実施形態のエジェクタ式冷凍サイクル１００に対して、第３３実施形態と同様に、第１固定絞り１７を廃止して、第１圧縮機１１吐出冷媒の圧力が冷媒の臨界圧力以上となる超臨界冷凍サイクルを構成している。
【０３３４】
従って、本実施形態のエジェクタ式冷凍サイクル１００を作動させると、第１実施形態の（Ｂ）〜（Ｅ）と同様の効果を得ることができるとともに、第２実施形態と同様のＣＯＰ向上効果を得ることができる。
【０３３５】
さらに、図４４のモリエル線図に示すように、亜臨界冷凍サイクルを構成する場合よりもサイクルの高低圧差が拡大し、エジェクタ１９のノズル部１９ａにおける減圧量（図４４では、ｆ’44点とｈ44点の圧力差）が増加する。これにより、第３３実施形態と同様に、ノズル部１９ａ入口側冷媒のエンタルピとノズル部１９ａ出口側冷媒のエンタルピとの差（回収エネルギ量）も増加するので、より一層、ＣＯＰを向上できる。
【０３３６】
（第３５実施形態）
本実施形態では、図４５の全体構成図に示すように、第３実施形態のエジェクタ式冷凍サイクル１００において、第３３実施形態と同様に、第１固定絞り１７を廃止して、第１圧縮機１１吐出冷媒の圧力が冷媒の臨界圧力以上となる超臨界冷凍サイクルを構成している。
【０３３７】
従って、本実施形態のエジェクタ式冷凍サイクル１００を作動させると、第１実施形態の（Ａ）〜（Ｅ）と同様の効果を得ることができるとともに、第３実施形態と同様のＣＯＰ向上効果、および、冷却能力増加効果を得ることができる。
【０３３８】
さらに、図４６のモリエル線図に示すように、亜臨界冷凍サイクルを構成する場合よりもサイクルの高低圧差が拡大して、エジェクタ１９のノズル部１９ａにおける減圧量（図４６では、ｆ46点とｈ46点の圧力差）が増加する。これにより、第３３実施形態と同様に、ノズル部１９ａ入口側冷媒のエンタルピとノズル部１９ａ出口側冷媒のエンタルピとの差（回収エネルギ量）も増加するので、より一層、ＣＯＰを向上できる。
【０３３９】
（第３６実施形態）
本実施形態では、図４７の全体構成図に示すように、第４実施形態のエジェクタ式冷凍サイクル１００において、第３３実施形態と同様に、第１固定絞り１７を廃止して、第１圧縮機１１吐出冷媒の圧力が冷媒の臨界圧力以上となる超臨界冷凍サイクルを構成している。
【０３４０】
従って、本実施形態のエジェクタ式冷凍サイクル１００を作動させると、第１実施形態の（Ｂ）〜（Ｅ）と同様の効果を得ることができるとともに、第４実施形態と同様のＣＯＰ向上効果を得ることができる。
【０３４１】
さらに、図４８のモリエル線図に示すように、亜臨界冷凍サイクルを構成する場合よりもサイクルの高低圧差が拡大し、エジェクタ１９のノズル部１９ａにおける減圧量（図４８では、ｆ’48点とｈ48点の圧力差）が増加する。これにより、第３３実施形態と同様に、ノズル部１９ａ入口側冷媒のエンタルピとノズル部１９ａ出口側冷媒のエンタルピとの差（回収エネルギ量）も増加するので、より一層、ＣＯＰを向上できる。
【０３４２】
（第３７実施形態）
本実施形態では、図４９の全体構成図に示すように、第７実施形態のエジェクタ式冷凍サイクル３００において、第３３実施形態と同様に、第１固定絞り１７を廃止して、第１圧縮機１１吐出冷媒の圧力が冷媒の臨界圧力以上となる超臨界冷凍サイクルを構成している。
【０３４３】
従って、本実施形態のエジェクタ式冷凍サイクル３００を作動させると、第１実施形態の（Ｂ）、（Ｃ）、（Ｅ）と同様の効果を得ることができる。さらに、第７実施形態と同様に、流出側蒸発器２０および吸引側蒸発器２３内等に滞留してしまうことを回避できるとともに、サイクルの作動を安定化させることができる。
【０３４４】
さらに、図５０のモリエル線図に示すように、亜臨界冷凍サイクルを構成する場合よりもサイクルの高低圧差が拡大して、エジェクタ１９のノズル部１９ａにおける減圧量（図５０では、ｆ50点とｈ50点の圧力差）が増加する。これにより、第３３実施形態と同様に、ノズル部１９ａ入口側冷媒のエンタルピとノズル部１９ａ出口側冷媒のエンタルピとの差（回収エネルギ量）も増加するので、より一層、ＣＯＰを向上できる。
【０３４５】
（第３８実施形態）
本実施形態では、図５１の全体構成図に示すように、第８実施形態のエジェクタ式冷凍サイクル３００において、第３３実施形態と同様に、第１固定絞り１７を廃止して、第１圧縮機１１吐出冷媒の圧力が冷媒の臨界圧力以上となる超臨界冷凍サイクルを構成している。
【０３４６】
従って、本実施形態のエジェクタ式冷凍サイクル３００を作動させると、第１実施形態の（Ｂ）、（Ｃ）、（Ｅ）と同様の効果を得ることができる。さらに、第８実施形態と同様に、冷凍機油が流出側蒸発器２０および吸引側蒸発器２３内等に滞留してしまうことを回避できるとともに、サイクルの作動を安定化させることができる。
【０３４７】
さらに、図５２のモリエル線図に示すように、亜臨界冷凍サイクルを構成する場合よりもサイクルの高低圧差が拡大し、エジェクタ１９のノズル部１９ａにおける減圧量（図５２では、ｆ’52点とｈ52点の圧力差）が増加する。これにより、第３３実施形態と同様に、ノズル部１９ａ入口側冷媒のエンタルピとノズル部１９ａ出口側冷媒のエンタルピとの差（回収エネルギ量）も増加するので、より一層、ＣＯＰを向上できる。
【０３４８】
なお、第３３〜第３８実施形態では、第１〜第４、第７、第８実施形態のエジェクタ式冷凍サイクル１００、３００を超臨界冷凍サイクルとして構成した例を説明したが、もちろん、第５、第６実施形態のエジェクタ式冷凍サイクル２００を超臨界冷凍サイクルとして構成してもよい。
【０３４９】
（第３９実施形態）
図５３、５４により本発明の第３９実施形態を説明する。ところで、第１実施形態のように冷凍機に適用されるエジェクタ式冷凍サイクル１００では、吸引側蒸発器２３における冷媒蒸発温度が０℃よりも低くなるので、吸引側蒸発器２３の着霜が懸念される。このような着霜が生じると、吸熱対象流体（庫内空気）が吸引側蒸発器に流通しにくくなり、冷媒の吸熱を妨げてしまうので、サイクルを安定して作動させることができない。
【０３５０】
そこで、本実施形態では、図５３の全体構成図に示すように、第１実施形態のエジェクタ式冷凍サイクル１００に対して、バイパス通路２８および開閉弁２８ａを追加し、吸引側減圧手段として電気式の可変絞り機構２２ａを採用している。
【０３５１】
バイパス通路２８は、第１圧縮機１１の第１圧縮手段１１ａから吐出された高圧冷媒を、放熱器１２を迂回させて、直接、吸引側蒸発器２３へ導く冷媒流路で、第１圧縮機１１と放熱器１２との間および可変絞り機構２２ａと吸引側蒸発器２３との間を接続する冷媒配管によって構成されている。
【０３５２】
開閉弁２８ａは、バイパス通路２８を開閉する開閉手段であって、制御装置から出力される制御信号によって開閉作動が制御される電磁弁である。さらに、開閉弁２８ａが開弁した際の冷媒通路面積は、バイパス通路２８の冷媒通路面積よりも小さく形成されている。従って、バイパス通路２８を流通する冷媒は、開閉弁２８ａを通過する際に減圧される。
【０３５３】
このように開閉弁２８ａとして、減圧機能を有する減圧機能付き開閉弁を採用する理由は、圧縮機１０入口側冷媒の圧力と出口側冷媒の圧力との圧力差を確保するだけでなく、圧縮機１０から吐出した高圧冷媒を直接吸引側蒸発器２３へ流入させると、吸引側蒸発器２３内の冷媒圧力が吸引側蒸発器２３の耐圧を超えてしまうことが懸念されるからである。
【０３５４】
そこで、本実施形態では、開閉弁２８ａの冷媒通路面積を小さく形成して、吸引側蒸発器２３へ流入する冷媒の圧力を、吸引側蒸発器２３の耐圧能力よりも低くなるまで低下させている。
【０３５５】
従って、バイパス通路２８に、減圧機能を有していない開閉弁２８ａを配置する場合は、バイパス通路２８にバイパス通路側減圧手段を配置することが望ましい。そして、このバイパス通路側減圧手段としては、キャピラリチューブ、オリフィス等で構成される固定絞り機構を採用できる。
【０３５６】
可変絞り機構２２ａは、絞り開度を変更可能に構成された弁体と、この弁体の絞り開度を変化させるステッピングモータからなる電動アクチュエータとを有して構成されている。また、可変絞り機構２２ａは、制御装置から出力される制御信号によって、その作動が制御される。
【０３５７】
次に、図５４のモリエル線図により、本実施形態の作動を説明する。本実施形態のエジェクタ式冷凍サイクル１００では、庫内を冷却する通常運転モードと吸引側蒸発器２３および流出側蒸発器２０の除霜を行う除霜運転モードとを切り替えることができる。なお、図５４（ａ）は、通常運転モードにおける冷媒の状態を示すモリエル線図であり、図５４（ｂ）は、除霜運転モードにおける冷媒の状態を示すモリエル線図である。
【０３５８】
通常運転モードでは、制御装置が開閉弁２８ａを閉弁状態とし、可変絞り機構２２ａを予め定めた絞り開度とする。これにより、通常運転モードでは、図５４（ａ）のモリエル線図に示すように、第１実施形態の図２と同様に作動する。
【０３５９】
一方、除霜運転モードでは、制御装置が冷却ファン１２ａの作動を停止させ、可変絞り機構２２ａを全閉状態とし、さらに、開閉弁２８ａを開く。これにより、第１圧縮機１１から吐出された高温冷媒（図５４（ｂ）のｏ54点）が、バイパス通路２８へ流入する。
【０３６０】
この際、本実施形態では、第１圧縮機１１→放熱器１２→第１分岐部１３→内部熱交換器１５→第１固定絞り１７→第２分岐部１８→エジェクタ１９→流出側蒸発器２０→第２圧縮機２１の順で流れる冷媒回路の圧力損失に対して、第１圧縮機１１→バイパス通路２８→吸引側蒸発器２３→エジェクタ１９→流出側蒸発器２０→第２圧縮機２１の順で流れる冷媒回路の圧力損失を小さく設定しているので、第１圧縮機１１から吐出された冷媒の大半がバイパス通路２８へ流入する。
【０３６１】
もちろん、バイパス通路２８の入口側接続部あるいは出口側接続部に、三方弁を配置して、通常運転モードでは、圧縮機１０から吐出された冷媒を放熱器１２側のみへ流出させ、除霜運転モードでは、圧縮機１０から吐出された冷媒をバイパス通路２８側のみへ流出させるように冷媒流路を切り替えてもよい。
【０３６２】
また、バイパス通路２８の入口側接続部から放熱器１２入口側へ至る冷媒通路に、減圧機能を有していない通常の補助開閉弁を配置して、通常運転モードでは補助開閉弁を開弁し、除霜運転モードでは補助開閉弁を閉弁するようにして、冷媒流路を切り替えてもよい。
【０３６３】
バイパス通路２８へ流入した高温高圧冷媒は、開閉弁２８ａを通過する際に、等エンタルピ的に減圧膨脹する（ｏ54点→ｐ54点）。さらに、開閉弁２８ａを通過した高温低圧状態の気相冷媒は、可変絞り機構２２ａの絞り開度が全閉状態となっているので、可変絞り機構２２ａ側へ流れ込むことなく、吸引側蒸発器２３へ流入する。
【０３６４】
吸引側蒸発器２３へ流入した冷媒は、吸引側蒸発器２３にその熱量を放熱する（ｐ54点→Ｑ54点）。これにより、吸引側蒸発器２３の除霜がなされる。吸引側蒸発器２３にて放熱した冷媒は、第２圧縮機２１の吸引作用によって、エジェクタ１９の冷媒吸引口１９ｂへ流入され、エジェクタ１９の内部を通過する際の圧力損失によって、その圧力が低下する（ｑ54点→ｒ54点）。
【０３６５】
エジェクタ１９から流出した冷媒は、流出側蒸発器２０へ流入して、流出側蒸発器２０にその熱量を放熱する（ｒ54点→ｓ54点）。これにより、流出側蒸発器２０の除霜がなされる。さらに、流出側蒸発器２０から流出した冷媒は、第２圧縮機２１→合流部１６→第１圧縮機１１の順に流れて再び圧縮される（ｓ54点→ｔ54点→ｏ54点）。
【０３６６】
従って、本実施形態のエジェクタ式冷凍サイクル１００では、通常運転モード時に、第１実施形態と同様の効果を得ることができ、除霜運転モード時に、吸引側蒸発器２３および流出側蒸発器２０の除霜を行うことができる。
【０３６７】
なお、本実施形態では、吸引側減圧手段として可変絞り機構２２ａを採用し、除霜運転時に可変絞り機構２２ａの絞り開度を全閉状態としているが、もちろん、吸引側減圧手段として第２固定絞り２２を採用し、さらに、吸引側減圧手段出口側とバイパス通路２８の接続部との間に配置されて、吸引側減圧手段側から吸引側蒸発器２３側へ冷媒が流れることのみを許容する逆止弁を設けてもよい。
【０３６８】
また、本実施形態のように、除霜運転モード時に、制御装置が冷却ファン１２ａの作動を停止させる場合は、放熱器１２が放熱能力を発揮しないので、例えば、放熱器１２の下流側であって第１分岐部１３の上流側から高圧冷媒をバイパス通路２８側へ流入させるようにしてもよい。
【０３６９】
（第４０実施形態）
本実施形態では、図５５に示すように、第３９実施形態のエジェクタ式冷凍サイクル１００に対して、第１圧縮機１１から吐出された高圧冷媒を、流出側蒸発器２０へ導く補助バイパス通路２８ｂを追加した例を説明する。
【０３７０】
より具体的には、本実施形態の補助バイパス通路２８ｂは、バイパス通路２８のうち除霜運転モードにおける開閉弁２８ａの下流側、および、エジェクタ１９のディフューザ部１９ｃ流出口側と流出側蒸発器２０入口側との間を接続する冷媒流路である。
【０３７１】
さらに、補助バイパス通路２８ｂには、通常運転モード時にエジェクタ１９のディフューザ部１９ｃから流出した冷媒が、バイパス通路２８側へ流れることを禁止する補助バイパス通路用逆止弁２８ｃが配置されている。
【０３７２】
なお、この補助バイパス通路用逆止弁２８ｃの代わりに、補助バイパス通路２８ｂを開閉する補助バイパス通路用開閉弁を採用してもよい。この場合は、通常運転モードでは、補助バイパス通路用開閉弁を閉弁させ、除霜運転モードでは、補助バイパス通路用開閉弁を開弁させればよい。
【０３７３】
従って、本実施形態のエジェクタ式冷凍サイクル１００を作動させると、通常運転モードでは、図５６（ａ）のモリエル線図に示すように、第１実施形態の図２と同様に作動する。
【０３７４】
一方、除霜運転モードでは、図５６（ｂ）のモリエル線図に示すように、第１圧縮機１１から吐出された高温高圧状態の気相冷媒は、開閉弁２８ａが開弁状態となっているので、第３９実施形態と同様に、バイパス通路２８側へ流入して、開閉弁２８ａを通過する際に、等エンタルピ的に減圧膨脹する（ｏ56点→ｐ56点）。
【０３７５】
開閉弁２８ａにて減圧された冷媒の流れは、吸引側蒸発器２３側へ流れる冷媒流れと補助バイパス通路２８ｂ側へ流れる冷媒流れとに分流される。開閉弁２８ａから吸引側蒸発器２３側へ流出した高温気相冷媒は、吸引側蒸発器２３にその熱量を放熱する（ｐ56点→ｑ56点）。これにより、吸引側蒸発器２３の除霜がなされる。
【０３７６】
吸引側蒸発器２３にて放熱した冷媒は、第２圧縮機２１の吸引作用によって、エジェクタ１９の冷媒吸引口１９ｂへ流入され、エジェクタ１９の内部を通過する際の圧力損失によって、その圧力が低下する（ｑ56点→ｒ56点）。
【０３７７】
一方、開閉弁２８ａから補助バイパス通路２８ｂ側へ流出した高温気相冷媒は、逆止弁２８ｃを通過する際に圧力低下して（ｐ56点→ｐ’56点）、エジェクタ１９のディフューザ部１９ｃから流出した冷媒と合流する（ｐ’56点→ｒ’56点、ｒ56点→ｒ’56点）。さらに、合流した冷媒は流出側蒸発器２０へ流入して、流出側蒸発器２０にその熱量を放熱する（ｒ’56点→ｓ56点）。これにより、流出側蒸発器２０の除霜がなされる。
【０３７８】
流出側蒸発器２０にて放熱した冷媒は、第２圧縮機２１→合流部１６→第１圧縮機１１の順に流れて再び圧縮される（ｓ56点→ｔ56点→ｏ56点）。その他の作動は、第３９実施形態と同様である。
【０３７９】
従って、本実施形態のエジェクタ式冷凍サイクル１００では、通常運転モード時に、第１実施形態と同様の効果を得ることができ、除霜運転モード時に、吸引側蒸発器２３および流出側蒸発器２０の除霜を行うことができる。
【０３８０】
（第４１実施形態）
本実施形態では、図５７に示すように、第２実施形態のエジェクタ式冷凍サイクル１００に対して、第３９実施形態と同様のバイパス通路２８および開閉弁２８ａを追加し、吸引側減圧手段として電気式の可変絞り機構２２ａを採用して、除霜運転モードを実行可能にしている。
【０３８１】
従って、本実施形態のエジェクタ式冷凍サイクル１００を作動させると、通常運転モードでは、図５８（ａ）のモリエル線図に示すように、第２実施形態の図４と同様に作動する。
【０３８２】
一方、除霜運転モードでは、図５８（ｂ）のモリエル線図に示すように、第１圧縮機１１から吐出された高温高圧状態の気相冷媒は、開閉弁２８ａが開弁状態となっているので、第３９実施形態と同様に、バイパス通路２８側へ流入して、開閉弁２８ａを通過する際に、等エンタルピ的に減圧膨脹する（ｏ58点→ｐ58点）。
【０３８３】
開閉弁２８ａにて減圧された高温気相冷媒は、吸引側蒸発器２３へ流入して、吸引側蒸発器２３にその熱量を放熱する（ｐ58点→ｑ58点）。これにより、吸引側蒸発器２３の除霜がなされる。吸引側蒸発器２３にて放熱した冷媒は、第２圧縮機２１の吸引作用によって、エジェクタ１９の冷媒吸引口１９ｂへ流入され、エジェクタ１９の内部を通過する際の圧力損失によって、その圧力が低下する（ｑ58点→ｓ58点）。
【０３８４】
エジェクタ１９から流出した冷媒は、第２圧縮機２１→合流部１６→第１圧縮機１１の順に流れて再び圧縮される（ｓ58点→ｔ58点→ｏ58点）。その他の作動は、第３９実施形態と同様である。
【０３８５】
従って、本実施形態のエジェクタ式冷凍サイクル１００では、通常運転モード時に、第１実施形態と同様の効果を得ることができ、除霜運転モード時に、吸引側蒸発器２３の除霜を行うことができる。
【０３８６】
（第４２実施形態）
本実施形態では、図５９に示すように、第３実施形態のエジェクタ式冷凍サイクル１００に対して、第３９実施形態と同様のバイパス通路２８および開閉弁２８ａを追加し、吸引側減圧手段として電気式の可変絞り機構２２ａを採用して、除霜運転モードを実行可能に構成している。
【０３８７】
本実施形態の基本的作動は、第３９実施形態と同様である。従って、本実施形態のエジェクタ式冷凍サイクル１００を作動させると、通常運転モードでは、図６０（ａ）のモリエル線図に示すように、第３実施形態の図６と同様に作動する。一方、除霜運転モードでは、図６０（ｂ）のモリエル線図に示すように、第３９実施形態の除霜運転モードの図５４（ｂ）と同様に作動する。
【０３８８】
これにより、本実施形態のエジェクタ式冷凍サイクル１００では、通常運転モード時に、第１実施形態と同様の効果を得ることができ、除霜運転モード時に、吸引側蒸発器２３および流出側蒸発器２０の除霜を行うことができる。
【０３８９】
（第４３実施形態）
本実施形態では、図６１に示すように、第３実施形態のエジェクタ式冷凍サイクル１００に対して、第４０実施形態と同様のバイパス通路２８、開閉弁２８ａ、補助バイパス通路２８ｂおよび補助バイパス通路用逆止弁２８ｃを追加し、吸引側減圧手段として電気式の可変絞り機構２２ａを採用して、除霜運転モードを実行可能に構成している。
【０３９０】
本実施形態の基本的作動は、第３９実施形態と同様である。従って、本実施形態のエジェクタ式冷凍サイクル１００を作動させると、通常運転モードでは、図６２（ａ）のモリエル線図に示すように、第３実施形態の図６と同様に作動する。一方、除霜運転モードでは、図６２（ｂ）のモリエル線図に示すように、第４０実施形態の除霜運転モードの図５６（ｂ）と同様に作動する。
【０３９１】
これにより、本実施形態のエジェクタ式冷凍サイクル１００では、通常運転モード時に、第１実施形態と同様の効果を得ることができ、除霜運転モード時に、吸引側蒸発器２３および流出側蒸発器２０の除霜を行うことができる。
【０３９２】
（第４４実施形態）
本実施形態では、図６３に示すように、第４実施形態のエジェクタ式冷凍サイクル１００に対して、第３９実施形態と同様のバイパス通路２８および開閉弁２８ａを追加し、吸引側減圧手段として電気式の可変絞り機構２２ａを採用して、除霜運転モードを実行可能に構成している。
【０３９３】
本実施形態の基本的作動は、第３９実施形態と同様である。従って、本実施形態のエジェクタ式冷凍サイクル１００を作動させると、通常運転モードでは、図６４（ａ）のモリエル線図に示すように、第４実施形態の図８と同様に作動する。一方、除霜運転モードでは、図６４（ｂ）のモリエル線図に示すように、第４１実施形態の除霜運転モードの図５８（ｂ）と同様に作動する。
【０３９４】
これにより、本実施形態のエジェクタ式冷凍サイクル１００では、通常運転モード時に、第１実施形態と同様の効果を得ることができ、除霜運転モード時に、吸引側蒸発器２３および流出側蒸発器２０の除霜を行うことができる。
【０３９５】
また、第３９〜第４５実施形態では、エジェクタ式冷凍サイクル１００に対して、バイパス通路２８および開閉弁２８ａ等を追加した例を説明したが、もちろん、第５、第６実施形態のエジェクタ式冷凍サイクル２００に対して、バイパス通路２８および開閉弁２８ａ等を追加してもよい。
【０３９６】
（第４５実施形態）
本実施形態では、図６５の全体構成図に示すように、第７実施形態のエジェクタ式冷凍サイクル３００に対して、第３９実施形態と同様のバイパス通路２８および開閉弁２８ａを追加し、吸引側減圧手段として電気式の可変絞り機構２２ａを採用して、除霜運転モードを実行可能に構成している。
【０３９７】
より具体的には、本実施形態のバイパス通路２８は、第１分岐部１３下流側かつ第２放熱器１２２上流側の高圧冷媒を、第１、第２放熱器１２１、１２２を迂回させて、直接、吸引側蒸発器２３へ導く冷媒流路である。もちろん、バイパス通路２８は、第１分岐部１３下流側かつ第２放熱器１２２上流側の高圧冷媒、または、第１分岐部１３上流側の第１圧縮機１１吐出冷媒を吸引側蒸発器２３へ導く冷媒流路で構成してもよい。
【０３９８】
次に、図６６のモリエル線図により、本実施形態のエジェクタ式冷凍サイクル３００の作動を説明する。本実施形態の基本的作動は、第３９実施形態と同様である。従って、通常運転モードでは、図６６（ａ）のモリエル線図に示すように、第７実施形態の図１４と同様に作動する。
【０３９９】
一方、除霜運転モードでは、制御装置が第１、第２冷却ファン１２１ａ、１２２ａの作動を停止させ、可変絞り機構２２ａを全閉状態とし、さらに、開閉弁２８ａを開く。これにより、第１圧縮機１１から吐出された（図６６（ｂ）のｏ66点）が、バイパス通路２８へ流入する。
【０４００】
この際、本実施形態では、第１圧縮機１１→第１分岐部１３→第１放熱器１２１→内部熱交換器１５→第１固定絞り１７→第２分岐部１８→エジェクタ１９→流出側蒸発器２０→第２圧縮機２１の順で流れる冷媒回路の圧力損失に対して、第１圧縮機１１→第１分岐部１３→バイパス通路２８→吸引側蒸発器２３→エジェクタ１９→流出側蒸発器２０→第２圧縮機２１の順で流れる冷媒回路の圧力損失を小さく設定しているので、第１圧縮機１１から吐出された冷媒の大半がバイパス通路２８へ流入する。
【０４０１】
従って、除霜運転モードでは、図６６（ｂ）のモリエル線図に示すように、第３９実施形態の図５４（ｂ）と同様に作動する。これにより、本実施形態のエジェクタ式冷凍サイクル３００では、通常運転モード時に、第７実施形態と同様の効果を得ることができ、除霜運転モード時に、吸引側蒸発器２３および流出側蒸発器２０の除霜を行うことができる。
【０４０２】
また、本実施形態のように、除霜運転モード時に、制御装置が第１、第２冷却ファン１２１ａ、１２２ａの作動を停止させる場合は、第１、第２放熱器１２１、１２２が放熱能力を発揮しない。
【０４０３】
従って、例えば、第１放熱器１２１の下流側であって温度式膨張弁１４の上流側から高圧冷媒をバイパス通路２８側へ流入させるようにしてもよいし、第２放熱器１２２の下流側であって内部熱交換器１５の上流側から高圧冷媒をバイパス通路２８側へ流入させるようにしてもよい。
【０４０４】
（第４６実施形態）
本実施形態では、図６７に示すように、第４５実施形態のエジェクタ式冷凍サイクル３００に対して、第１圧縮機１１から吐出された高圧冷媒を流出側蒸発器２０へ導く、第４０実施形態と同様の補助バイパス通路２８ｂおよび補助バイパス通路用逆止弁２８ｃを追加した例を説明する。
【０４０５】
本実施形態の基本的作動は、第４５実施形態と同様である。従って、本実施形態のエジェクタ式冷凍サイクル３００を作動させると、通常運転モードでは、図６８（ａ）のモリエル線図に示すように、第７実施形態の図１４と同様に作動する。一方、除霜運転モードでは、図６８（ｂ）のモリエル線図に示すように、第４０実施形態の図５６（ｂ）と同様に作動する。
【０４０６】
これにより、本実施形態のエジェクタ式冷凍サイクル３００では、通常運転モード時に、第７実施形態と同様の効果を得ることができ、除霜運転モード時に、吸引側蒸発器２３および流出側蒸発器２０の除霜を行うことができる。
【０４０７】
（第４７実施形態）
本実施形態では、図６９に示すように、第８実施形態のエジェクタ式冷凍サイクル３００に対して、第４５実施形態と同様のバイパス通路２８および開閉弁２８ａを追加し、吸引側減圧手段として電気式の可変絞り機構２２ａを採用して、除霜運転モードを実行可能に構成している。
【０４０８】
本実施形態の基本的作動は、第４５実施形態と同様である。従って、本実施形態のエジェクタ式冷凍サイクル３００を作動させると、通常運転モードでは、図７０（ａ）のモリエル線図に示すように、第８実施形態の図１６と同様に作動する。一方、除霜運転モードでは、図７０（ｂ）のモリエル線図に示すように、第４１実施形態の除霜運転モードの図５８（ｂ）と同様に作動する。
【０４０９】
これにより、本実施形態のエジェクタ式冷凍サイクル３００では、通常運転モード時に、第８実施形態と同様の効果を得ることができ、除霜運転モード時に、吸引側蒸発器２３の除霜を行うことができる。
【０４１０】
（第４８実施形態）
次に、図７１、７２により、本発明の第４８実施形態を説明する。本実施形態では、本発明のエジェクタ式冷凍サイクルを、庫内温度を低温または高温に保つ冷温保存庫に適用している。図７１は、本実施形態のエジェクタ式冷凍サイクル５００の全体構成図である。
【０４１１】
このエジェクタ式冷凍サイクル５００は、熱交換対象流体である庫内空気を冷却する冷却運転モードと、庫内空気を加熱する加熱運転モードを切替可能に構成されている。なお、図５における実線矢印は、冷却運転モード時における冷媒の流れを示し、破線矢印は、加熱運転モードにおける冷媒の流れを示している。
【０４１２】
ところで、冷却運転モードと加熱運転モードを切替可能に構成されたエジェクタ式冷凍サイクルでは、少なくともエジェクタを冷媒減圧手段として用いる冷媒流路に切り替えた際には、上述の実施形態と同様に、エジェクタ１９の吸引能力が低下するような運転条件となっても、エジェクタ式冷凍サイクルを安定して作動させることが望まれる。
【０４１３】
そこで、本実施形態のエジェクタ式冷凍サイクル５００は、以下に説明する構成になっている。まず、第１圧縮機１１の吐出口に、第１電気式四方弁５１が接続されている。この第１電気式四方弁５１は、制御装置から出力される制御信号によって、その作動が制御される冷媒流路切替手段である。
【０４１４】
具体的には、第１電気式四方弁５１は、第１圧縮機１１吐出口と室外熱交換器５３との間および第２電気式四方弁５２の異なる２つの流入出口間を同時に接続する冷媒流路（図７１の実線矢印で示す回路）と、第１圧縮機１１吐出口と第２電気式四方弁５２の１つの流入出口との間および室外熱交換器５３と第２電気式四方弁５２の別の１つの流入出口との間を同時に接続する冷媒流路（図７１の破線矢印で示す回路）とを切り替える。
【０４１５】
図７１の実線矢印で示す冷媒流路のように、冷却運転モードにおける第１圧縮機１１の吐出口側には、第１電気式四方弁５１を介して、室外熱交換器５３が接続されている。室外熱交換器５３は、その内部を通過する冷媒と送風ファン５３ａにより送風される室外空気とを熱交換させる熱交換器である。送風ファン５３ａは、制御装置から出力される制御電圧によって回転数（送風空気量）が制御される電動式送風機である。
【０４１６】
冷却運転モードにおける室外熱交換器５３の出口側には、第１分岐部１３が接続されている。第１分岐部１３の一方の冷媒流出口には、高圧側減圧手段としての電気式の可変絞り機構１４ａが接続され、他方の冷媒流出口には、内部熱交換器１５の高圧側冷媒流路１５ａが接続されている。
【０４１７】
可変絞り機構１４ａは、絞り開度を変更可能に構成された弁体と、この弁体の絞り開度を変化させるステッピングモータからなる電動アクチュエータとを有して構成されている。また、可変絞り機構１４ａは、制御装置から出力される制御信号によって、その作動が制御される。
【０４１８】
具体的には、本実施形態の制御装置には、第１圧縮手段１１ａ吸入側冷媒の温度を検出するための温度センサおよび圧力を検出する圧力センサ（いずれも図示せず。）が接続されている。さらに、制御装置は、これらのセンサの検出値に基づいて、予め記憶された制御マップを参照して、第１圧縮手段１１ａ吸入側冷媒の過熱度が予め設定された所定値となるように可変絞り機構１４ａの弁開度を制御する。
【０４１９】
冷却運転モードにおける可変絞り機構１４ａの出口側には、第１実施形態と同様に、内部熱交換器１５の中間圧側冷媒流路１５ｂが接続され、中間圧側冷媒流路１５ｂの出口側には、合流部１６が接続されている。
【０４２０】
冷却運転モードにおける内部熱交換器１５の高圧側冷媒流路１５ａの出口側には、第１実施形態と同様に、第１固定絞り１７、第２分岐部１８が接続されている。第２分岐部１８の一方の冷媒流出口には、第２分岐部１８側からエジェクタ１９のノズル部１９ａ側へ冷媒が流れることのみを許容するノズル前逆止弁２９を介して、ノズル部１９ａ入口側が接続されている。
【０４２１】
冷却運転モードにおけるエジェクタ１９のディフューザ部１９ｃの出口側には、補助利用側熱交換器５４が接続されている。この補助利用側熱交換器５４の基本的構成は、第１実施形態の流出側蒸発器２０と同様である。より具体的には、補助利用側熱交換器５４では、その内部を流通する冷媒と送風ファン５４ａから循環送風される庫内空気とを熱交換させる。なお、送風ファン５４ａの基本的構成は、送風ファン２０ａと同様である。
【０４２２】
冷却運転モードにおける補助利用側熱交換器５４の出口側には、第２電気式四方弁５２が接続されている。この第２電気式四方弁５２は、制御装置から出力される制御信号によって、その作動が制御される冷媒流路切替手段であり、その基本的構成は、第１電気式四方弁５１と同様である。
【０４２３】
具体的には、第２電気式四方弁５２は、補助利用側熱交換器５４と第２圧縮機２１吸入口との間および第１電気式四方弁５１の異なる２つの流入出口間を同時に接続する冷媒流路（図７１の実線矢印で示す回路）と、第１電気式四方弁５１の１つの流入出口と補助利用側熱交換器５４との間および第１電気式四方弁５１の別の１つの流入出口と第２圧縮機２１吸入口との間を同時に接続する冷媒流路（図７１の破線矢印で示す回路）とを切り替える。
【０４２４】
また、冷却運転モードにおける第２分岐部１８の他方の冷媒流出口には、第２固定絞り２２を介して、利用側熱交換器２５が接続されている。この利用側熱交換器５５の基本的構成は、第１実施形態の吸引側蒸発器２３と同様である。より具体的には、利用側熱交換器５５では、その内部を流通する冷媒と送風ファン５４ａから循環送風されて補助利用側熱交換器５４通過後の庫内空気とを熱交換させる。
【０４２５】
さらに、利用側熱交換器５５の出口側には、エジェクタ１９の冷媒吸引口１９ｂが接続されている。
【０４２６】
次に、図７２により、上記構成における本実施形態の作動を説明する。本実施形態のエジェクタ式冷凍サイクル５００では、庫内空気を冷却する冷却運転モードおよび庫内空気を加熱する加熱運転モードを切り替えることができる。なお、図７２（ａ）は、冷却運転モードにおける冷媒の状態を示すモリエル線図であり、図７２（ｂ）は、加熱運転モードにおける冷媒の状態を示すモリエル線図である。
【０４２７】
冷却運転モードは、操作パネルの作動スイッチにより冷却運転モードが選択されると実行される。冷却運転モードでは、制御装置が、第１、第２電動モータ１１ｂ、２１ｂ、送風ファン５３ａ、５４ａを作動させ、可変絞り機構１４ａの絞り開度を上述の如く制御する。
【０４２８】
さらに、制御装置が、第１圧縮機１１吐出口と室外熱交換器５３との間および第２電気式四方弁５２の異なる２つの流入出口間を同時に接続するように第１電気式四方弁５１を切り替え、補助利用側熱交換器５４と第２圧縮機２１吸入口との間および第１電気式四方弁５１の異なる２つの流入出口間を同時に接続するように第２電気式四方弁５２を切り替える。これにより、図７１の実線矢印に示すように、以下の冷媒回路が構成される。
【０４２９】
第１の冷媒回路として、第１圧縮機１１→第１電気式四方弁５１→室外熱交換器５３→第１分岐部１３→可変絞り機構１４ａ→内部熱交換器１５の中間圧側冷媒流路１５ｂ→合流部１６→第１圧縮機１１の順に冷媒が循環する回路が構成される。
【０４３０】
第２の冷媒回路として、第１圧縮機１１→第１電気式四方弁５１→室外熱交換器５３→第１分岐部１３→内部熱交換器１５の高圧側冷媒流路１５ａ→第１固定絞り１７→第２分岐部１８→ノズル前逆止弁２９→エジェクタ１９→補助利用側熱交換器５４→第２電気式四方弁５２→第２圧縮機２１→合流部１６→第１圧縮機１１の順に冷媒が循環する回路が構成される。
【０４３１】
第３の冷媒回路として、第１圧縮機１１→第１電気式四方弁５１→室外熱交換器５３→第１分岐部１３→内部熱交換器１５の高圧側冷媒流路１５ａ→第１固定絞り１７→第２分岐部１８→第２固定絞り２２→利用側熱交換器５５→エジェクタ１９→補助利用側熱交換器５４→第２電気式四方弁５２→第２圧縮機２１→合流部１６→第１圧縮機１１の順に冷媒が循環する回路が構成される。
【０４３２】
つまり、本実施形態の冷却運転モードでは、室外熱交換器５３、利用側熱交換器５５および補助利用側熱交換器５４が、それぞれ第１実施形態における放熱器１２、吸引側蒸発器２３および流出側蒸発器２０に対応する構成となり、図７２（ａ）に示すように、第１実施形態の図２と同様に作動して庫内空気を冷却できる。
【０４３３】
一方、加熱運転モードは、操作パネルの作動スイッチにより加熱運転モードが選択されると実行される。加熱運転モードでは、制御装置が、第１、第２電動モータ１１ｂ、２１ｂ、送風ファン５３ａ、５４ａを作動させ、可変絞り機構１４ａの絞り開度を全閉状態とする。
【０４３４】
さらに、制御装置が第１圧縮機１１吐出口と第２電気式四方弁５２の１つの流入出口との間および室外熱交換器５３と第２電気式四方弁５２の別の１つの流入出口との間を同時に接続するように第１電気式四方弁５１を切り替え、第１電気式四方弁５１の１つの流入出口と補助利用側熱交換器５４との間および第１電気式四方弁５１の別の１つの流入出口と第２圧縮機２１吸入口との間を同時に接続するように第２電気式四方弁５２を切り替える。
【０４３５】
これにより、第１圧縮機１１吐出冷媒は、第１、第２電気式四方弁５１、５２を介して、補助利用側熱交換器５４へ流入して、送風ファン５４ａから循環送風された庫内空気と熱交換して放熱する（図７２（ｂ）のａh72点→ｂh72点）。これにより庫内空気が加熱される。
【０４３６】
補助利用側熱交換器５４から流出した冷媒は、ノズル前逆止弁２９の作用によって、エジェクタ１９の内部を、冷却運転モードに対して逆流するように、ディフューザ部１９ｃ→冷媒吸引口１９ｂの順に流れる。エジェクタ１９に流入した冷媒は、エジェクタ１９内の圧力損失によって圧力低下する（ｂh72点→ｃh72点）。
【０４３７】
エジェクタ１９の冷媒吸引口１９ｂから流出した冷媒は、利用側熱交換器５５へ流入した、送風ファン５４ａから循環送風されて補助利用側熱交換器５４通過後の庫内空気と熱交換して放熱する（ｃh72点→ｄh72点）。これにより庫内空気がさらに加熱される。
【０４３８】
利用側熱交換器５５から流出した冷媒は、第２固定絞り２２にて減圧され、第２分岐部１８を介して、第１固定絞り１７にて、さらに減圧される（ｄh72点→ｅh72点→ｆh72点）。この際、ノズル前逆止弁２９の前後差圧によって第２分岐部１８からノズル部１９ａ側へ冷媒が流出することはない。
【０４３９】
第１固定絞り１７にて減圧膨張された冷媒は、内部熱交換器１５および第１分岐部１３を介して、室外熱交換器５３へ流入する。この際、可変絞り機構１４ａが全閉状態となっているので、内部熱交換器１５では、熱交換は行われない。さらに、第１分岐部１３から可変絞り機構１４ａ側へ冷媒が流出することはない。
【０４４０】
室外熱交換器５３へ流入した冷媒は、送風ファン５３ａから送風された外気と熱交換して吸熱する（ｆh72点→ｇh72点）。室外熱交換器５３から流出した冷媒は、第１電気式四方弁５１→第２電気式四方弁５２の順に流れ、第２圧縮機２１へ吸入されて圧縮される（ｇh72点→ｈh72点）。さらに、第２圧縮機２１吐出冷媒は、合流部１６を介して、第１圧縮機１１へ吸入されて圧縮される（ｈh72点→ａh72点）。
【０４４１】
本実施形態のエジェクタ式冷凍サイクル５００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第１実施形態と同様に、エジェクタ１９の駆動流の流量変動が生じても、ＣＯＰを低下させることなく、エジェクタ式冷凍サイクルを安定して作動させることができる。
【０４４２】
（第４９実施形態）
本実施形態では、図７３の全体構成図に示すように、第４８実施形態のエジェクタ式冷凍サイクル５００に対して、第２実施形態と同様の補助内部熱交換器２５を追加するとともに、補助利用側熱交換器５４を廃止した例を説明する。
【０４４３】
本実施形態の補助内部熱交換器２５は、冷却運転モード時に、高圧側冷媒流路２５ａを通過する第１分岐部１３から内部熱交換器１５側へ流出した冷媒と、低圧側冷媒流路２５ｂを通過するエジェクタ１９のディフューザ部１９ｃから流出した冷媒との間で熱交換を行うものである。
【０４４４】
従って、本実施形態の第１電気式四方弁５１は、第１圧縮機１１吐出口と室外熱交換器５３との間および第２電気式四方弁５２の異なる２つの流入出口間を同時に接続する冷媒流路（図７３の実線矢印で示す回路）と、第１圧縮機１１吐出口と第２電気式四方弁５２の１つの流入出口との間および室外熱交換器５３と第２電気式四方弁５２の別の１つの流入出口との間を同時に接続する冷媒流路（図７３の破線矢印で示す回路）とを切り替える。
【０４４５】
また、本実施形態の第２電気式四方弁５２は、エジェクタ１９のディフューザ部１９ｃと第１電気式四方弁５１の１つの流入出口との間および第１電気式四方弁５１の別の１つの流入出口と補助内部熱交換器２５の低圧側冷媒流路２５ｂとの間を同時に接続する冷媒流路（図７３の実線矢印で示す回路）と、第１電気式四方弁５１の１つの流入出口とエジェクタ１９のディフューザ部１９ｃとの間および第１電気式四方弁５１の別の１つの流入出口と補助内部熱交換器２５の低圧側冷媒流路２５ｂとの間を同時に接続する冷媒流路（図７３の破線矢印で示す回路）とを切り替える。
【０４４６】
次に、図７４により、上記構成における本実施形態の作動を説明する。本実施形態の冷却運転モードでは、制御装置が、第１圧縮機１１吐出口と室外熱交換器５３との間および第２電気式四方弁５２の異なる２つの流入出口間を同時に接続するように第１電気式四方弁５１を切り替え、エジェクタ１９のディフューザ部１９ｃと第１電気式四方弁５１の１つの流入出口との間および第１電気式四方弁５１の別の１つの流入出口と補助内部熱交換器２５の低圧側冷媒流路２５ｂとの間を同時に接続するように第２電気式四方弁５２を切り替える。これにより、図７３の実線矢印に示すように、以下の冷媒回路が構成される。
【０４４７】
第１の冷媒回路として、第１圧縮機１１→第１電気式四方弁５１→室外熱交換器５３→第１分岐部１３→可変絞り機構１４ａ→内部熱交換器１５の中間圧側冷媒流路１５ｂ→合流部１６→第１圧縮機１１の順に冷媒が循環する回路が構成される。
【０４４８】
第２の冷媒回路として、第１圧縮機１１→第１電気式四方弁５１→室外熱交換器５３→第１分岐部１３→内部熱交換器１５の高圧側冷媒流路１５ａ→補助内部熱交換器２５の高圧側冷媒流路２５ａ→第１固定絞り１７→第２分岐部１８→ノズル前逆止弁２９→エジェクタ１９→第１、第２電気式四方弁５１、５２→補助内部熱交換器２５の低圧側冷媒流路２５ｂ→第２圧縮機２１→合流部１６→第１圧縮機１１の順に冷媒が循環する回路が構成される。
【０４４９】
第３の冷媒回路として、第１圧縮機１１→第１電気式四方弁５１→室外熱交換器５３→第１分岐部１３→内部熱交換器１５の高圧側冷媒流路１５ａ→補助内部熱交換器２５の高圧側冷媒流路２５ａ→第１固定絞り１７→第２分岐部１８→第２固定絞り２２→利用側熱交換器５５→エジェクタ１９→第１、第２電気式四方弁５１、５２→補助内部熱交換器２５の低圧側冷媒流路２５ｂ→第２圧縮機２１→合流部１６→第１圧縮機１１の順に冷媒が循環する回路が構成される。
【０４５０】
つまり、本実施形態の冷却運転モードでは、室外熱交換器５３および利用側熱交換器５５が、それぞれ第２実施形態における放熱器１２および吸引側蒸発器２３に対応する構成となり、図７４（ａ）に示すように、第２実施形態の図４と同様に作動して庫内空気を冷却できる。
【０４５１】
一方、加熱運転モードでは、制御装置が、第１圧縮機１１吐出口と第２電気式四方弁５２の１つの流入出口との間および室外熱交換器５３と第２電気式四方弁５２の別の１つの流入出口との間を同時に接続するように第１電気式四方弁５１を切り替え、第１電気式四方弁５１の１つの流入出口とエジェクタ１９のディフューザ部１９ｃとの間および第１電気式四方弁５１の別の１つの流入出口と補助内部熱交換器２５の低圧側冷媒流路２５ｂとの間を同時に接続するように第２電気式四方弁５２を切り替える。
【０４５２】
これにより、第１圧縮機１１吐出冷媒は、第４８実施形態と同様に、第１、第２電気式四方弁５１、５２を介して、エジェクタ１９の内部を逆流しながら圧力低下して（ａh74点→ｃh74点）、利用側熱交換器５５へ流入する。利用側熱交換器５５へ流入した冷媒は、送風ファン５４ａから循環送風された庫内空気と熱交換して放熱する（ｃh74点→ｄh74点）。これにより庫内空気が、加熱される。
【０４５３】
利用側熱交換器５５から流出した冷媒は、第２固定絞り２２→第２分岐部１８→第１固定絞り１７→補助内部熱交換器２５の高圧側冷媒流路２５ａの順に流れる（ｄh74点→ｅh74点→ｆh74点）。この際、ノズル前逆止弁２９の前後差圧によって第２分岐部１８からノズル部１９ａ側へ冷媒が流出することはない。
【０４５４】
補助内部熱交換器２５では、高圧側冷媒流路２５ａを流通する冷媒と低圧側冷媒流路２５ｂを流通する冷媒との温度差が極めて小さいため、殆ど熱交換は行われない。
【０４５５】
補助内部熱交換器２５の高圧側冷媒流路２５ａから流出した冷媒は、内部熱交換器１５の高圧側冷媒流路１５ａ→第１分岐部１３→室外熱交換器５３の順に流れる。この際、可変絞り機構１４ａが全閉状態となっているので、第１分岐部１３から可変絞り機構１４ａ側へ冷媒が流出することはなく、内部熱交換器１５では熱交換は行われない。
【０４５６】
室外熱交換器５３へ流入した冷媒は、送風ファン５３ａから送風された外気と熱交換して吸熱する（ｆh74点→ｇh74点）。室外熱交換器５３から流出した冷媒は、第１電気式四方弁５１→第２電気式四方弁５２→補助内部熱交換器２５の低圧側冷媒流路２５ｂの順に流れる。
【０４５７】
補助内部熱交換器２５の低圧側冷媒流路２５ｂから流出した冷媒は、第２圧縮機２１へ吸入され圧縮される（ｇh74点→ｈh74点）。さらに、第２圧縮機２１吐出冷媒は、合流部１６を介して、第１圧縮機１１へ吸入され圧縮される（ｈh74点→ａh74点）。その他の作動は、第４８実施形態と同様である。
【０４５８】
本実施形態のエジェクタ式冷凍サイクル５００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第２実施形態と同様に、エジェクタ１９の駆動流の流量変動が生じても、ＣＯＰを低下させることなく、エジェクタ式冷凍サイクルを安定して作動させることができる。
【０４５９】
（第５０実施形態）
本実施形態では、図７５の全体構成図に示すように、第４８実施形態のエジェクタ式冷凍サイクル５００に対して、第３実施形態の補助放熱器２４と同様の構成の補助室外熱交換器５３ｂを追加した例を説明する。本実施形態の補助室外熱交換器５３ｂは、その内部を流通する冷媒と送風ファン５３ａにより送風される庫外空気（外気）とを熱交換させるものである。
【０４６０】
さらに、第４８実施形態に対して、室外熱交換器５３の熱交換能力を低下させるとともに、第１分岐部１３にて補助放熱器２４側へ流出する冷媒流量が温度式膨張弁１４側へ流出する冷媒流量よりも多くなるように構成されている。その他の構成は、第４８実施形態と同様である。
【０４６１】
次に、図７６により、上記構成における本実施形態の作動を説明する。本実施形態の基本的作動は、第４８実施形態と同様である。従って、冷却運転モードでは、図７５の実線矢印に示すように、以下の冷媒回路が構成される。
【０４６２】
第１の冷媒回路として、第１圧縮機１１→第１電気式四方弁５１→室外熱交換器５３→第１分岐部１３→可変絞り機構１４ａ→内部熱交換器１５の中間圧側冷媒流路１５ｂ→合流部１６→第１圧縮機１１の順に冷媒が循環する回路が構成される。
【０４６３】
第２の冷媒回路として、第１圧縮機１１→第１電気式四方弁５１→室外熱交換器５３→第１分岐部１３→補助室外熱交換器５３ｂ→内部熱交換器１５の高圧側冷媒流路１５ａ→第１固定絞り１７→第２分岐部１８→ノズル前逆止弁２９→エジェクタ１９→補助利用側熱交換器５４→第２電気式四方弁５２→第２圧縮機２１→合流部１６→第１圧縮機１１の順に冷媒が循環する回路が構成される。
【０４６４】
第３の冷媒回路として、第１圧縮機１１→第１電気式四方弁５１→室外熱交換器５３→第１分岐部１３→補助室外熱交換器５３ｂ→内部熱交換器１５の高圧側冷媒流路１５ａ→第１固定絞り１７→第２分岐部１８→第２固定絞り２２→利用側熱交換器５５→エジェクタ１９→補助利用側熱交換器５４→第２電気式四方弁５２→第２圧縮機２１→合流部１６→第１圧縮機１１の順に冷媒が循環する回路が構成される。
【０４６５】
つまり、本実施形態の冷却運転モードでは、室外熱交換器５３、補助室外熱交換器５３ｂ、補助利用側熱交換器５４および利用側熱交換器５５が、それぞれ第３実施形態における放熱器１２、補助放熱器２４、流出側蒸発器２０および吸引側蒸発器２３に対応する構成となり、図７６（ａ）に示すように、第３実施形態の図６と同様に作動して庫内空気を冷却できる。
【０４６６】
一方、加熱運転モードでは、制御装置が、第４８実施形態と同様に第１、第２電気式四方弁５１、５２を切り替える。
【０４６７】
これにより、第１圧縮機１１吐出冷媒は、第４８実施形態と同様に、第１電気式四方弁５１→第２電気式四方弁５２→補助利用側熱交換器５４→エジェクタ１９→利用側熱交換器５５の順に流れる（図７６（ｂ）のａh76点→ｂh76点→ｃh76点→ｄh76点）。これにより庫内空気が加熱される。
【０４６８】
利用側熱交換器５５から流出した冷媒は、第２固定絞り２２→第２分岐部１８→第１固定絞り１７の順に流れ減圧される（ｄh76点→ｅh76点→ｆh76点）。第１固定絞り１７にて減圧膨張された冷媒は、内部熱交換器１５を介して、補助室外熱交換器５３ｂへ流入する。補助室外熱交換器５３ｂへ流入した冷媒は、送風ファン５３ａから送風された外気と熱交換して吸熱する（ｆh76点→ｆ’h76点）。
【０４６９】
補助室外熱交換器５３ｂから流入した冷媒は、第１分岐部１３を介して、室外熱交換器５３へ流入する。室外熱交換器５３へ流入した冷媒は、送風ファン５３ａから送風された外気と熱交換して吸熱する（ｆ’h76点→ｇh76点）。
【０４７０】
室外熱交換器５３から流出した冷媒は、第１電気式四方弁５１→第２電気式四方弁５２の順に流れ第２圧縮機２１へ吸入されて圧縮される（ｇh76点→ｈh76点）。さらに、第２圧縮機２１吐出冷媒は、合流部１６を介して、第１圧縮機１１へ吸入されて圧縮される（ｈh76点→ａh76点）。
【０４７１】
本実施形態のエジェクタ式冷凍サイクル５００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第３実施形態と同様に、エジェクタ１９の駆動流の流量変動が生じても、ＣＯＰを低下させることなく、エジェクタ式冷凍サイクルを安定して作動させることができる。
【０４７２】
（第５１実施形態）
本実施形態では、図７７の全体構成図に示すように、第４９実施形態のエジェクタ式冷凍サイクル５００に対して、第５０実施形態と同様の補助室外熱交換器５３ｂを追加した例である。その他の構成は、第４９実施形態と同様である。
【０４７３】
次に、図７８より、上記構成における本実施形態の作動を説明する。本実施形態の基本的作動は、第４８実施形態と同様である。従って、冷却運転モードでは、図７７の実線矢印に示すように、以下の冷媒回路が構成される。
【０４７４】
第１の冷媒回路として、第１圧縮機１１→第１電気式四方弁５１→室外熱交換器５３→第１分岐部１３→可変絞り機構１４ａ→内部熱交換器１５の中間圧側冷媒流路１５ｂ→合流部１６→第１圧縮機１１の順に冷媒が循環する回路が構成される。
【０４７５】
第２の冷媒回路として、第１圧縮機１１→第１電気式四方弁５１→室外熱交換器５３→第１分岐部１３→補助室外熱交換器５３ｂ→内部熱交換器１５の高圧側冷媒流路１５ａ→補助内部熱交換器２５の高圧側冷媒流路２５ａ→第１固定絞り１７→第２分岐部１８→ノズル前逆止弁２９→エジェクタ１９→第１、第２電気式四方弁５１、５２→補助内部熱交換器２５の低圧側冷媒流路２５ｂ→第２圧縮機２１→合流部１６→第１圧縮機１１の順に冷媒が循環する回路が構成される。
【０４７６】
第３の冷媒回路として、第１圧縮機１１→第１電気式四方弁５１→室外熱交換器５３→第１分岐部１３→補助室外熱交換器５３ｂ→内部熱交換器１５の高圧側冷媒流路１５ａ→補助内部熱交換器２５の高圧側冷媒流路２５ａ→第１固定絞り１７→第２分岐部１８→第２固定絞り２２→利用側熱交換器５５→エジェクタ１９→第１、第２電気式四方弁５１、５２→補助内部熱交換器２５の低圧側冷媒流路２５ｂ→第２圧縮機２１→合流部１６→第１圧縮機１１の順に冷媒が循環する回路が構成される。
【０４７７】
つまり、本実施形態の冷却運転モードでは、室外熱交換器５３、補助室外熱交換器５３ｂ、利用側熱交換器５５が、それぞれ第４実施形態における放熱器１２、補助放熱器２４および吸引側蒸発器２３に対応する構成となり、図７８（ａ）に示すように、第４実施形態の図８と同様に作動して庫内空気を冷却できる。
【０４７８】
一方、加熱運転モードでは、制御装置が、第４９実施形態と同様に第１、第２電気式四方弁５１、５２を切り替える。
【０４７９】
これにより、第１圧縮機１１吐出冷媒は、第４９実施形態と同様に、第１電気式四方弁５１→第２電気式四方弁５２→エジェクタ１９→利用側熱交換器５５の順に流れる（図７８（ｂ）のａh78点→ｃh78点→ｄh78点）。これにより庫内空気が加熱される。
【０４８０】
利用側熱交換器５５から流出した冷媒は、第２固定絞り２２→第２分岐部１８→第１固定絞り１７の順に流れ減圧される（ｄh78点→ｅh78点→ｆh78点）。第１固定絞り１７にて減圧膨張された冷媒は、補助内部熱交換器２５および内部熱交換器１５を介して補助室外熱交換器５３ｂへ流入する。補助室外熱交換器５３ｂへ流入した冷媒は、送風ファン５３ａから送風された外気と熱交換して吸熱する（ｆh78点→ｆ’h78点）。
【０４８１】
補助室外熱交換器５３ｂから流入した冷媒は、第１分岐部１３を介して、室外熱交換器５３へ流入する。室外熱交換器５３へ流入した冷媒は、送風ファン５３ａから送風された外気と熱交換して吸熱する（ｆ’h78点→ｇh78点）。
【０４８２】
室外熱交換器５３から流出した冷媒は、第１電気式四方弁５１→第２電気式四方弁５２→補助内部熱交換器２５の低圧側冷媒流路２５ｂの順に流れ第２圧縮機２１へ吸入されて圧縮される（ｇh78点→ｈh78点）。さらに、第２圧縮機２１吐出冷媒は、合流部１６を介して、第１圧縮機１１へ吸入されて圧縮される（ｈh78点→ａh78点）。
【０４８３】
本実施形態のエジェクタ式冷凍サイクル５００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第４実施形態と同様に、エジェクタ１９の駆動流の流量変動が生じても、ＣＯＰを低下させることなく、エジェクタ式冷凍サイクルを安定して作動させることができる。
【０４８４】
（第５２実施形態）
図７９、８０により、本発明のエジェクタ式冷凍サイクル６００を第４８実施形態と同様の冷温保存庫に適用した例を説明する。図７９は、本実施形態のエジェクタ式冷凍サイクル６００の全体構成図である。なお、本実施形態のエジェクタ式冷凍サイクル６００は、その前提となる第４８実施形態のエジェクタ式冷凍サイクル５００に対して、構成機器の変更およびその接続態様の変更、すなわちサイクル構成を変更したものである。
【０４８５】
図７９に示すように、本実施形態では、第４８実施形態と同様の第１分岐部１３を、第１圧縮機１１の吐出口側に配置している。第１分岐部１３の一方の冷媒流出口には、第１室外熱交換器５３１が接続され、他方の冷媒流出口には、第２室外熱交換器５３２が接続されている。
【０４８６】
第１室外熱交換器５３１は、第１分岐部１３の一方の冷媒流出口から流出した高圧冷媒と、第１送風ファン５３１ａにより送風される庫外空気（外気）とを熱交換させる熱交換器である。また、第２室外熱交換器５３２は、第１分岐部１３の他方の冷媒流出口から流出した高圧冷媒と、第２送風ファン５３２ａにより送風される庫外空気（外気）とを熱交換させる熱交換器である。
【０４８７】
さらに、本実施形態のエジェクタ式冷凍サイクル６００では、第１室外熱交換器５３１の熱交換面積を、第２室外熱交換器５３２に対して縮小させることによって、第１室外熱交換器５３１の熱交換能力（放熱性能）を第２室外熱交換器５３２の熱交換能力よりも低下させている。第１、第２送風ファン５３１ａ、５３２ａは、制御装置から出力される制御電圧によって回転数（送風空気量）が制御される電動式送風機である。
【０４８８】
第１室外熱交換器５３１の出口側には、第４８実施形態と同様に高圧側減圧手段としての可変絞り機構１４ａが接続されている。可変絞り機構１４ａの冷媒流れ下流側のサイクル構成は、第４８実施形態と同様である。一方、第２室外熱交換器５３２の出口側には、内部熱交換器１５の高圧側冷媒流路１５ａが接続されている。高圧側冷媒流路１５ａの冷媒流れ下流側のサイクル構成は、第４８実施形態と同様である。
【０４８９】
従って、本実施形態の第１電気式四方弁５１は、第１圧縮機１１吐出口と第１分岐部１３との間および第２電気式四方弁５２の異なる２つの流入出口間を同時に接続する冷媒流路（図７９の実線矢印で示す回路）と、第１圧縮機１１吐出口と第２電気式四方弁５２の１つの流入出口間および第１分岐部１３と第２電気式四方弁５２の別の１つの流入出口との間を同時に接続する冷媒流路（図７９の破線矢印で示す回路）とを切り替える。
【０４９０】
また、本実施形態の第２電気式四方弁５２は、補助利用側熱交換器５４と第１電気式四方弁５１の１つの流入出口との間および第１電気式四方弁５１の別の１つの流入出口と第２圧縮機２１吸入口との間を同時に接続する冷媒流路（図７９の実線矢印で示す回路）と、第１電気式四方弁５１の１つの流入出口と補助利用側熱交換器５４との間および第１電気式四方弁５１の別の１つの流入出口と第２圧縮機２１吸入口との間とを同時に接続する冷媒流路（図７９の破線矢印で示す回路）とを切り替える。
【０４９１】
次に、図８０により、上記構成における本実施形態の作動を説明する。本実施形態の基本的作動は、第４８実施形態と同様である。
【０４９２】
本実施形態の冷却運転モードでは、制御装置が、第１圧縮機１１吐出口と第１分岐部１３との間および第２電気式四方弁５２の異なる２つの流入出口間を同時に接続するように第１電気式四方弁５１を切り替え、補助利用側熱交換器５４と第１電気式四方弁５１の１つの流入出口との間および第１電気式四方弁５１の別の１つの流入出口と第２圧縮機２１吸入口との間を同時に接続するように第２電気式四方弁５２を切り替える。従って、冷却運転モードでは、図７９の実線矢印に示すように、以下の冷媒回路が構成される。
【０４９３】
第１の冷媒回路として、第１圧縮機１１→第１電気式四方弁５１→第１分岐部１３→第１室外熱交換器５３１→可変絞り機構１４ａ→内部熱交換器１５の中間圧側冷媒流路１５ｂ→合流部１６→第１圧縮機１１の順に冷媒が循環する回路が構成される。
【０４９４】
第２の冷媒回路として、第１圧縮機１１→第１電気式四方弁５１→第１分岐部１３→第２室外熱交換器５３２→内部熱交換器１５の高圧側冷媒流路１５ａ→第１固定絞り１７→第２分岐部１８→ノズル前逆止弁２９→エジェクタ１９→補助利用側熱交換器５４→第１、第２電気式四方弁５１、５２→第２圧縮機２１→合流部１６→第１圧縮機１１の順に冷媒が循環する回路が構成される。
【０４９５】
第３の冷媒回路として、第１圧縮機１１→第１電気式四方弁５１→第１分岐部１３→第２室外熱交換器５３２→内部熱交換器１５の高圧側冷媒流路１５ａ→第１固定絞り１７→第２分岐部１８→第２固定絞り２２→利用側熱交換器５５→エジェクタ１９→補助利用側熱交換器５４→第１、第２電気式四方弁５１、５２→第２圧縮機２１→合流部１６→第１圧縮機１１の順に冷媒が循環する回路が構成される。
【０４９６】
つまり、本実施形態の冷却運転モードでは、第１室外熱交換器５３１、第２室外熱交換器５３２、補助利用側熱交換器５４および利用側熱交換器５５が、それぞれ第７実施形態における第１放熱器１２１、第２放熱器１２２、流出側蒸発器２０、吸引側蒸発器２３に対応する構成となり、図８０（ａ）に示すように、第７実施形態の図１４と同様に作動して庫内空気を冷却できる。
【０４９７】
一方、加熱運転モードでは、制御装置が、第１圧縮機１１吐出口と第２電気式四方弁５２の１つの流入出口間および第１分岐部１３と第２電気式四方弁５２の別の１つの流入出口との間を同時に接続するように第１電気式四方弁５１を切り替え、第１電気式四方弁５１の１つの流入出口と補助利用側熱交換器５４との間および第１電気式四方弁５１の別の１つの流入出口と第２圧縮機２１吸入口との間とを同時に接続するように第２電気式四方弁５２を切り替える。
【０４９８】
さらに、本実施形態では、制御装置が、可変絞り機構１４ａを全閉状態とするだけでなく、第１送風ファン５３１ａの作動を停止させる。これにより、第１圧縮機１１吐出冷媒は、第４８実施形態と同様に、第１電気式四方弁５１→第２電気式四方弁５２→補助利用側熱交換器５４→エジェクタ１９→利用側熱交換器５５の順に流れる（図８０（ｂ）のａh80点→ｂh80点→ｃh80点→ｄh80点）。これにより庫内空気が加熱される。
【０４９９】
利用側熱交換器５５から流出した冷媒は、第２固定絞り２２→第２分岐部１８→第１固定絞り１７の順に流れて減圧される（ｄh80点→ｅh80点→ｆh80点）。第１固定絞り１７にて減圧膨張された冷媒は、内部熱交換器１５の高圧側冷媒流路１５ａを介して第２室外熱交換器５３２へ流入する。第２室外熱交換器５３２へ流入した冷媒は、第２送風ファン５３２ａから送風された外気と熱交換して吸熱する（ｆh80点→ｇh80点）。
【０５００】
第２室外熱交換器５３２から流出した冷媒は、第１分岐部１３→第１電気式四方弁５１→第２電気式四方弁５２の順に流れ第２圧縮機２１へ吸入されて圧縮される（ｇh80点→ｈh80点）。さらに、第２圧縮機２１吐出冷媒は、合流部１６を介して、第１圧縮機１１へ吸入されて圧縮される（ｈh80点→ａh80点）。
【０５０１】
この際、可変絞り機構１４ａが全閉状態となっているので、第１分岐部１３から第１室外熱交換器５３１側へ冷媒が流出することはなく、内部熱交換器１５では熱交換は行われない。
【０５０２】
本実施形態のエジェクタ式冷凍サイクル６００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第７実施形態と同様に、エジェクタ１９の駆動流の流量変動が生じても、ＣＯＰを低下させることなく、エジェクタ式冷凍サイクルを安定して作動させることができる。
【０５０３】
（第５３実施形態）
本実施形態では、図８１の全体構成図に示すように、第５２実施形態のエジェクタ式冷凍サイクル６００に対して、第８実施形態と同様の補助内部熱交換器２５を追加するとともに、補助利用側熱交換器５４を廃止した例を説明する。
【０５０４】
本実施形態の補助内部熱交換器２５は、冷却運転モード時に、高圧側冷媒流路２５ａを通過する第２室外熱交換器５３２から流出した冷媒と、低圧側冷媒流路２５ｂを通過するエジェクタ１９のディフューザ部１９ｃから流出した冷媒との間で熱交換を行うものである。
【０５０５】
従って、本実施形態の第１電気式四方弁５１は、第１圧縮機１１吐出口と第１分岐部１３との間および第２電気式四方弁５２の異なる２つの流入出口間を同時に接続する冷媒流路（図８１の実線矢印で示す回路）と、第１圧縮機１１吐出口と第２電気式四方弁５２の１つの流入出口間および第１分岐部１３と第２電気式四方弁５２の別の１つの流入出口との間を同時に接続する冷媒流路（図８１の破線矢印で示す回路）とを切り替える。
【０５０６】
また、本実施形態の第２電気式四方弁５２は、エジェクタ１９のディフューザ部１９ｃと第１電気式四方弁５１の１つの流入出口との間および第１電気式四方弁５１の別の１つの流入出口と補助内部熱交換器２５の低圧側冷媒流路２５ｂとの間を同時に接続する冷媒流路（図８１の実線矢印で示す回路）と、第１電気式四方弁５１の１つの流入出口とエジェクタ１９のディフューザ部１９ｃとの間および第１電気式四方弁５１の別の１つの流入出口と補助内部熱交換器２５の低圧側冷媒流路２５ｂとの間を同時に接続する冷媒流路（図８１の破線矢印で示す回路）とを切り替える。
【０５０７】
次に、図８２により、上記構成における本実施形態の作動を説明する。本実施形態の基本的作動は、第４９実施形態と同様である。
【０５０８】
本実施形態の冷却運転モードでは、制御装置が、第１圧縮機１１吐出口と第１分岐部１３との間および第２電気式四方弁５２の異なる２つの流入出口間を同時に接続するように第１電気式四方弁５１を切り替え、エジェクタ１９のディフューザ部１９ｃと第１電気式四方弁５１の１つの流入出口との間および第１電気式四方弁５１の別の１つの流入出口と補助内部熱交換器２５の低圧側冷媒流路２５ｂとの間を同時に接続するように第２電気式四方弁５２を切り替える。これにより、図８１の実線矢印に示すように、以下の冷媒回路が構成される。
【０５０９】
第１の冷媒回路として、第１圧縮機１１→第１電気式四方弁５１→第１分岐部１３→第１室外熱交換器５３１→可変絞り機構１４ａ→内部熱交換器１５の中間圧側冷媒流路１５ｂ→合流部１６→第１圧縮機１１の順に冷媒が循環する回路が構成される。
【０５１０】
第２の冷媒回路として、第１圧縮機１１→第１電気式四方弁５１→第１分岐部１３→第２室外熱交換器５３２→内部熱交換器１５の高圧側冷媒流路１５ａ→補助内部熱交換器２５の高圧側冷媒流路１５ａ→第１固定絞り１７→第２分岐部１８→ノズル前逆止弁２９→エジェクタ１９→第１、第２電気式四方弁５１、５２→補助内部熱交換器２５の低圧側冷媒流路２５ｂ→第２圧縮機２１→合流部１６→第１圧縮機１１の順に冷媒が循環する回路が構成される。
【０５１１】
第３の冷媒回路として、第１圧縮機１１→第１電気式四方弁５１→第１分岐部１３→第２室外熱交換器５３２→内部熱交換器１５の高圧側冷媒流路１５ａ→補助内部熱交換器２５の高圧側冷媒流路１５ａ→第１固定絞り１７→第２分岐部１８→第２固定絞り２２→利用側熱交換器５５→エジェクタ１９→第１、第２電気式四方弁５１、５２→補助内部熱交換器２５の低圧側冷媒流路２５ｂ→第２圧縮機２１→合流部１６→第１圧縮機１１の順に冷媒が循環する回路が構成される。
【０５１２】
つまり、本実施形態の冷却運転モードでは、第１室外熱交換器５３１、第２室外熱交換器５３２および利用側熱交換器５５が、それぞれ第８実施形態における第１放熱器１２１、第２放熱器１２２および吸引側蒸発器２３に対応する構成となり、図８２（ａ）に示すように、第８実施形態の図１６と同様に作動して庫内空気を冷却できる。
【０５１３】
一方、加熱運転モードでは、制御装置が、第１圧縮機１１吐出口と第２電気式四方弁５２の１つの流入出口間および第１分岐部１３と第２電気式四方弁５２の別の１つの流入出口との間を同時に接続するように第１電気式四方弁５１を切り替え、第１電気式四方弁５１の１つの流入出口とエジェクタ１９のディフューザ部１９ｃとの間および第１電気式四方弁５１の別の１つの流入出口と補助内部熱交換器２５の低圧側冷媒流路２５ｂとの間を同時に接続するように第２電気式四方弁５２を切り替える。
【０５１４】
さらに、本実施形態では、制御装置が、可変絞り機構１４ａを全閉状態とするだけでなく、第１送風ファン５３１ａの作動を停止させる。
【０５１５】
これにより、第１圧縮機１１吐出冷媒は、第４９実施形態と同様に、第１、第２電気式四方弁５１、５２を介して、エジェクタ１９の内部を逆流しながら圧力低下して（ａh82点→ｃh82点）、利用側熱交換器５５へ流入する。利用側熱交換器５５へ流入した冷媒は、送風ファン５４ａから循環送風された庫内空気と熱交換して放熱する（ｃh82点→ｄh82点）。これにより庫内空気が、加熱される。
【０５１６】
利用側熱交換器５５から流出した冷媒は、第２固定絞り２２→第２分岐部１８→第１固定絞り１７の順に流れて減圧される（ｄh82点→ｅh82点→ｆh82点）。第１固定絞り１７にて減圧膨張された冷媒は、補助内部熱交換器２５および内部熱交換器１５を介して第２室外熱交換器５３２へ流入する。
【０５１７】
この際、補助内部熱交換器２５では、高圧側冷媒流路２５ａを流通する冷媒と低圧側冷媒流路２５ｂを流通する冷媒との温度差が極めて小さいため、殆ど熱交換は行われない。第２室外熱交換器５３２へ流入した冷媒は、第２送風ファン５３２ａから送風された外気と熱交換して吸熱する（ｆh82点→ｇh82点）。
【０５１８】
第２室外熱交換器５３２から流出した冷媒は、第１分岐部１３→第１電気式四方弁５１→第２電気式四方弁５２→補助内部熱交換器２５の低圧側冷媒流路２５ｂの順に流れ第２圧縮機２１へ吸入されて圧縮される（ｇh82点→ｈh82点）。さらに、第２圧縮機２１吐出冷媒は、合流部１６を介して、第１圧縮機１１へ吸入されて圧縮される（ｈh82点→ａh82点）。
【０５１９】
この際、可変絞り機構１４ａが全閉状態となっているので、第１分岐部１３から第１室外熱交換器５３１側へ冷媒が流出することはなく、内部熱交換器１５では熱交換は行われない。
【０５２０】
本実施形態のエジェクタ式冷凍サイクル６００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第８実施形態と同様に、エジェクタ１９の駆動流の流量変動が生じても、ＣＯＰを低下させることなく、エジェクタ式冷凍サイクルを安定して作動させることができる。
【０５２１】
（第５４実施形態）
本実施形態では、図８３の全体構成図に示すように、第１実施形態のエジェクタ式冷凍サイクル１００に対して、合流部１６の配置を変更している。つまり、第１実施形態では、合流部１６にて、内部熱交換器１５の中間圧側冷媒流路１５ｂから流出した冷媒と第２圧縮機２１吐出冷媒を合流させているが、本実施形態では、合流部１６にて、温度式膨張弁１４流出冷媒と第２圧縮機２１吐出冷媒を合流させている。
【０５２２】
従って、本実施形態の内部熱交換器１５では、温度式膨張弁１４流出冷媒（図８４のｃ84点）と第２圧縮機２１吐出冷媒（ｌ84点）とを合流させた合流冷媒（ｄ84点）と、第１分岐部１３から内部熱交換器１５側へ流出した冷媒（ｂ84点）とを熱交換させている。その他の構成および作動は第１実施形態と同様である。
【０５２３】
その結果、本実施形態では、図８４のモリエル線図に示すように、実質的に第１実施形態と同様に作動して、第１実施形態と同様の効果を得ることができる。
【０５２４】
（第５５〜６１実施形態）
第５５実施形態では、図８５の全体構成図に示すように、第２実施形態のエジェクタ式冷凍サイクル１００に対して、第５４実施形態と同様に、合流部１６の配置を変更している。従って、図８６のモリエル線図に示すように、実質的に第２実施形態と同様に作動して、第２実施形態と同様の効果を得ることができる。
【０５２５】
第５６実施形態では、図８７の全体構成図に示すように、第３実施形態のエジェクタ式冷凍サイクル１００に対して、第５４実施形態と同様に、合流部１６の配置を変更している。従って、図８８のモリエル線図に示すように、実質的に第３実施形態と同様に作動して、第３実施形態と同様の効果を得ることができる。
【０５２６】
第５７実施形態では、図８９の全体構成図に示すように、第４実施形態のエジェクタ式冷凍サイクル１００に対して、第５４実施形態と同様に、合流部１６の配置を変更している。従って、図９０のモリエル線図に示すように、実質的に第４実施形態と同様に作動して、第４実施形態と同様の効果を得ることができる。
【０５２７】
第５８実施形態では、図９１の全体構成図に示すように、第５実施形態のエジェクタ式冷凍サイクル２００に対して、第５４実施形態と同様に、合流部１６の配置を変更している。従って、図９２のモリエル線図に示すように、実質的に第５実施形態と同様に作動して、第５実施形態と同様の効果を得ることができる。
【０５２８】
第５９実施形態では、図９３の全体構成図に示すように、第６実施形態のエジェクタ式冷凍サイクル２００に対して、第５４実施形態と同様に、合流部１６の配置を変更している。従って、図９４のモリエル線図に示すように、実質的に第６実施形態と同様に作動して、第６実施形態と同様の効果を得ることができる。
【０５２９】
第６０実施形態では、図９５の全体構成図に示すように、第７実施形態のエジェクタ式冷凍サイクル３００に対して、第５４実施形態と同様に、合流部１６の配置を変更している。従って、図９６のモリエル線図に示すように、実質的に第７実施形態と同様に作動して、第７実施形態と同様の効果を得ることができる。
【０５３０】
第６１実施形態では、図９７の全体構成図に示すように、第８実施形態のエジェクタ式冷凍サイクル３００に対して、第５４実施形態と同様に、合流部１６の配置を変更している。従って、図９８のモリエル線図に示すように、実質的に第８実施形態と同様に作動して、第８実施形態と同様の効果を得ることができる。
【０５３１】
（第６２〜第６７実施形態）
第６２実施形態は、図９９の全体構成図に示すように、第５４実施形態のエジェクタ式冷凍サイクル１００に対して、放熱器１２出口側に高圧側気液分離器として受液器１２ｂを設けたものである。この受液器１２ｂは、分離された飽和液相冷媒を下流側の第１分岐部１３へ導出させる。本実施形態によれば、実質的に第９実施形態と同様に作動して、第９実施形態と同様の効果を得ることができる。
【０５３２】
第６３実施形態は、図１００の全体構成図に示すように、第５５実施形態のエジェクタ式冷凍サイクル１００に対して、放熱器１２出口側に高圧側気液分離器として受液器１２ｂを設けたものである。本実施形態によれば、実質的に第１０実施形態と同様に作動して、第１０実施形態と同様の効果を得ることができる。
【０５３３】
同様に、第５５、第５６実施形態のエジェクタ式冷凍サイクル１００および第５７、第５８実施形態のエジェクタ式冷凍サイクル２００に対して、第６２、第６３実施形態と同様の受益器１２ｂを設けてもよい。
【０５３４】
第６４実施形態は、図１０１の全体構成図に示すように、第５６実施形態のエジェクタ式冷凍サイクル１００に対して、補助放熱器２４出口側に高圧側気液分離器として受液器２４ｂを設けたものである。本実施形態によれば、実質的に第１１実施形態と同様に作動して、第１１実施形態と同様の効果を得ることができる。
【０５３５】
第６５実施形態は、図１０２に示すように、第５７実施形態のエジェクタ式冷凍サイクル１００に対して、補助放熱器２４出口側に高圧側気液分離器として受液器２４ｂを設けたものである。本実施形態によれば、実質的に第１２実施形態と同様に作動して、第１２実施形態と同様の効果を得ることができる。
【０５３６】
第６６実施形態は、図１０３の全体構成図に示すように、第６０実施形態のエジェクタ式冷凍サイクル３００に対して、第１放熱器１２１および第２放熱器１２２の出口側に、それぞれ高圧側気液分離器としての第１、第２受液器１２１ｂ、１２２ｂを設けたものである。本実施形態によれば、実質的に第１３実施形態と同様に作動して、第１３実施形態と同様の効果を得ることができる。
【０５３７】
第６７実施形態は、図１０４の全体構成図に示すように、第６１実施形態のエジェクタ式冷凍サイクル３００に対して、第１放熱器１２１および第２放熱器１２２の出口側に、それぞれ第１、第２高圧側気液分離器としての第１、第２受液器１２１ｂ、１２２ｂを設けたものである。
【０５３８】
本実施形態によれば、実質的に第１４実施形態と同様に作動して、第１４実施形態と同様の効果を得ることができる。なお、第６６、第６７本実施形態では、第１、第２受液器１２１ｂ、１２２ｂの双方を設けた例を説明したが、第１、第２受液器１２１ｂ、１２２ｂのうち、いずれか一方のみを設ける構成としてもよい。
【０５３９】
（第６８〜第７３実施形態）
第６８実施形態は、図１０５の全体構成図に示すように、第５４実施形態のエジェクタ式冷凍サイクル１００に対して、放熱器１２の構成を第１５実施形態と同様のサブクール型凝縮器として構成したものである。その他の構成は、第５４実施形態と同様である。本実施形態によれば、実質的に第１５実施形態と同様に作動して、第１５実施形態と同様の効果を得ることができる。
【０５４０】
第６９実施形態は、図１０６の全体構成図に示すように、第５５実施形態のエジェクタ式冷凍サイクル１００に対して、放熱器１２の構成を第１５実施形態と同様のサブクール型凝縮器として構成したものである。その他の構成は、第５５実施形態と同様である。本実施形態によれば、実質的に第１６実施形態と同様に作動して、第１６実施形態と同様の効果を得ることができる。
【０５４１】
第７０実施形態は、図１０７の全体構成図に示すように、第５６実施形態のエジェクタ式冷凍サイクル１００に対して、放熱器１２の構成を第１５実施形態と同様のサブクール型凝縮器として構成したものである。その他の構成は、第５６実施形態と同様である。本実施形態によれば、実質的に第１７実施形態と同様に作動して、第１７実施形態と同様の効果を得ることができる。
【０５４２】
第７１実施形態は、図１０８の全体構成図に示すように、第５７実施形態のエジェクタ式冷凍サイクル１００に対して、放熱器１２の構成を第１５実施形態と同様のサブクール型凝縮器として構成したものである。その他の構成は、第５７実施形態と同様である。本実施形態によれば、実質的に第１８実施形態と同様に作動して、第１８実施形態と同様の効果を得ることができる。
【０５４３】
もちろん、第５８、第５９実施形態のエジェクタ式冷凍サイクル２００に対して、放熱器１２としてサブクール型凝縮器を採用してもよい。
【０５４４】
第７２実施形態は、図１０９の全体構成図に示すように、第５８実施形態のエジェクタ式冷凍サイクル３００に対して、第１、第２放熱器１２１、１２２の構成を第１９実施形態と同様のサブクール型凝縮器として構成したものである。その他の構成は、第６０実施形態と同様である。本実施形態によれば、実質的に第１９実施形態と同様に作動して、第１９実施形態と同様の効果を得ることができる。
【０５４５】
第７３実施形態は、図１１０の全体構成図に示すように、第５９実施形態のエジェクタ式冷凍サイクル３００に対して、第１、第２放熱器１２１、１２２の構成を第１５実施形態と同様のサブクール型凝縮器として構成したものである。その他の構成は、第６１実施形態と同様である。本実施形態によれば、実質的に第２０実施形態と同様に作動して、第２０実施形態と同様の効果を得ることができる。
【０５４６】
第７２、第７３実施形態では、第１、第２放熱器１２１、１２２の双方をサブクール型凝縮器とした例を説明したが、第１、第２放熱器１２１、１２２のうち、いずれか一方のみをサブクール型凝縮器としてもよい。
【０５４７】
（第７４〜第７９実施形態）
第７４実施形態は、図１１１の全体構成図に示すように、第５４実施形態のエジェクタ式冷凍サイクル１００に対して、温度式膨張弁１４を廃止して、第２１実施形態と同様の膨張機４０を設けたものである。本実施形態によれば、実質的に第２１実施形態と同様に作動して、エジェクタ式冷凍サイクル１００全体としてのエネルギ効率を向上できる。
【０５４８】
第７５実施形態は、図１１２の全体構成図に示すように、第５５実施形態のエジェクタ式冷凍サイクル１００に対して、温度式膨張弁１４を廃止して、第２１実施形態と同様の膨張機４０を設けたものである。本実施形態によれば、実質的に第２２実施形態と同様に作動して、エジェクタ式冷凍サイクル１００全体としてのエネルギ効率を向上できる。
【０５４９】
第７６実施形態は、図１１３の全体構成図に示すように、第５６実施形態のエジェクタ式冷凍サイクル１００に対して、温度式膨張弁１４を廃止して、第２１実施形態と同様の膨張機４０を設けたものである。本実施形態によれば、実質的に第２３実施形態と同様に作動して、エジェクタ式冷凍サイクル１００全体としてのエネルギ効率を向上できる。
【０５５０】
第７７実施形態は、図１１４の全体構成図に示すように、第５７実施形態のエジェクタ式冷凍サイクル１００に対して、温度式膨張弁１４を廃止して、第２１実施形態と同様の膨張機４０を設けたものである。本実施形態によれば、実質的に第２４実施形態と同様に作動して、エジェクタ式冷凍サイクル１００全体としてのエネルギ効率を向上できる。
【０５５１】
第７８実施形態は、図１１５の全体構成図に示すように、第６０実施形態のエジェクタ式冷凍サイクル３００に対して、温度式膨張弁１４を廃止して、第２１実施形態と同様の膨張機４０を設けたものである。本実施形態によれば、実質的に第２５実施形態と同様に作動して、エジェクタ式冷凍サイクル１００全体としてのエネルギ効率を向上できる。
【０５５２】
第７９実施形態は、図１１６の全体構成図に示すように、第６１実施形態のエジェクタ式冷凍サイクル３００に対して、温度式膨張弁１４を廃止して、第２１実施形態と同様の膨張機４０を設けたものである。本実施形態によれば、実質的に第２６実施形態と同様に作動して、エジェクタ式冷凍サイクル１００全体としてのエネルギ効率を向上できる。
【０５５３】
なお、第７４〜第７９実施形態では、高圧側減圧手段として膨張機４０を採用した例を説明したが、もちろん、第１固定絞り１７を廃止して、ノズル前減圧手段として膨張機を採用してもよいし、第２固定絞り２２を廃止して、吸引側減圧手段として膨張機を採用してもよい。さらに、第５８、第５９実施形態のエジェクタ式冷凍サイクル２００において、温度式膨張弁１４、第１、第２固定絞り１７、２２として膨張機を採用してもよい。
【０５５４】
（第８０実施形態）
第５４〜第７９実施形態では、冷媒として通常のフロン系冷媒を採用し、第１圧縮機１１吐出冷媒の圧力が冷媒の臨界圧力を超えない亜臨界冷凍サイクルを構成した例を説明したが、本実施形態では、冷媒として二酸化炭素を採用し、第１圧縮機１１吐出冷媒の圧力が冷媒の臨界圧力以上となる超臨界冷凍サイクルを構成した例を説明する。
【０５５５】
さらに、本実施形態では、図１１７の全体構成図に示すように、第５４実施形態に対して、ノズル前減圧手段である第１固定絞り１７を廃止している。その他の構成は、第５４実施形態と同様である。
【０５５６】
従って、本実施形態によれば、図１１８のモリエル線図に示すように、エジェクタ１９のノズル部１９ａにおける減圧量（図１１８では、ｆ118点とｈ118点の圧力差）を増加させることによるＣＯＰ向上効果を得ることができ、第３３実施形態と同様の効果を得ることができる。
【０５５７】
（第８１実施形態）
本実施形態では、図１１９の全体構成図に示すように、第５５実施形態のエジェクタ式冷凍サイクル１００に対して、第８０実施形態と同様に、第１固定絞り１７を廃止して、第１圧縮機１１吐出冷媒の圧力が冷媒の臨界圧力以上となる超臨界冷凍サイクルを構成している。
【０５５８】
従って、本実施形態によれば、図１２０のモリエル線図に示すように、エジェクタ１９のノズル部１９ａにおける減圧量（図１２０では、ｆ’120点とｈ120点の圧力差）を増加させることによるＣＯＰ向上効果を得ることができ、第３４実施形態と同様の効果を得ることができる。
【０５５９】
（第８２実施形態）
本実施形態では、図１２１の全体構成図に示すように、第５６実施形態のエジェクタ式冷凍サイクル１００に対して、第８０実施形態と同様に、第１固定絞り１７を廃止して、第１圧縮機１１吐出冷媒の圧力が冷媒の臨界圧力以上となる超臨界冷凍サイクルを構成している。
【０５６０】
従って、本実施形態によれば、図１２２のモリエル線図に示すように、エジェクタ１９のノズル部１９ａにおける減圧量（図１２２では、ｆ122点とｈ122点の圧力差）を増加させることによるＣＯＰ向上効果を得ることができ、第３５実施形態と同様の効果を得ることができる。
【０５６１】
（第８３実施形態）
本実施形態では、図１２３の全体構成図に示すように、第５７実施形態のエジェクタ式冷凍サイクル１００に対して、第８０実施形態と同様に、第１固定絞り１７を廃止して、第１圧縮機１１吐出冷媒の圧力が冷媒の臨界圧力以上となる超臨界冷凍サイクルを構成している。
【０５６２】
従って、本実施形態によれば、図１２４のモリエル線図に示すように、エジェクタ１９のノズル部１９ａにおける減圧量（図１２４では、ｆ’124点とｈ124点の圧力差）を増加させることによるＣＯＰ向上効果を得ることができ、第３６実施形態と同様の効果を得ることができる。
【０５６３】
（第８４実施形態）
本実施形態では、図１２５の全体構成図に示すように、第６０実施形態のエジェクタ式冷凍サイクル３００に対して、第８０実施形態と同様に、第１固定絞り１７を廃止して、第１圧縮機１１吐出冷媒の圧力が冷媒の臨界圧力以上となる超臨界冷凍サイクルを構成している。
【０５６４】
従って、本実施形態によれば、図１２６のモリエル線図に示すように、エジェクタ１９のノズル部１９ａにおける減圧量（図１２６では、ｆ126点とｈ126点の圧力差）を増加させることによるＣＯＰ向上効果を得ることができ、第３７実施形態と同様の効果を得ることができる。
【０５６５】
（第８５実施形態）
本実施形態では、図１２７の全体構成図に示すように、第６１実施形態のエジェクタ式冷凍サイクル３００に対して、第８０実施形態と同様に、第１固定絞り１７を廃止して、第１圧縮機１１吐出冷媒の圧力が冷媒の臨界圧力以上となる超臨界冷凍サイクルを構成している。
【０５６６】
従って、本実施形態によれば、図１２８のモリエル線図に示すように、エジェクタ１９のノズル部１９ａにおける減圧量（図１２８では、ｆ’128点とｈ128点の圧力差）を増加させることによるＣＯＰ向上効果を得ることができ、第３８実施形態と同様の効果を得ることができる。
【０５６７】
なお、第８０〜第８５実施形態では、第５４〜第５７、第６０、第６１実施形態のエジェクタ式冷凍サイクル１００、３００を超臨界冷凍サイクルとして構成した例を説明したが、もちろん、第５８、第５９実施形態のエジェクタ式冷凍サイクル２００を超臨界冷凍サイクルとして構成してもよい。
【０５６８】
（第８６実施形態）
図１２９、１３０により本発明の第８６実施形態を説明する。ところで、第３９実施形態で説明したように、冷凍機に適用されるエジェクタ式冷凍サイクル１００では、吸引側蒸発器２３の着霜が懸念される。
【０５６９】
そこで、本実施形態では、図１２９の全体構成図に示すように、第５４実施形態のエジェクタ式冷凍サイクル１００に対して、第３９実施形態と同様のバイパス通路２８および開閉弁２８ａを追加し、吸引側減圧手段として電気式の可変絞り機構２２ａを採用している。その他の構成は、第５４実施形態と同様である。
【０５７０】
次に、図１３０のモリエル線図により、本実施形態の作動を説明する。本実施形態のエジェクタ式冷凍サイクル１００では、第３９実施形態と同様に、庫内を冷却する通常運転モードと吸引側蒸発器２３および流出側蒸発器２０の除霜を行う除霜運転モードとを切り替えることができる。
【０５７１】
なお、図１３０（ａ）は、通常運転モードにおける冷媒の状態を示すモリエル線図であり、図１３０（ｂ）は、除霜運転モードにおける冷媒の状態を示すモリエル線図である。
【０５７２】
通常運転モードでは、制御装置が開閉弁２８ａを閉弁状態とし、可変絞り機構２２ａを予め定めた絞り開度とする。これにより、通常運転モードでは、図１３０（ａ）のモリエル線図に示すように、第５４実施形態の図８４と同様に作動する。
【０５７３】
一方、除霜運転モードでは、制御装置が冷却ファン１２ａの作動を停止させ、可変絞り機構２２ａを全閉状態とし、さらに、開閉弁２８ａを開く。これにより、除霜運転モードでは、図１３０（ｂ）のモリエル線図に示すように、第３９実施形態の図５４（ｂ）と同様に作動する。
【０５７４】
従って、本実施形態のエジェクタ式冷凍サイクル１００では、通常運転モード時に、第５４実施形態と同様の効果を得ることができ、除霜運転モード時に、吸引側蒸発器２３および流出側蒸発器２０の除霜を行うことができる。
【０５７５】
また、本実施形態のように、除霜運転モード時に、制御装置が冷却ファン１２ａの作動を停止させる場合は、放熱器１２が放熱能力を発揮しないので、例えば、放熱器１２の下流側であって第１分岐部１３の上流側から高圧冷媒をバイパス通路２８側へ流入させるようにしてもよい。
【０５７６】
（第８７実施形態）
本実施形態では、図１３１の全体構成図に示すように、第８６実施形態のエジェクタ式冷凍サイクル１００に対して、第４０実施形態と同様の補助バイパス通路２８ｂおよび補助バイパス通路用逆止弁２８ｃを追加して、除霜運転モードを実行可能に構成している。
【０５７７】
本実施形態の基本的作動は、第８６実施形態と同様である。従って、本実施形態のエジェクタ式冷凍サイクル１００を作動させると、通常運転モードでは、図１３２（ａ）のモリエル線図に示すように、第５４実施形態の図８６と同様に作動する。一方、除霜運転モードでは、図１３２（ｂ）のモリエル線図に示すように、第４０実施形態の図５６（ｂ）と同様に作動する。
【０５７８】
その結果、本実施形態のエジェクタ式冷凍サイクル１００では、通常運転モード時に、第５４実施形態と同様の効果を得ることができ、除霜運転モード時に、吸引側蒸発器２３および流出側蒸発器２０の除霜を行うことができる。
【０５７９】
（第８８実施形態）
本実施形態では、図１３３の全体構成図に示すように、第５５実施形態のエジェクタ式冷凍サイクル１００に対して、第３９実施形態と同様のバイパス通路２８および開閉弁２８ａを追加し、吸引側減圧手段として電気式の可変絞り機構２２ａを採用して除霜運転モードを実行可能に構成している。その他の構成は、第５５実施形態と同様である。
【０５８０】
本実施形態の基本的作動は、第８６実施形態と同様である。従って、本実施形態のエジェクタ式冷凍サイクル１００を作動させると、通常運転モードでは、図１３４（ａ）のモリエル線図に示すように、第５５実施形態の図８６と同様に作動する。一方、除霜運転モードでは、図１３４（ｂ）のモリエル線図に示すように、第４１実施形態の図５８（ｂ）と同様に作動する。
【０５８１】
その結果、本実施形態のエジェクタ式冷凍サイクル１００では、通常運転モード時に、第５５実施形態と同様の効果を得ることができ、除霜運転モード時に、吸引側蒸発器２３の除霜を行うことができる。
【０５８２】
（第８９実施形態）
本実施形態では、図１３５の全体構成図に示すように、第５６実施形態のエジェクタ式冷凍サイクル１００に対して、第３９実施形態と同様のバイパス通路２８および開閉弁２８ａを追加し、吸引側減圧手段として電気式の可変絞り機構２２ａを採用して除霜運転モードを実行可能に構成している。その他の構成は、第５６実施形態と同様である。
【０５８３】
本実施形態の基本的作動は、第８６実施形態と同様である。従って、本実施形態のエジェクタ式冷凍サイクル１００を作動させると、通常運転モードでは、図１３６（ａ）のモリエル線図に示すように、第５６実施形態の図８８と同様に作動する。一方、除霜運転モードでは、図１３６（ｂ）のモリエル線図に示すように、第４２実施形態の図６０（ｂ）と同様に作動する。
【０５８４】
その結果、本実施形態のエジェクタ式冷凍サイクル１００では、通常運転モード時に、第５６実施形態と同様の効果を得ることができ、除霜運転モード時に、吸引側蒸発器２３および流出側蒸発器２０の除霜を行うことができる。
【０５８５】
（第９０実施形態）
本実施形態では、図１３７の全体構成図に示すように、第５６実施形態のエジェクタ式冷凍サイクル１００に対して、バイパス通路２８、開閉弁２８ａ、補助バイパス通路２８ｂおよび補助バイパス通路用逆止弁２８ｃを追加し、吸引側減圧手段として電気式の可変絞り機構２２ａを採用して、除霜運転モードを実行可能に構成している。その他の構成は、第５６実施形態と同様である。
【０５８６】
本実施形態の基本的作動は、第８６実施形態と同様である。従って、本実施形態のエジェクタ式冷凍サイクル１００を作動させると、通常運転モードでは、図１３８（ａ）のモリエル線図に示すように、第５６の図８８と同様に作動する。一方、除霜運転モードでは、図１３８（ｂ）のモリエル線図に示すように、第４３実施形態の除霜運転モードの図６２（ｂ）と同様に作動する。
【０５８７】
その結果、本実施形態のエジェクタ式冷凍サイクル１００では、通常運転モード時に、第５６実施形態と同様の効果を得ることができ、除霜運転モード時に、吸引側蒸発器２３および流出側蒸発器２０の除霜を行うことができる。
【０５８８】
（第９１実施形態）
本実施形態では、図１３９の全体構成図に示すように、第５７実施形態のエジェクタ式冷凍サイクル１００に対して、第３９実施形態と同様のバイパス通路２８および開閉弁２８ａを追加し、吸引側減圧手段として電気式の可変絞り機構２２ａを採用して、除霜運転モードを実行可能に構成している。その他の構成は、第５７実施形態と同様である。
【０５８９】
本実施形態の基本的作動は、第８６実施形態と同様である。従って、本実施形態のエジェクタ式冷凍サイクル１００を作動させると、通常運転モードでは、図１４０（ａ）のモリエル線図に示すように、第５７実施形態の図９０と同様に作動する。一方、除霜運転モードでは、図１４０（ｂ）のモリエル線図に示すように、第４４実施形態の除霜運転モードの図６４（ｂ）と同様に作動する。
【０５９０】
その結果、本実施形態のエジェクタ式冷凍サイクル１００では、通常運転モード時に、第５７実施形態と同様の効果を得ることができ、除霜運転モード時に、吸引側蒸発器２３の除霜を行うことができる。
【０５９１】
また、第８６〜第９１実施形態では、第５４〜第５７実施形態のエジェクタ式冷凍サイクル１００に対して、バイパス通路２８および開閉弁２８ａ等を追加した例を説明したが、もちろん、第５８、第５９実施形態のエジェクタ式冷凍サイクル２００に対して、バイパス通路２８および開閉弁２８ａ等を追加してもよい。
【０５９２】
（第９２実施形態）
本実施形態では、図１４１の全体構成図に示すように、第６０実施形態のエジェクタ式冷凍サイクル３００に対して、第３９実施形態と同様のバイパス通路２８および開閉弁２８ａを追加し、吸引側減圧手段として電気式の可変絞り機構２２ａを採用して、除霜運転モードを実行可能に構成している。
【０５９３】
より具体的には、本実施形態のバイパス通路２８は、第１分岐部１３下流側かつ第２放熱器１２２上流側の高圧冷媒を、第１、第２放熱器１２１、１２２を迂回させて、直接、吸引側蒸発器２３へ導く冷媒流路である。
【０５９４】
もちろん、バイパス通路２８は、第１分岐部１３下流側かつ第２放熱器１２２上流側の高圧冷媒、または、第１分岐部１３上流側の第１圧縮機１１吐出冷媒を吸引側蒸発器２３へ導く冷媒流路で構成してもよい。その他の構成は、第６０実施形態と同様である。
【０５９５】
本実施形態の基本的作動は、第８６実施形態と同様である。従って、本実施形態のエジェクタ式冷凍サイクル１００を作動させると、通常運転モードでは、図１４２（ａ）のモリエル線図に示すように、第６０実施形態の図９６と同様に作動する。一方、除霜運転モードでは、図１４２（ｂ）のモリエル線図に示すように、第４５実施形態の除霜運転モードの図６６（ｂ）と同様に作動する。
【０５９６】
その結果、本実施形態のエジェクタ式冷凍サイクル３００では、通常運転モード時に、第６０実施形態と同様の効果を得ることができ、除霜運転モード時に、吸引側蒸発器２３および流出側蒸発器２０の除霜を行うことができる。
【０５９７】
また、本実施形態のように、除霜運転モード時に、制御装置が第１、第２冷却ファン１２１ａ、１２２ａの作動を停止させる場合は、第１、第２放熱器１２１、１２２が放熱能力を発揮しない。
【０５９８】
従って、例えば、第１放熱器１２１の下流側であって温度式膨張弁１４の上流側から高圧冷媒をバイパス通路２８側へ流入させるようにしてもよいし、第２放熱器１２２の下流側であって内部熱交換器１５の上流側から高圧冷媒をバイパス通路２８側へ流入させるようにしてもよい。
【０５９９】
（第９３実施形態）
本実施形態では、図１４３の全体構成図に示すように、第６０実施形態のエジェクタ式冷凍サイクル３００に対して、バイパス通路２８、開閉弁２８ａ、補助バイパス通路２８ｂおよび補助バイパス通路用逆止弁２８ｃを追加し、吸引側減圧手段として電気式の可変絞り機構２２ａを採用して、除霜運転モードを実行可能に構成している。その他の構成は、第６０実施形態と同様である。
【０６００】
本実施形態の基本的作動は、第８６実施形態と同様である。従って、本実施形態のエジェクタ式冷凍サイクル３００を作動させると、通常運転モードでは、図１４４（ａ）のモリエル線図に示すように、第６０実施形態の図９６と同様に作動する。一方、除霜運転モードでは、図１４４（ｂ）のモリエル線図に示すように、第４６実施形態の図６８（ｂ）と同様に作動する。
【０６０１】
その結果、本実施形態のエジェクタ式冷凍サイクル３００では、通常運転モード時に、第６０実施形態と同様の効果を得ることができ、除霜運転モード時に、吸引側蒸発器２３および流出側蒸発器２０の除霜を行うことができる。
【０６０２】
（第９４実施形態）
本実施形態では、図１４５の全体構成図に示すように、第６１実施形態のエジェクタ式冷凍サイクル３００に対して、第６９に示すように、第８実施形態のエジェクタ式冷凍サイクル３００に対して、第４５実施形態と同様のバイパス通路２８および開閉弁２８ａを追加し、吸引側減圧手段として電気式の可変絞り機構２２ａを採用して、除霜運転モードを実行可能に構成している。その他の構成は、第６１実施形態と同様である。
【０６０３】
本実施形態の基本的作動は、第８６実施形態と同様である。従って、本実施形態のエジェクタ式冷凍サイクル３００を作動させると、通常運転モードでは、図１４６（ａ）のモリエル線図に示すように、第６１実施形態の図９８と同様に作動する。一方、除霜運転モードでは、図１４６（ｂ）のモリエル線図に示すように、第４７実施形態の除霜運転モードの図７０（ｂ）と同様に作動する。
【０６０４】
これにより、本実施形態のエジェクタ式冷凍サイクル３００では、通常運転モード時に、第６１実施形態と同様の効果を得ることができ、除霜運転モード時に、吸引側蒸発器２３の除霜を行うことができる。
【０６０５】
（第９５実施形態）
次に、図１４７、１４８により、本発明の第９５実施形態を説明する。本実施形態では、本発明のエジェクタ式冷凍サイクルを、第４８実施形態と同様の冷温保存庫に適用している。図１４７は、本実施形態のエジェクタ式冷凍サイクル５００の全体構成図である。本実施形態では、図１４７の全体構成図に示すように、第４８実施形態のエジェクタ式冷凍サイクル５００に対して、合流部１６の配置を変更している。
【０６０６】
つまり、第４８実施形態では、合流部１６にて内部熱交換器１５の中間圧側冷媒流路１５ｂから流出した冷媒と第２圧縮機２１吐出冷媒を合流させているが、本実施形態では、冷却運転モード時に、合流部１６にて温度式膨張弁１４流出冷媒と第２圧縮機２１吐出冷媒を合流させている。その他の構成は第４８実施形態と同様である。
【０６０７】
次に、図１４８により、上記構成における本実施形態の作動を説明する。なお、図１４８（ａ）は、冷却運転モードにおける冷媒の状態を示すモリエル線図であり、図１４８（ｂ）は、加熱運転モードにおける冷媒の状態を示すモリエル線図である。
【０６０８】
まず、冷却運転モードでは、制御装置が、第１、第２電動モータ１１ｂ、２１ｂ、送風ファン５３ａ、５４ａを作動させ、可変絞り機構１４ａの絞り開度を予め定めた開度となるように制御し、さらに、第４８実施形態と同様に、第１、第２電気式四方弁５１、５２を切り替える。これにより、図１４７の実線矢印に示すように、以下の冷媒回路が構成される。
【０６０９】
第１の冷媒回路として、第１圧縮機１１→第１電気式四方弁５１→室外熱交換器５３→第１分岐部１３→可変絞り機構１４ａ→合流部１６→内部熱交換器１５の中間圧側冷媒流路１５ｂ→第１圧縮機１１の順に冷媒が循環する回路が構成される。
【０６１０】
第２の冷媒回路として、第１圧縮機１１→第１電気式四方弁５１→室外熱交換器５３→第１分岐部１３→内部熱交換器１５の高圧側冷媒流路１５ａ→第１固定絞り１７→第２分岐部１８→ノズル前逆止弁２９→エジェクタ１９→補助利用側熱交換器５４→第２電気式四方弁５２→第２圧縮機２１→合流部１６→第１圧縮機１１の順に冷媒が循環する回路が構成される。
【０６１１】
第３の冷媒回路として、第１圧縮機１１→第１電気式四方弁５１→室外熱交換器５３→第１分岐部１３→内部熱交換器１５の高圧側冷媒流路１５ａ→第１固定絞り１７→第２分岐部１８→第２固定絞り２２→利用側熱交換器５５→エジェクタ１９→補助利用側熱交換器５４→第２電気式四方弁５２→第２圧縮機２１→合流部１６→内部熱交換器１５の中間圧側冷媒流路１５ｂ→第１圧縮機１１の順に冷媒が循環する回路が構成される。
【０６１２】
つまり、本実施形態の冷却運転モードでは、室外熱交換器５３、利用側熱交換器５５および補助利用側熱交換器５４が、それぞれ第５４実施形態における放熱器１２、吸引側蒸発器２３および流出側蒸発器２０に対応する構成となり、図１４８（ａ）に示すように、第５４実施形態の図８４と同様に作動して庫内空気を冷却できる。
【０６１３】
一方、加熱運転モードでは、制御装置が、第１、第２電動モータ１１ｂ、２１ｂ、送風ファン５３ａ、５４ａを作動させ、可変絞り機構１４ａの絞り開度を全閉状態とし、さらに、第４８実施形態と同様に、第１、第２電気式四方弁５１、５２を切り替える。
【０６１４】
これにより、図１４７の破線矢印に示すように、第１圧縮機１１→第１、２電気式四方弁５１、５１→補助利用側熱交換器５４→エジェクタ１９のディフューザ部１９ｃ→エジェクタ１９の冷媒吸引口１９ｂ→利用側熱交換器５５→第２固定絞り２２→第２分岐部１８→第１固定絞り１７→内部熱交換器１５の高圧側冷媒流路１５ａ→第１分岐部１３→室外熱交換器５３→第１、２電気式四方弁５１、５２→第２圧縮機２１→合流部１６→内部熱交換器１５の中間圧側冷媒流路１５ｂ→第１圧縮機１１の順に冷媒が循環する回路が構成される。
【０６１５】
この際、可変絞り機構１４ａが全閉状態となっているので、第１分岐部１３から可変絞り機構１４ａ側へ冷媒が流出することはなく、内部熱交換器１５では熱交換は行われない。つまり、本実施形態の加熱運転モードでは、図１４８（ｂ）に示すように、実質的に第４８実施形態の図７２（ｂ）と同様に作動して庫内空気を加熱できる。
【０６１６】
本実施形態のエジェクタ式冷凍サイクル５００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第５４実施形態と同様に、エジェクタ１９の駆動流の流量変動が生じても、ＣＯＰを低下させることなく、エジェクタ式冷凍サイクルを安定して作動させることができる。
【０６１７】
（第９６実施形態）
本実施形態では、図１４９の全体構成図に示すように、第４９実施形態のエジェクタ式冷凍サイクル５００に対して、合流部１６の配置を第９５実施形態と同様に変更している。
【０６１８】
なお、本実施形態の補助内部熱交換器２５は、冷却運転モード時に、高圧側冷媒流路２５ａを通過する第１分岐部１３から内部熱交換器１５側へ流出した冷媒と、低圧側冷媒流路２５ｂを通過するエジェクタ１９のディフューザ部１９ｃから流出した冷媒との間で熱交換を行うものである。その他の構成は、第４９実施形態と同様である。
【０６１９】
次に、図１５０により、上記構成における本実施形態の作動を説明する。まず、冷却運転モードでは、制御装置が、第１、第２電動モータ１１ｂ、２１ｂ、送風ファン５３ａ、５４ａを作動させ、可変絞り機構１４ａの絞り開度を予め定めた開度となるように制御し、さらに、第４９実施形態と同様に、第１、第２電気式四方弁５１、５２を切り替える。これにより、図１４９の実線矢印に示すように、以下の冷媒回路が構成される。
【０６２０】
第１の冷媒回路として、第１圧縮機１１→第１電気式四方弁５１→室外熱交換器５３→第１分岐部１３→可変絞り機構１４ａ→合流部１６→内部熱交換器１５の中間圧側冷媒流路１５ｂ→第１圧縮機１１の順に冷媒が循環する回路が構成される。
【０６２１】
第２の冷媒回路として、第１圧縮機１１→第１電気式四方弁５１→室外熱交換器５３→第１分岐部１３→内部熱交換器１５の高圧側冷媒流路１５ａ→補助内部熱交換器２５の高圧側冷媒流路２５ａ→第１固定絞り１７→第２分岐部１８→ノズル前逆止弁２９→エジェクタ１９→第１、第２電気式四方弁５１、５２→補助内部熱交換器２５の低圧側冷媒流路２５ｂ→第２圧縮機２１→合流部１６→内部熱交換器１５の中間圧側冷媒流路１５ｂ→第１圧縮機１１の順に冷媒が循環する回路が構成される。
【０６２２】
第３の冷媒回路として、第１圧縮機１１→第１電気式四方弁５１→室外熱交換器５３→第１分岐部１３→内部熱交換器１５の高圧側冷媒流路１５ａ→補助内部熱交換器２５の高圧側冷媒流路２５ａ→第１固定絞り１７→第２分岐部１８→第２固定絞り２２→利用側熱交換器５５→エジェクタ１９→第１、第２電気式四方弁５１、５２→補助内部熱交換器２５の低圧側冷媒流路２５ｂ→第２圧縮機２１→合流部１６→内部熱交換器１５の中間圧側冷媒流路１５ｂ→第１圧縮機１１の順に冷媒が循環する回路が構成される。
【０６２３】
つまり、本実施形態の冷却運転モードでは、室外熱交換器５３および利用側熱交換器５５が、それぞれ第５５実施形態における放熱器１２および吸引側蒸発器２３に対応する構成となり、図１５０（ａ）に示すように、第５５実施形態の図８６と同様に作動して庫内空気を冷却できる。
【０６２４】
一方、加熱運転モードでは、制御装置が、第１、第２電動モータ１１ｂ、２１ｂ、送風ファン５３ａ、５４ａを作動させ、可変絞り機構１４ａの絞り開度を全閉状態とし、さらに、第４９実施形態と同様に、第１、第２電気式四方弁５１、５２を切り替える。
【０６２５】
これにより、図１４９の破線矢印に示すように、第１圧縮機１１→第１、２電気式四方弁５１、５１→エジェクタ１９のディフューザ部１９ｃ→エジェクタ１９の冷媒吸引口１９ｂ→利用側熱交換器５５→第２固定絞り２２→第２分岐部１８→第１固定絞り１７→補助内部熱交換器２５の高圧側冷媒流路２５ａ→内部熱交換器１５の高圧側冷媒流路１５ａ→第１分岐部１３→室外熱交換器５３→第１、２電気式四方弁５１、５２→補助内部熱交換器２５の低圧側冷媒流路２５ａ→第２圧縮機２１→合流部１６→内部熱交換器１５の中間圧側冷媒流路１５ｂ→第１圧縮機１１の順に冷媒が循環する回路が構成される。
【０６２６】
この際、可変絞り機構１４ａが全閉状態となっているので、第１分岐部１３から可変絞り機構１４ａ側へ冷媒が流出することはなく、内部熱交換器１５では熱交換は行われない。また、補助内部熱交換器２５では、高圧側冷媒流路２５ａを流通する冷媒と低圧側冷媒流路２５ｂを流通する冷媒との温度差が極めて小さいため、殆ど熱交換は行われない。
【０６２７】
つまり、本実施形態の加熱運転モードでは、図１５０（ｂ）に示すように、実質的に第４９実施形態の図７４（ｂ）と同様に作動して庫内空気を加熱できる。
【０６２８】
本実施形態のエジェクタ式冷凍サイクル５００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第５５実施形態と同様に、エジェクタ１９の駆動流の流量変動が生じても、ＣＯＰを低下させることなく、エジェクタ式冷凍サイクルを安定して作動させることができる。
【０６２９】
（第９７実施形態）
本実施形態では、図１５１の全体構成図に示すように、第５０実施形態のエジェクタ式冷凍サイクル５００に対して、合流部１６の配置を第９５実施形態と同様に変更している。
【０６３０】
次に、図１５２により、上記構成における本実施形態の作動を説明する。まず、冷却運転モードでは、制御装置が、第１、第２電動モータ１１ｂ、２１ｂ、送風ファン５３ａ、５４ａを作動させ、可変絞り機構１４ａの絞り開度を予め定めた開度となるように制御し、さらに、第５０実施形態と同様に、第１、第２電気式四方弁５１、５２を切り替える。これにより、図１５１の実線矢印に示すように、以下の冷媒回路が構成される。
【０６３１】
第１の冷媒回路として、第１圧縮機１１→第１電気式四方弁５１→室外熱交換器５３→第１分岐部１３→可変絞り機構１４ａ→合流部１６→内部熱交換器１５の中間圧側冷媒流路１５ｂ→第１圧縮機１１の順に冷媒が循環する回路が構成される。
【０６３２】
第２の冷媒回路として、第１圧縮機１１→第１電気式四方弁５１→室外熱交換器５３→第１分岐部１３→補助室外熱交換器５３ｂ→内部熱交換器１５の高圧側冷媒流路１５ａ→第１固定絞り１７→第２分岐部１８→ノズル前逆止弁２９→エジェクタ１９→補助利用側熱交換器５４→第２電気式四方弁５２→第２圧縮機２１→合流部１６→内部熱交換器１５の中間圧側冷媒流路１５ｂ→第１圧縮機１１の順に冷媒が循環する回路が構成される。
【０６３３】
第３の冷媒回路として、第１圧縮機１１→第１電気式四方弁５１→室外熱交換器５３→第１分岐部１３→補助室外熱交換器５３ｂ→内部熱交換器１５の高圧側冷媒流路１５ａ→第１固定絞り１７→第２分岐部１８→第２固定絞り２２→利用側熱交換器５５→エジェクタ１９→補助利用側熱交換器５４→第２電気式四方弁５２→第２圧縮機２１→合流部１６→内部熱交換器１５の中間圧側冷媒流路１５ｂ→第１圧縮機１１の順に冷媒が循環する回路が構成される。
【０６３４】
つまり、本実施形態の冷却運転モードでは、室外熱交換器５３、補助室外熱交換器５３ｂ、補助利用側熱交換器５４および利用側熱交換器５５が、それぞれ第５６実施形態における放熱器１２、補助放熱器２４、流出側蒸発器２０および吸引側蒸発器２３に対応する構成となり、図１５２（ａ）に示すように、第５６実施形態の図８８と同様に作動して庫内空気を冷却できる。
【０６３５】
一方、加熱運転モードでは、制御装置が、第１、第２電動モータ１１ｂ、２１ｂ、送風ファン５３ａ、５４ａを作動させ、可変絞り機構１４ａの絞り開度を全閉状態とし、さらに、第５０実施形態と同様に、第１、第２電気式四方弁５１、５２を切り替える。
【０６３６】
これにより、第１圧縮機１１吐出冷媒は、図１５１の破線矢印に示すように、第１圧縮機１１→第１、２電気式四方弁５１、５１→補助利用側熱交換器５４→エジェクタ１９のディフューザ部１９ｃ→エジェクタ１９の冷媒吸引口１９ｂ→利用側熱交換器５５→第２固定絞り２２→第２分岐部１８→第１固定絞り１７→内部熱交換器１５の高圧側冷媒流路１５ａ→補助外部熱交換器５３ｂ→第１分岐部１３→室外熱交換器５３→第１、２電気式四方弁５１、５２→補助内部熱交換器２５の低圧側冷媒流路２５ａ→第２圧縮機２１→合流部１６→内部熱交換器１５の中間圧側冷媒流路１５ｂ→第１圧縮機１１の順に冷媒が循環する回路が構成される。
【０６３７】
この際、可変絞り機構１４ａが全閉状態となっているので、第１分岐部１３から可変絞り機構１４ａ側へ冷媒が流出することはなく、内部熱交換器１５では熱交換は行われない。
【０６３８】
つまり、本実施形態の加熱運転モードでは、図１５２（ｂ）に示すように、実質的に第５０実施形態の図７６（ｂ）と同様に作動して庫内空気を加熱できる。
【０６３９】
本実施形態のエジェクタ式冷凍サイクル５００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第５６実施形態と同様に、エジェクタ１９の駆動流の流量変動が生じても、ＣＯＰを低下させることなく、エジェクタ式冷凍サイクルを安定して作動させることができる。
【０６４０】
（第９８実施形態）
本実施形態では、図１５３の全体構成図に示すように、第５１実施形態のエジェクタ式冷凍サイクル５００に対して、合流部１６の配置を第９５実施形態と同様に変更している。
【０６４１】
次に、図１５４により、上記構成における本実施形態の作動を説明する。まず、冷却運転モードでは、制御装置が、第１、第２電動モータ１１ｂ、２１ｂ、送風ファン５３ａ、５４ａを作動させ、可変絞り機構１４ａの絞り開度を予め定めた開度となるように制御し、さらに、第５１実施形態と同様に、第１、第２電気式四方弁５１、５２を切り替える。これにより、図１５３の実線矢印に示すように、以下の冷媒回路が構成される。
【０６４２】
第１の冷媒回路として、第１圧縮機１１→第１電気式四方弁５１→室外熱交換器５３→第１分岐部１３→可変絞り機構１４ａ→合流部１６→内部熱交換器１５の中間圧側冷媒流路１５ｂ→第１圧縮機１１の順に冷媒が循環する回路が構成される。
【０６４３】
第２の冷媒回路として、第１圧縮機１１→第１電気式四方弁５１→室外熱交換器５３→第１分岐部１３→補助室外熱交換器５３ｂ→内部熱交換器１５の高圧側冷媒流路１５ａ→補助内部熱交換器２５の高圧側冷媒流路２５ａ→第１固定絞り１７→第２分岐部１８→ノズル前逆止弁２９→エジェクタ１９→第１、第２電気式四方弁５１、５２→補助内部熱交換器２５の低圧側冷媒流路２５ｂ→第２圧縮機２１→合流部１６→内部熱交換器１５の中間圧側冷媒流路１５ｂ→第１圧縮機１１の順に冷媒が循環する回路が構成される。
【０６４４】
第３の冷媒回路として、第１圧縮機１１→第１電気式四方弁５１→室外熱交換器５３→第１分岐部１３→補助室外熱交換器５３ｂ→内部熱交換器１５の高圧側冷媒流路１５ａ→補助内部熱交換器２５の高圧側冷媒流路２５ａ→第１固定絞り１７→第２分岐部１８→第２固定絞り２２→利用側熱交換器５５→エジェクタ１９→第１、第２電気式四方弁５１、５２→補助内部熱交換器２５の低圧側冷媒流路２５ｂ→第２圧縮機２１→合流部１６→内部熱交換器１５の中間圧側冷媒流路１５ｂ→第１圧縮機１１の順に冷媒が循環する回路が構成される。
【０６４５】
つまり、本実施形態の冷却運転モードでは、室外熱交換器５３、補助室外熱交換器５３ｂ、利用側熱交換器５５が、それぞれ第５７実施形態における放熱器１２、補助放熱器２４および吸引側蒸発器２３に対応する構成となり、図１５４（ａ）に示すように、第５７実施形態の図９０と同様に作動して庫内空気を冷却できる。
【０６４６】
一方、加熱運転モードでは、制御装置が、第１、第２電動モータ１１ｂ、２１ｂ、送風ファン５３ａ、５４ａを作動させ、可変絞り機構１４ａの絞り開度を全閉状態とし、さらに、第５１実施形態と同様に、第１、第２電気式四方弁５１、５２を切り替える。
【０６４７】
これにより、図１５３の破線矢印に示すように、第１圧縮機１１→第１、２電気式四方弁５１、５１→エジェクタ１９のディフューザ部１９ｃ→エジェクタ１９の冷媒吸引口１９ｂ→利用側熱交換器５５→第２固定絞り２２→第２分岐部１８→第１固定絞り１７→補助内部熱交換器２５の高圧側冷媒流路２５ａ→内部熱交換器１５の高圧側冷媒流路１５ａ→第１分岐部１３→室外熱交換器５３→第１、２電気式四方弁５１、５２→補助内部熱交換器２５の低圧側冷媒流路２５ａ→第２圧縮機２１→合流部１６→内部熱交換器１５の中間圧側冷媒流路１５ｂ→第１圧縮機１１の順に冷媒が循環する回路が構成される。
【０６４８】
この際、可変絞り機構１４ａが全閉状態となっているので、第１分岐部１３から可変絞り機構１４ａ側へ冷媒が流出することはなく、内部熱交換器１５では熱交換は行われない。また、補助内部熱交換器２５では、高圧側冷媒流路２５ａを流通する冷媒と低圧側冷媒流路２５ｂを流通する冷媒との温度差が極めて小さいため、殆ど熱交換は行われない。
【０６４９】
つまり、本実施形態の加熱運転モードでは、図１５４（ｂ）に示すように、実質的に第５１実施形態の図７８（ｂ）と同様に作動して庫内空気を加熱できる。
【０６５０】
本実施形態のエジェクタ式冷凍サイクル５００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第５７実施形態と同様に、エジェクタ１９の駆動流の流量変動が生じても、ＣＯＰを低下させることなく、エジェクタ式冷凍サイクルを安定して作動させることができる。
【０６５１】
（第９９実施形態）
本実施形態では、図１５５の全体構成図に示すように、第５２実施形態のエジェクタ式冷凍サイクル６００に対して、合流部１６の配置を第９５実施形態と同様に変更している。
【０６５２】
次に、図１５６により、上記構成における本実施形態の作動を説明する。まず、冷却運転モードでは、制御装置が、第１、第２電動モータ１１ｂ、２１ｂ、送風ファン５３１ａ、５３２ａ、５４ａを作動させ、可変絞り機構１４ａの絞り開度を予め定めた開度となるように制御し、さらに、第５２実施形態と同様に、第１、第２電気式四方弁５１、５２を切り替える。
【０６５３】
これにより、冷却運転モードでは、図１５５の実線矢印に示すように、以下の冷媒回路が構成される。
【０６５４】
第１の冷媒回路として、第１圧縮機１１→第１電気式四方弁５１→第１分岐部１３→第１室外熱交換器５３１→可変絞り機構１４ａ→合流部１６→内部熱交換器１５の中間圧側冷媒流路１５ｂ→第１圧縮機１１の順に冷媒が循環する回路が構成される。
【０６５５】
第２の冷媒回路として、第１圧縮機１１→第１電気式四方弁５１→第１分岐部１３→第２室外熱交換器５３２→内部熱交換器１５の高圧側冷媒流路１５ａ→第１固定絞り１７→第２分岐部１８→ノズル前逆止弁２９→エジェクタ１９→補助利用側熱交換器５４→第１、第２電気式四方弁５１、５２→第２圧縮機２１→合流部１６→内部熱交換器１５の中間圧側冷媒流路１５ｂ→第１圧縮機１１の順に冷媒が循環する回路が構成される。
【０６５６】
第３の冷媒回路として、第１圧縮機１１→第１電気式四方弁５１→第１分岐部１３→第２室外熱交換器５３２→内部熱交換器１５の高圧側冷媒流路１５ａ→第１固定絞り１７→第２分岐部１８→第２固定絞り２２→利用側熱交換器５５→エジェクタ１９→補助利用側熱交換器５４→第１、第２電気式四方弁５１、５２→第２圧縮機２１→合流部１６→内部熱交換器１５の中間圧側冷媒流路１５ｂ→第１圧縮機１１の順に冷媒が循環する回路が構成される。
【０６５７】
つまり、本実施形態の冷却運転モードでは、第１室外熱交換器５３１、第２室外熱交換器５３２、補助利用側熱交換器５４および利用側熱交換器５５が、それぞれ第６０実施形態における第１放熱器１２１、第２放熱器１２２、流出側蒸発器２０、吸引側蒸発器２３に対応する構成となり、図１５６（ａ）に示すように、第６０実施形態の図９６と同様に作動して庫内空気を冷却できる。
【０６５８】
一方、加熱運転モードでは、制御装置が、第５２実施形態と同様に第１、第２電気式四方弁５１、５２を切り替え、可変絞り機構１４ａを全閉状態とし、第１送風ファン５３１ａの作動を停止させる。
【０６５９】
これにより、図１５５の破線矢印に示すように、第１圧縮機１１→第１、２電気式四方弁５１、５１→補助利用側熱交換器５４→エジェクタ１９のディフューザ部１９ｃ→エジェクタ１９の冷媒吸引口１９ｂ→利用側熱交換器５５→第２固定絞り２２→第２分岐部１８→第１固定絞り１７→内部熱交換器１５の高圧側冷媒流路１５ａ→第２室外熱交換器５３２→第１分岐部１３→第１、２電気式四方弁５１、５２→第２圧縮機２１→合流部１６→内部熱交換器１５の中間圧側冷媒流路１５ｂ→第１圧縮機１１の順に冷媒が循環する回路が構成される。
【０６６０】
この際、可変絞り機構１４ａが全閉状態となっているので、第１分岐部１３から可変絞り機構１４ａ側へ冷媒が流出することはなく、内部熱交換器１５では熱交換は行われない。
【０６６１】
つまり、本実施形態の加熱運転モードでは、図１５６（ｂ）に示すように、実質的に第５２実施形態の図８０（ｂ）と同様に作動して庫内空気を加熱できる。
【０６６２】
本実施形態のエジェクタ式冷凍サイクル６００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第６０実施形態と同様に、エジェクタ１９の駆動流の流量変動が生じても、ＣＯＰを低下させることなく、エジェクタ式冷凍サイクルを安定して作動させることができる。
【０６６３】
（第１００実施形態）
本実施形態では、図１５７の全体構成図に示すように、第５３実施形態のエジェクタ式冷凍サイクル６００に対して、合流部１６の配置を第９５実施形態と同様に変更している。
【０６６４】
次に、図１５８により、上記構成における本実施形態の作動を説明する。まず、冷却運転モードでは、制御装置が、第１、第２電動モータ１１ｂ、２１ｂ、送風ファン５３１ａ、５３２ａ、５４ａを作動させ、可変絞り機構１４ａの絞り開度を予め定めた開度となるように制御し、さらに、第５３実施形態と同様に、第１、第２電気式四方弁５１、５２を切り替える。
【０６６５】
これにより、冷却運転モードでは、図１５５の実線矢印に示すように、以下の冷媒回路が構成される。
【０６６６】
第１の冷媒回路として、第１圧縮機１１→第１電気式四方弁５１→第１分岐部１３→第１室外熱交換器５３１→可変絞り機構１４ａ→合流部１６→内部熱交換器１５の中間圧側冷媒流路１５ｂ→第１圧縮機１１の順に冷媒が循環する回路が構成される。
【０６６７】
第２の冷媒回路として、第１圧縮機１１→第１電気式四方弁５１→第１分岐部１３→第２室外熱交換器５３２→内部熱交換器１５の高圧側冷媒流路１５ａ→補助内部熱交換器２５の高圧側冷媒流路１５ａ→第１固定絞り１７→第２分岐部１８→ノズル前逆止弁２９→エジェクタ１９→第１、第２電気式四方弁５１、５２→補助内部熱交換器２５の低圧側冷媒流路２５ｂ→第２圧縮機２１→合流部１６→内部熱交換器１５の中間圧側冷媒流路１５ｂ→第１圧縮機１１の順に冷媒が循環する回路が構成される。
【０６６８】
第３の冷媒回路として、第１圧縮機１１→第１電気式四方弁５１→第１分岐部１３→第２室外熱交換器５３２→内部熱交換器１５の高圧側冷媒流路１５ａ→補助内部熱交換器２５の高圧側冷媒流路１５ａ→第１固定絞り１７→第２分岐部１８→第２固定絞り２２→利用側熱交換器５５→エジェクタ１９→第１、第２電気式四方弁５１、５２→補助内部熱交換器２５の低圧側冷媒流路２５ｂ→第２圧縮機２１→合流部１６→内部熱交換器１５の中間圧側冷媒流路１５ｂ→第１圧縮機１１の順に冷媒が循環する回路が構成される。
【０６６９】
つまり、本実施形態の冷却運転モードでは、第１室外熱交換器５３１、第２室外熱交換器５３２および利用側熱交換器５５が、それぞれ第６１実施形態における第１放熱器１２１、第２放熱器１２２および吸引側蒸発器２３に対応する構成となり、図１５８（ａ）に示すように、第６１実施形態の図９８と同様に作動して庫内空気を冷却できる。
【０６７０】
一方、加熱運転モードでは、制御装置が、第５３実施形態と同様に第１、第２電気式四方弁５１、５２を切り替え、可変絞り機構１４ａを全閉状態とし、第１送風ファン５３１ａの作動を停止させる。
【０６７１】
これにより、図１５７の破線矢印に示すように、第１圧縮機１１→第１、２電気式四方弁５１、５１→エジェクタ１９のディフューザ部１９ｃ→エジェクタ１９の冷媒吸引口１９ｂ→利用側熱交換器５５→第２固定絞り２２→第２分岐部１８→第１固定絞り１７→補助内部熱交換器２５の高圧側冷媒流路２５ａ→内部熱交換器１５の高圧側冷媒流路１５ａ→第２室外熱交換器５３２→第１分岐部１３→第１、２電気式四方弁５１、５２→補助内部熱交換器２５の低圧側冷媒流路２５ｂ→第２圧縮機２１→合流部１６→内部熱交換器１５の中間圧側冷媒流路１５ｂ→第１圧縮機１１の順に冷媒が循環する回路が構成される。
【０６７２】
この際、可変絞り機構１４ａが全閉状態となっているので、第１分岐部１３から可変絞り機構１４ａ側へ冷媒が流出することはなく、内部熱交換器１５では熱交換は行われない。さらに、補助内部熱交換器２５では、高圧側冷媒流路２５ａを流通する冷媒と低圧側冷媒流路２５ｂを流通する冷媒との温度差が極めて小さいため、殆ど熱交換は行われない。
【０６７３】
つまり、本実施形態の加熱運転モードでは、図１５８（ｂ）に示すように、実質的に第５３実施形態の図８２（ｂ）と同様に作動して庫内空気を加熱できる。
【０６７４】
本実施形態のエジェクタ式冷凍サイクル６００は、上述の如く作動するので、冷却運転モードでは、庫内空気を冷却することができ、加熱運転モードでは、庫内空気を加熱することができる。さらに、エジェクタ１９を冷媒減圧手段として用いる冷却運転モードにおいて、第６１実施形態と同様に、エジェクタ１９の駆動流の流量変動が生じても、ＣＯＰを低下させることなく、エジェクタ式冷凍サイクルを安定して作動させることができる。
【０６７５】
（第１０１実施形態）
本実施形態では、図１５９に示すように、第１実施形態の第２分岐部１８を廃止して、第２分岐部１８ａを採用した例を説明する。本実施形態のエジェクタ式冷凍サイクル１００では、第２分岐部１８ａを採用することで、減圧手段側冷媒流量Ｇｅに対するノズル側冷媒流量Ｇｎｏｚの流量比Ｇｎｏｚ／Ｇｅが、サイクルの負荷の変動に応じて調整されるようになっている。
【０６７６】
なお、減圧手段側冷媒流量Ｇｅは、第２分岐部１８ａから第２固定絞り２２側へ流出する冷媒流量であり、ノズル側冷媒流量Ｇｎｏｚは、第２分岐部１８ａからエジェクタ１９のノズル部１９ａ側へ流出する冷媒流量である。
【０６７７】
第２分岐部１８ａは、その内部に第１固定絞り１７から流入した冷媒に旋回流れを生じさせる内部空間が形成された遠心分離器構造のもので、この冷媒の旋回流れによって生じる遠心力の作用によって、内部空間内の冷媒に乾き度分布を生じさせるようになっている。そして、内部空間から所望の乾き度の冷媒を取り出せるように、ノズル部１９ａ側および第２固定絞り２２側へ冷媒を流出させる冷媒出口が設けられている。
【０６７８】
より具体的には、本実施形態の第２分岐部１８ａの内部空間は、その軸方向が略鉛直方向に延びる円柱状に形成され、内部空間の下方側にノズル部１９ａ側へ冷媒を流出させる冷媒出口を配置し、ノズル部１９ａ側への冷媒出口よりも上方側に第２固定絞り２２側へ冷媒を流出させる冷媒出口を配置している。
【０６７９】
これにより、サイクルの負荷の変動に応じて、ノズル部１９ａ側へ流出する冷媒の乾き度と第２固定絞り２２側へ流出する冷媒の乾き度とを変化させて、流量比Ｇｎｏｚ／Ｇｅを調整するようになっている。
【０６８０】
例えば、通常運転時よりもサイクルの負荷が低下する低負荷運転時には、サイクルを循環する冷媒流量が低下して、内部空間の上方側に対して下方側に乾き度の低い冷媒が分布するので、減圧手段側冷媒流量Ｇｅに対してノズル側冷媒流量Ｇｎｏｚの質量流量が増加して、流量比Ｇｎｏｚ／Ｇｅが通常運転時よりも増加する。
【０６８１】
一方、通常運転時よりもサイクルの負荷が増加する高負荷運転時には、サイクルを循環する冷媒流量の増加に伴って、内部空間の上方側にも乾き度の低い冷媒が分布するので、第２分岐部１８ａから第２固定絞り２２側へ流出する冷媒の乾き度が、第２分岐部１８ａからノズル部１９ａ側へ流出する冷媒の乾き度に近づき、流量比Ｇｎｏｚ／Ｇｅが通常運転時よりも低下する。その他の構成は、第１実施形態と同様である。
【０６８２】
次に、本実施形態の作動を図１６０のモリエル線図を用いて説明する。なお、本実施形態のエジェクタ式冷凍サイクル１００の基本的作動は、第１実施形態と同様である。そこで、図１６０では、低負荷運転時の冷媒の状態を破線で示すとともに、高負荷運転時の冷媒の状態を実線で示している。
【０６８３】
さらに、図１６０では、低負荷運転時の冷媒の状態を示す符号に添字として１６０Ｌを記載し、高負荷運転時の冷媒の状態を示す符号に添字として１６０Ｈを記載している。また、図示の明確化のために、図２に示すモリエル線図に対して、縦軸（圧力軸）の縮尺を変更している。
【０６８４】
まず、低負荷運転時には、第１実施形態と同様に、第１固定絞り１７にて減圧膨張された中間圧冷媒の流れ（図１６０のｇ160L点）は、第２分岐部１８ａにてノズル部１９ａ側へ流出する冷媒流れと、第２固定絞り２２側へ流出する冷媒流れとに分流される。この際、第２分岐部１８ａの内部空間では、サイクルを循環する冷媒流量が低下するため、内部空間の上方側に対して下方側に乾き度の低い冷媒が分布する。
【０６８５】
従って、第２分岐部１８ａからノズル部１９ａ側へ流出する冷媒の乾き度（図１６０に白丸で示すＸ1L）が、第２分岐部１８ａから第２固定絞り２２側へ流出する冷媒の乾き度（図１６０に白丸で示すＸ2L）よりも低くなる。そのため、減圧手段側冷媒流量Ｇｅに対してノズル側冷媒流量Ｇｎｏｚの質量流量が増加して、流量比Ｇｎｏｚ／Ｇｅが通常運転時よりも増加する。その他の作動は、第１実施形態と同様である。
【０６８６】
次に、高負荷運転時には、第１実施形態と同様に、第１固定絞り１７にて減圧膨張された中間圧冷媒の流れ（図１６０のｇ160H点）は、第２分岐部１８ａにてノズル部１９ａ側へ流出する冷媒流れと、第２固定絞り２２側へ流出する冷媒流れとに分流される。この際、第２分岐部１８ａの内部空間では、サイクルを循環する冷媒流量が増加するため、内部空間の上方側にも下方側と同様に乾き度の低い冷媒が分布する。
【０６８７】
従って、第２分岐部１８ａからノズル部１９ａ側へ流出する冷媒の乾き度（図１６０に白丸で示すＸ1H）と第２分岐部１８ａから第２固定絞り２２側へ流出する冷媒の乾き度（図１６０に白丸で示すＸ2H）が近づく。そのため、流量比Ｇｎｏｚ／Ｇｅが通常運転時よりも低下する。その他の作動は、第１実施形態と同様である。
【０６８８】
ここで、エジェクタ１９は、ノズル部１９ａから噴射される噴射冷媒によって生じる負圧によって冷媒吸引口１９ｂから冷媒を吸引している。さらに、噴射冷媒と吸引冷媒との混合冷媒の速度エネルギを、ディフューザ部１９ｃにて圧力エネルギに変換している。従って、エジェクタ１９のノズル部１９ａへ供給される冷媒、すなわち駆動流を確保できなければ、冷媒吸引作用も冷媒昇圧作用も発揮することができない。
【０６８９】
つまり、エジェクタ１９は駆動流を充分に確保できなければ、エジェクタ１９の昇圧作用を発揮することができず、第２圧縮機２１吸引冷媒の圧力を上昇させて第２圧縮機２１の駆動力を低減することができない。一方、吸引側蒸発器２３では、サイクルの負荷に応じた液相冷媒あるいは気液二相冷媒が供給されることによって、要求される冷凍能力を発揮できる。
【０６９０】
そこで、本実施形態では、サイクル内を循環する冷媒流量が少なくなるとともに、吸引側蒸発器２３に要求される冷凍能力が低くなる低負荷運転時に、流量比Ｇｎｏｚ／Ｇｅを通常運転時よりも増加させているので、エジェクタ１９のノズル部１９ａに駆動流として要求される流量の冷媒を充分に供給した上で、吸引側蒸発器２３に要求される冷凍能力を発揮できる程度の流量の冷媒を供給できる。
【０６９１】
また、サイクル内を循環する冷媒流量が多くなるとともに、吸引側蒸発器２３に要求される冷凍能力が高くなる高負荷運転時に、流量比Ｇｎｏｚ／Ｇｅを通常運転時よりも低下させているので、ノズル部１９ａに駆動流として要求される流量の冷媒を充分に供給できるだけでなく、吸引側蒸発器２３にも要求される冷凍能力を発揮するために充分な流量の冷媒を供給できる。
【０６９２】
従って、本実施形態のエジェクタ式冷凍サイクル１００によれば、第１実施形態と同様の効果を得ることができるだけでなく、運転条件によらず高いＣＯＰを発揮させることができる。すなわち、駆動流の流量変動が生じ得る運転条件のみならず、サイクルに高いＣＯＰを発揮させることができる。
【０６９３】
本実施形態では、遠心分離器構造の第２分岐部１８ａを採用した例を説明しているが、第２分岐部１８ａの構成は、これに限定されない。例えば、第２分岐部１８ａとして、サイクルの負荷の変動に応じて、ノズル部１９ａ側へ流出する冷媒の乾き度と第２固定絞り２２側へ流出する冷媒の乾き度とを変化させることのできる構成の流量分配器等を採用できる。
【０６９４】
なお、本実施形態の第２分岐部１８ａは、第３、７、９、１１、１３、１５、１７、１９、２１、２３、２５、２７、２９、３１、３３、３５、３７、３９、４０、４２、４３、４５、４６、４８、５０、５２、５４、５６、６０、６２、６４、６６、６８、７０、７２、７４、７６、７８、８０、８２、８４、８５、８６、８９、９０、９２、９３、９５、９７、９９実施形態のエジェクタ式冷凍サイクルに適用可能である。
【０６９５】
特に、第３９、４０、４２、４３、４５、４６、８６、８９、９０、９２、９３実施形態では、通常運転モードにて、ＣＯＰ向上効果を発揮させるようにすればよい。また、第４８、５０、５２、９５、９７、９９実施形態では、冷却運転モードにて、ＣＯＰ向上効果を発揮させるようにすればよい。
【０６９６】
（第１０２実施形態）
本実施形態では、第１実施形態に対して、図１６１の全体構成図に示すように、第１固定絞り１７を廃止して、第２分岐部１８とエジェクタ１９のノズル部１９ａ入口側との間に電気式の第１可変絞り機構１７ａを配置し、さらに、第２固定絞り２２を廃止して、第３９実施形態と同様の可変絞り機構２２ａを配置した例を説明する。
【０６９７】
なお、第１可変絞り機構１７ａの基本的構成は、可変絞り機構２２ａと同様である。従って、第１可変絞り機構１７ａは、制御装置６０から出力される制御信号によって、その作動が制御される。また、以下の説明では、２つの可変絞り機構１７ａ、２２ａの相違を明確にするために、可変絞り機構２２ａを第２可変絞り機構２２ａと記載する。
【０６９８】
次に、図１６２により、本実施形態の電気制御系について説明する。図１６２は、本実施形態の電気制御系を示すブロック図である。なお、本実施形態の制御装置６０の基本的構成は、第１実施形態と同様である。
【０６９９】
この制御装置６０の入力側には、流出側蒸発器２０入口冷媒温度、流出側蒸発器２０出口冷媒温度、吸引側蒸発器２３入口冷媒温度、吸引側蒸発器２３出口冷媒温度、内部熱交換器１５の中間圧側冷媒流路１５ｂ入口冷媒温度、中間圧側冷媒流路１５ｂ出口冷媒温度、第１圧縮機１１回転数、第２圧縮機２１回転数等の冷媒側のサイクル負荷に相関を有する物理量を検出する冷媒側負荷検出手段、並びに、外気温、冷凍庫内温度等の空気側のサイクル負荷に相関を有する物理量を検出する空気側負荷検出手段が接続されている。
【０７００】
一方、制御装置６０の出力側には、第１、第２可変絞り機構１７ａ、２２ａ、第１、第２電動モータ１１ｂ、２１ｂ、操作パネル６１等が接続されている。従って、本実施形態の制御装置６０は、第１実施形態の制御装置に加えて、第１可変絞り機構１７ａの作動を制御する第１絞り能力制御手段６０ａおよび第２可変絞り機構２２ａの作動を制御する第２絞り能力制御手段６０ｂとしての機能を兼ね備えている。その他の構成は、第１実施形態と同様である。
【０７０１】
次に、本実施形態の作動を説明する。本実施形態のエジェクタ式冷凍サイクル１００の基本的作動は、第１実施形態と同様である。従って、制御装置６０による第１、第２可変絞り機構１７ａ、２２ａの制御の詳細について説明する。
【０７０２】
本実施形態では、制御装置６０が上述の各検出手段の検出した検出値に基づいて、サイクルの負荷状況に応じて目標流量比を決定し、流量比Ｇｎｏｚ／Ｇｅが目標流量比に近づくように、第１、第２可変絞り機構１７ａ、２２ａの作動を制御する。
【０７０３】
具体的には、低負荷運転時には、サイクルの負荷の低下に伴って流量比Ｇｎｏｚ／Ｇｅが通常運転時よりも増加するように制御し、高負荷運転時には、サイクルの負荷の増加に伴って流量比Ｇｎｏｚ／Ｇｅが通常運転時よりも低下するように制御する。
【０７０４】
このような制御は、例えは、制御装置６０が、第２圧縮機２１吸入冷媒の過熱度が予め定めた所定値となるように第１可変絞り機構１７ａの作動（弁開度）を制御し、さらに、第１可変絞り機構１７ａの弁開度を維持した状態で、流量比Ｇｎｏｚ／Ｇｅが目標流量比に近づくように第２可変絞り機構２２ａの作動（弁開度）を制御することで実現できる。
【０７０５】
従って、本実施形態のエジェクタ式冷凍サイクル１００によれば、第１０１実施形態と同様に、サイクルの負荷の変動に応じて流量比Ｇｎｏｚ／Ｇｅを調整することができるので、駆動流の流量変動が生じ得る運転条件のみならず、サイクルに高いＣＯＰを発揮させることができる。
【０７０６】
なお、本実施形態では、高圧側減圧手段として温度式膨張弁１４を採用しているが、高圧側減圧手段として第４８実施形態と同様の電気式の可変絞り機構１４ａを採用して、制御手段６０が、第１、第２可変絞り機構１７ａ、２２ａに加えて可変絞り機構１４ａの作動を制御するようにしてもよい。
【０７０７】
この場合は、第１圧縮機１１吸入冷媒の過熱度が予め定めた所定値となるように可変絞り機構１４ａの作動（弁開度）を制御し、第２圧縮機２１吸入冷媒の過熱度が予め定めた所定値となるように第１可変絞り機構１７ａの作動を制御する。そして、可変絞り機構１４ａおよび第１可変絞り機構１７ａの弁開度を維持した状態で、流量比Ｇｎｏｚ／Ｇｅが目標流量比に近づくように第２可変絞り機構２２ａの作動を制御すればよい。
【０７０８】
さらに、本実施形態では、第２分岐部１８とエジェクタ１９のノズル部１９ａ入口側との間に第１可変絞り機構１７ａを配置しているが、第１可変絞り機構１７ａを内部熱交換器１５の高圧側冷媒流路１５ａ出口側と第２分岐部１８入口側との間に配置してもよい。
【０７０９】
また、本実施形態の可変絞り機構１４ａ、１７ａ、２２ａの開度制御による流量比Ｇｎｏｚ／Ｇｅの調整は、第３、７、９、１１、１３、１５、１７、１９、２１、２３、２５、２７、２９、３１、３３、３５、３７、３９、４０、４２、４３、４５、４６、４８、５０、５２、５４、５６、６０、６２、６４、６６、６８、７０、７２、７４、７６、７８、８０、８２、８４、８５、８６、８９、９０、９２、９３、９５、９７、９９実施形態のエジェクタ式冷凍サイクルに適用可能である。
【０７１０】
特に、第３９、４０、４２、４３、４５、４６、８６、８９、９０、９２、９３実施形態では、通常運転モードにて、ＣＯＰ向上効果を発揮させるようにすればよい。また、第４８、５０、５２、９５、９７、９９実施形態では、冷却運転モードにて、ＣＯＰ向上効果を発揮させるようにすればよい。
【０７１１】
（第１０３実施形態）
本実施形態では、第１実施形態のエジェクタ式冷凍サイクル１００において、適切な流量比Ｇｎｏｚ／Ｇｅを実現する手段として、第１固定絞り１７、第２固定絞り２２およびエジェクタ１９のノズル部１９ａの流量特性を規定した例を説明する。
【０７１２】
ここで、本発明者らは、第１実施形態のエジェクタ式冷凍サイクル１００のように、第１固定絞り１７、第２固定絞り２２およびノズル部１９ａといった減圧手段が、冷媒通路面積（絞り通路面積）を変化させることのできない固定絞りとして形成されている場合の第１固定絞り１７およびノズル部１９ａの出入口圧力差とＣＯＰとの関係を調査した。
【０７１３】
図１６３は、その調査結果を示す説明図である。なお、以下の説明では、第１固定絞り１７の入口側冷媒圧力をＰｄｅｉ、ノズル部１９ａの入口側冷媒圧力をＰｎｏｚｉ、ノズル部１９ａの出口側冷媒圧力をＰｎｏｚｏとする。ます、ノズル部１９ａ入口側冷媒圧力Ｐｎｏｚｉは、各固定絞り１７、２２、１９ａの流量特性（圧力損失特性）によって決定される。
【０７１４】
より詳細には、第１固定絞り１７を流通して第２分岐部１８へ流入する冷媒流量Ｇが、減圧手段側冷媒流量Ｇｅとノズル側冷媒流量Ｇｎｏｚとの合計値に等しくなるように、ノズル部１９ａ入口側冷媒圧力Ｐｎｏｚｉが決定される。この際、ノズル部１９ａは固定絞りとして形成されているので、ノズル部１９ａの出入口冷媒の圧力差（Ｐｎｏｚｉ−Ｐｎｏｚｏ）には、ノズル効率を最も向上させるピーク点が存在する。
【０７１５】
なお、ノズル効率とは、ノズル部１９ａにて冷媒の圧力エネルギが速度エネルギに変換される際のエネルギ変換効率である。従って、ノズル効率がピーク点近傍となるＰｎｏｚｉにおいて、流量比Ｇｎｏｚ／Ｇｅが適切となるように第２固定絞り２２の流量特性（圧力損失特性）を決定すれば、Ｐｎｏｚｉを適切に制御するだけで、サイクルに高いＣＯＰを発揮させることができる。
【０７１６】
そこで、本発明者らは、第２固定絞り２２の流量特性を上記の如く決定した上で、第１固定絞り１７入口側の冷媒圧力Ｐｄｅｉとノズル部１９ａ入口側の冷媒圧力Ｐｎｏｚｉとの第１圧力差（Ｐｄｅｉ−Ｐｎｏｚｉ）、第１固定絞り１７入口側の冷媒圧力Ｐｄｅｉとノズル部１９ａ出口側の冷媒圧力Ｐｎｏｚｏとの第２圧力差（Ｐｄｅｉ−Ｐｎｏｚｏ）、および、ＣＯＰの関係を調査した。
【０７１７】
その結果、図１６３に示すように、以下式Ｆ１に示す関係を満たす時に高いＣＯＰを発揮できることが判った。
０．１≦（Ｐｄｅｉ−Ｐｎｏｚｉ）／（Ｐｄｅｉ−Ｐｎｏｚｏ）≦０．６…（Ｆ１）
その理由は、（Ｐｄｅｉ−Ｐｎｏｚｉ）／（Ｐｄｅｉ−Ｐｎｏｚｏ）が０．１より小さくなると、ノズル側冷媒流量Ｇｎｏｚが増加し過ぎてノズル効率が悪化し、一方、Ｐｄｅｉ−Ｐｎｏｚｉ）／（Ｐｄｅｉ−Ｐｎｏｚｏ）が０．６よりも大きくなると、ノズル側冷媒流量Ｇｎｏｚが低下してエジェクタ１９の駆動流を充分に確保できなくなるからと考えられる。
【０７１８】
以上の知見から、本実施形態では、適切な流量比Ｇｎｏｚ／Ｇｅを実現する具体的な手段として、第１圧力差Ｐｄｅｉ−Ｐｎｏｚｉを、第２圧力差Ｐｄｅｉ−Ｐｎｏｚｏに０．１以上０．６以下の値を乗じた値となるように、第１固定絞り１７、第２固定絞り２２およびエジェクタ１９のノズル部１９ａの流量特性を適切に設定している。
【０７１９】
従って、本実施形態のエジェクタ式冷凍サイクル１００では、駆動流の流量変動が生じ得る運転条件のみならず、運転条件によらずサイクルに高いＣＯＰを発揮させることができる。
【０７２０】
また、本実施形態のような第１固定絞り１７、第２固定絞り２２およびエジェクタ１９のノズル部１９ａの流量特性の規定による流量比Ｇｎｏｚ／Ｇｅの調整は、第２〜３２、３９〜７９、８６〜１００実施形態のエジェクタ式冷凍サイクルに適用可能である。特に、第３９〜４６、８６〜９４実施形態では、通常運転モードにて、ＣＯＰ向上効果を発揮させるようにすればよい。また、第４８〜５３、９５〜１００実施形態では、冷却運転モードにて、ＣＯＰ向上効果を発揮させるようにすればよい。
【０７２１】
（第１０４実施形態）
本実施形態では、第１実施形態のエジェクタ式冷凍サイクル１００において、適切な流量比Ｇｎｏｚ／Ｇｅを実現する手段として、エジェクタ１９のノズル部１９ａへ流入する冷媒の乾き度を規定した例を説明する。
【０７２２】
ここで、ノズル部１９ａおよび第２固定絞り２２の流量特性が決まっていても、サイクルの負荷の変動に応じて流量比Ｇｎｏｚ／Ｇｅが変化してしまう原因の一つとして、第２分岐部１８から流出する気液二相冷媒が一様の乾き度となっておらず、液相冷媒と気相冷媒が偏在する不均質な状態になっていることが考えられる。
【０７２３】
そこで、本発明者らは、エジェクタ１９のノズル部１９ａへ流入する冷媒の乾き度Ｘ０とＣＯＰとの関係を調査した。図１６４は、その調査結果を示すグラフである。図１６４によれば、以下式Ｆ１に示す関係を満たす時に、高いＣＯＰを発揮できることが判った。
０．００３≦Ｘ０≦０．１４…（Ｆ２）
その理由は、上述の第１０１実施形態のように、サイクルの負荷の変動に応じてノズル部１９ａへ流入する冷媒の乾き度を調整しなくても、エジェクタ１９のノズル部１９ａへ流入する冷媒の乾き度が所定の範囲であれば、第２分岐部１８にて分岐される冷媒のうち液相冷媒と気相冷媒との偏在を抑制しながら、第２分岐部１８からノズル部１９ａ側と第２固定絞り２２側へ同様の乾き度の冷媒を流出させることができるからである。
【０７２４】
以上の知見から、本実施形態では、適切な流量比Ｇｎｏｚ／Ｇｅを実現する具体的な手段として、第１固定絞り１７として、ノズル部１９ａへ流入する冷媒の乾き度Ｘ０が０．００３以上０．１４以下となるように冷媒を減圧膨張させるものを採用している。従って、本実施形態のエジェクタ式冷凍サイクル１００では、駆動流の流量変動が生じ得る運転条件のみならず、運転条件によらずサイクルに高いＣＯＰを発揮させることができる。
【０７２５】
また、本実施形態の乾き度Ｘ０の規定による流量比Ｇｎｏｚ／Ｇｅの調整は、第２〜３２、３９〜７９、８６〜１００実施形態のエジェクタ式冷凍サイクルに適用可能である。特に、第３９〜４６、８６〜９４実施形態では、通常運転モードにて、ＣＯＰ向上効果を発揮させるようにすればよい。また、第４８〜５３、９５〜１００実施形態では、冷却運転モードにて、ＣＯＰ向上効果を発揮させるようにすればよい。
【０７２６】
（第１０５実施形態）
本実施形態では、図１６５の全体構成図に示すように、第１実施形態のエジェクタ式冷凍サイクル１００に対して、第２補助内部熱交換器３５を追加した例を説明する。この第２補助内部熱交換器３５の基本的構成は、第１実施形態の内部熱交換器１５あるいは第２実施形態の補助内部熱交換器２５と同様である。
【０７２７】
第２補助内部熱交換器３５は、高圧側冷媒流路３５ａを通過する第１分岐部１３から内部熱交換器１５側へ流出した冷媒と、低圧側冷媒流路３５ｂを通過する吸引側蒸発器２３から流出してエジェクタ１９の冷媒吸引口１９ｂへ吸引される冷媒との間で熱交換を行うものである。
【０７２８】
より具体的には、本実施形態における高圧側冷媒流路３５ａを通過する冷媒は、内部熱交換器１５の高圧側冷媒流路１５ａ出口側から第１固定絞り１７へ至る冷媒流路を流通する冷媒である。従って、第１分岐部１３から内部熱交換器１５側へ流出した高圧冷媒は、内部熱交換器１５の高圧側冷媒流路１５ａ→第２補助内部熱交換器３５の高圧側冷媒流路３５ａ→第１固定絞り１７の順に流れる。その他の構成は、第１実施形態と同様である。
【０７２９】
次に、上記構成における本実施形態の作動を図１６６のモリエル線図に基づいて説明する。本実施形態のエジェクタ式冷凍サイクル１００を作動させると、吸引側蒸発器２３から流出した冷媒は、第２補助内部熱交換器３５の低圧側冷媒流路３５ｂにて、そのエンタルピを増加させる（図１６６のｎ166点→ｎ’166点）。そして、低圧側冷媒流路３５ｂから流出した冷媒は、エジェクタ１９の冷媒吸引口１９ｂからエジェクタ１９の内部へ吸引される（図１６６のｎ’166点→ｉ166点）。
【０７３０】
また、内部熱交換器１５の高圧側冷媒流路１５ａから流出した冷媒は、第２補助内部熱交換器３５の高圧側冷媒流路３５ａへ流入して、そのエンタルピをさらに減少させる（図１６６のｆ166点→ｆ’166点）。さらに、高圧側冷媒流路３５ａから流出した冷媒の流れは、第１固定絞り１７にてさらに等エンタルピ的に減圧膨張されて（図１６６のｆ’166点→ｇ166点）、第２分岐部１８へ流入する。
【０７３１】
その他の作動は、第１実施形態と同様である。従って、本実施形態では、第１実施形態と同様の効果を得ることができる。さらに、本実施形態では、第２補助内部熱交換器３５の作用によって、流出側蒸発器２０および吸引側蒸発器２３流入冷媒のエンタルピを減少させて、流出側蒸発器２０および吸引側蒸発器２３にて発揮できる冷凍能力を増大させることができる。従って、より一層、ＣＯＰを向上できる。
【０７３２】
さらに、本実施形態では、第１分岐部１３から内部熱交換器１５側へ流出した高圧冷媒を内部熱交換器１５→第２補助内部熱交換器３５→第１固定絞り１７の順に通過させているので、効率的に流出側蒸発器２０および吸引側蒸発器２３流入冷媒のエンタルピを減少させることができる。その理由は、内部熱交換器１５の中間圧側冷媒流路１５ｂを流れる中間圧冷媒に対して、第２補助内部熱交換器３５の低圧側冷媒流路３５ｂを流れる低圧冷媒の温度が低くなるからである。
【０７３３】
もちろん、中間圧冷媒と低圧冷媒との温度差が小さくなる場合等には、第１分岐部１３から内部熱交換器１５側へ流出した高圧冷媒を第２補助内部熱交換器３５→内部熱交換器１５→第１固定絞り１７の順に通過させるように、第２補助内部熱交換器３５を配置してもよい。
【０７３４】
なお、本実施形態の第２補助内部熱交換器３５は、第２〜４７、５４〜９４、１０１〜１０４実施形態のエジェクタ式冷凍サイクルにも適用可能である。
【０７３５】
特に、第２、４、８、１０、１２、１４、１６、１８、２０、２２、２４、２６、２８、３０、３２、３４、３６、３８、４１、４４、４７、５５、５７、６１、６３、６５、６７、６９、７１、７３、７５、７７、７９、８１、８３、８５、８８、９１、９４実施形態のように、補助内部熱交換器２５（以下、第２補助内部熱交換器３５との相違を明確化するため第１補助内部熱交換器２５という）を有するサイクルに適用する場合は、第１分岐部１３から内部熱交換器１５側へ流出した冷媒を内部熱交換器１５→第１補助内部熱交換器２５→第２補助内部熱交換器３５→第１固定絞り１７の順に通過させることで、効率的に吸引側蒸発器２３流入冷媒のエンタルピを減少させることができる。
【０７３６】
また、本実施形態の第２補助内部熱交換器３５を第４８〜５３、９５〜１００実施形態のエジェクタ式冷凍サイクルに適用すれば、加熱運転モード時には加熱能力を低下させてしまうことがあるものの、冷却運転モード時に上述のＣＯＰ向上効果を得ることができる。
【０７３７】
（第１０６実施形態）
本実施形態では、図１６７の全体構成図に示すように、第２実施形態のエジェクタ式冷凍サイクル１００に対して、流出側蒸発器２０を追加した例を説明する。換言すると、本実施形態のエジェクタ式冷凍サイクル１００は、第１実施形態のサイクルに対して補助内部熱交換器２５を追加したものと表現することもできる。
【０７３８】
本実施形態の補助内部熱交換器２５は、高圧側冷媒流路２５ａを通過する第１分岐部１３から内部熱交換器１５側へ流出した冷媒（より具体的には、内部熱交換器１５の高圧側冷媒流路１５ａから流出した冷媒）と、低圧側冷媒流路２５ｂを通過するエジェクタ１９から流出した冷媒（より具体的には、流出側蒸発器２０から流出した冷媒）との間で熱交換を行うものである。その他の構成は、第２実施形態と同様である。
【０７３９】
次に、上記構成における本実施形態の作動を図１６８のモリエル線図に基づいて説明する。本実施形態のエジェクタ式冷凍サイクル１００を作動させると、ディフューザ部１９ｃから流出した冷媒は、流出側蒸発器２０にて送風ファン２０ａにより循環送風される庫内空気から吸熱して蒸発する（図１６８のｊ168点→ｋ168点）。これにより、庫内送風空気が冷却される。
【０７４０】
さらに、流出側蒸発器２０から流出した冷媒は、補助内部熱交換器２５の低圧側冷媒流路２５ｂにてさらに吸熱して、そのエンタルピをさらに増加させる（図１６８のｋ168点→ｋ’168点）。
【０７４１】
また、内部熱交換器１５の高圧側冷媒流路１５ａから流出した冷媒は、補助内部熱交換器２５の高圧側冷媒流路２５ｂへ流入して、そのエンタルピを減少させる（図１６８のｆ168点→ｆ’168点）。さらに、高圧側冷媒流路２５ａから流出した冷媒は、第１固定絞り１７にて等エンタルピ的に減圧膨張される（図１６８のｆ’168点→ｇ168点）。
【０７４２】
その他の作動は、第１実施形態と同様である。従って、本実施形態では、第１実施形態と同様の効果を得ることができる。さらに、本実施形態では、補助内部熱交換器２５の作用によって、流出側蒸発器２０および吸引側蒸発器２３流入冷媒のエンタルピを減少させて、流出側蒸発器２０および吸引側蒸発器２３にて発揮できる冷凍能力を増大させることができる。従って、より一層、ＣＯＰを向上できる。
【０７４３】
さらに、本実施形態では、第１分岐部１３から内部熱交換器１５側へ流出した冷媒を内部熱交換器１５→補助内部熱交換器２５→第１固定絞り１７の順に通過させているので、第１０５実施形態と同様に、効率的に流出側蒸発器２０および吸引側蒸発器２３流入冷媒のエンタルピを減少させることができる。
【０７４４】
もちろん、中間圧冷媒と低圧冷媒との温度差が小さくなる場合等には、第１分岐部１３から内部熱交換器１５側へ流出した高圧冷媒を補助内部熱交換器２５→内部熱交換器１５→第１固定絞り１７の順に通過させてもよい。
【０７４５】
なお、第４、８、１０、１２、１４、１６、１８、２０、２２、２４、２６、２８、３０、３２、３４、３６、３８、４１、４４、４７、５５、５７、６１、６３、６５、６７、６９、７１、７３、７５、７７、７９、８１、８３、８５、８８、９１、９４実施形態のエジェクタ式冷凍サイクルに対して流出側蒸発器２０を追加した場合も、本実施形態と同様に、ＣＯＰの向上を図りながら流出側蒸発器２０および吸引側蒸発器２３の双方で冷凍能力を発揮できる。
【０７４６】
換言すると、第３、６、７、９、１１、１３、１５、１７、１９、２１、２３、２５、２７、２９、３１、３３、３５、３７、３９、４０、４２、４３、４５、４６、５４、５６、６０、６２、６４、６６、６８、７０、７２、７４、７６、７８、８０、８２、８４、８６、８７、８９、９０、９２、９４、１０１〜１０４実施形態のエジェクタ式冷凍サイクルに対して補助内部熱交換器２５を追加しても、本実施形態と同様の効果を得ることができる。
【０７４７】
また、第５、５８実施形態のエジェクタ式冷凍サイクルに対して流出側蒸発器２０を追加するとともに補助内部熱交換器２５を追加する場合は、補助内部熱交換器２５の低圧側冷媒流路２５ｂに、流出側蒸発器２０から流出してアキュムレータ２６へ流入する冷媒あるいはアキュムレータ２６から流出した気相冷媒を流通させるようにすればよい。第６、５９実施形態に補助内部熱交換器２５を追加する場合も同様である。
【０７４８】
また、第４９、５１、５３、９６、９８、１００実施形態のエジェクタ式冷凍サイクルに対して、本実施形態の流出側蒸発器２０に対応する構成としての補助利用側熱交換器５４を追加すれば、加熱運転モード時には加熱能力を低下させてしまうことがあるものの、冷却運転モード時に上述の効果を得ることができる。
【０７４９】
（第１０７実施形態）
本実施形態では、図１６９の全体構成図に示すように、第１実施形態のエジェクタ式冷凍サイクル１００に対して、内部熱交換器１５の高圧側冷媒流路１５ａと第２分岐部１８との配置を変更するとともに、第１固定絞り１７を第２分岐部１８とエジェクタ１９のノズル部１９ａ入口側との間に配置した例を説明する。
【０７５０】
具体的には、第２分岐部１８が第１分岐部１３から流出した直後の冷媒の流れを分岐するように配置されている。そして、第２分岐部１８にて分岐された一方の冷媒が第１固定絞り１７へ流入し、他方の冷媒が内部熱交換器１５の高圧側冷媒流路１５ａへ流入するようになっている。
【０７５１】
従って、本実施形態の内部熱交換器１５は、高圧側冷媒流路１５ａを通過する第２分岐部１８から第２固定絞り２２側へ流出した冷媒と、中間圧側冷媒流路１５ｂを通過する温度式膨張弁１４下流側冷媒との間で熱交換を行うものである。その他の構成は、第１実施形態と同様である。
【０７５２】
次に、上記構成における本実施形態の作動を図１７０のモリエル線図に基づいて説明する。本実施形態のエジェクタ式冷凍サイクル１００を作動させると、第１分岐部１３にて内部熱交換器１５側へ分岐された他方の高圧冷媒の流れが、第２分岐部１８へ流入してさらに分岐される。
【０７５３】
なお、本実施形態では、第１、第２分岐部１３、１８は近接配置されており、第１分岐部１８から第２分岐部１８へ至る冷媒の圧力損失および温度変化については、無視できる。従って、図１７０のモリエル線図上では、第１分岐部１３（ｂ170点）と第２分岐部１８（ｇ170点）が一致している。
【０７５４】
第２分岐部１８にて第１固定絞り１７側へ分岐された一方の冷媒は、第１固定絞り１７へ流入して等エンタルピ的に減圧膨張して、エジェクタ１９のノズル部１９ａへ流入する（図１７０のｂ170点（ｇ170点）→ｇ’170点）。
【０７５５】
また、第２分岐部１８にて分岐された他方の冷媒は、内部熱交換器１５の高圧側冷媒流路１５ａへ流入し、中間圧側冷媒流路１５ｂへ流入した中間圧冷媒と熱交換して、そのエンタルピを減少させる（図１７０のｂ170点（ｇ170点）→ｆ170点）。高圧側冷媒流路１５ａから流出した冷媒は、第２固定絞り２２へ流入して等エンタルピ的に減圧膨張する（図１７０のｆ170点→ｍ170点）。その他の作動は第１実施形態と同様である。
【０７５６】
従って、本実施形態では、第１実施形態と同様の効果を得ることができる。さらに、本実施形態では、内部熱交換器１５の作用によって第２分岐部１８から内部熱交換器１５側へ流出した冷媒のエンタルピが減少する。これにより、吸引側蒸発器２３の入口側冷媒のエンタルピと出口側冷媒のエンタルピとのエンタルピ差を拡大させて、吸引側蒸発器２３が発揮する冷凍能力を増大させることができる。
【０７５７】
この際、内部熱交換器１５では、第２分岐部１８から第１固定絞り１７側へ流出した冷媒、すなわちエジェクタ１９のノズル部１９ａへ流入する冷媒のエンタルピを不必要に減少させない。これにより、更なるＣＯＰ向上効果を得ることができる。その理由は、ノズル部１９ａへ流入する冷媒のエンタルピを不必要に減少させないことで、ノズル部１９ａにおける回収エネルギ量を増大できるからである。
【０７５８】
このことをより詳細に説明すると、ノズル部１９ａへ流入する冷媒のエンタルピが増加するに伴って、モリエル線図上の等エントロピ線の傾きが緩やかになる。そのため、ノズル部１９ａにて、同じ圧力分だけ等エントロピ膨張させた場合、ノズル部１９ａ入口側冷媒のエンタルピが高いほど、ノズル部１９ａ入口側冷媒のエンタルピとノズル部１９ａ出口側冷媒のエンタルピとの差（回収エネルギ量）を大きくすることができる。
【０７５９】
従って、ノズル部１９ａへ流入する冷媒のエンタルピが増加するに伴って、ノズル部１９ａにおける回収エネルギ量が増大する。そして、この回収エネルギ量の増大に伴って、ディフューザ部１９ｃにおける昇圧量（図１７０ではｉ170点とｊ170点との圧力差に相当）を増大させることができる。その結果、第２圧縮機２１吸入冷媒を上昇させて、更なるＣＯＰ向上効果を得ることができる。
【０７６０】
なお、本実施形態の如く、内部熱交換器１５と第２分岐部１８の位置関係を変更するとともに、第１固定絞り１７を第２分岐部１８とエジェクタ１９のノズル部１９ａ入口側との間に配置することは、第２、３、９〜１２、１５〜１８、２１〜２４、２７〜３０、３３〜３６、３９〜４４、５４〜５７、６２〜６５、６８〜７１、７４〜７７、８０〜８３、８６〜９１実施形態のエジェクタ式冷凍サイクルにも適用可能である。
【０７６１】
特に、第３実施形態のように、補助放熱器２４を有するサイクルでは、第１分岐部１３にて分岐された他方の冷媒を、補助放熱器２４→第２分岐部１８→内部熱交換器１５の高圧側冷媒流路１５ａの順に流通させてもよいし、第２分岐部１８→補助放熱器２４→内部熱交換器１５の高圧側冷媒流路１５ａの順に流通させてもよい。
【０７６２】
また、第１分岐部１３と第２分岐部１８とを一体的に構成してもよい。これにより本実施形態の構成を容易に実現できる。具体的には、第１分岐部１３と第２分岐部１８とを四方継手で構成し、４つの流入出口のうち１つを冷媒流入口として、放熱器１２の出口側に接続し、残りの３つを冷媒流出口として、それぞれ温度式膨張弁１４入口側、内部熱交換器１５の高圧側冷媒流路１５ａ入口側、第１固定絞り１７入口側に接続すればよい。
【０７６３】
（第１０８実施形態）
本実施形態では、図１７１の全体構成図に示すように、第７実施形態のエジェクタ式冷凍サイクル３００に対して、第１０７実施形態と同様に、内部熱交換器１５と第２分岐部１８の位置関係を変更するとともに、第１固定絞り１７を第２分岐部１８とエジェクタ１９のノズル部１９ａ入口側との間に配置している。
【０７６４】
具体的には、第２分岐部１８は、第２放熱器１２２から流出した直後の冷媒の流れを分岐するように配置されている。そして、第２分岐部１８にて分岐された一方の冷媒は第１固定絞り１７へ流入し、他方の冷媒は内部熱交換器１５の高圧側冷媒流路１５ａへ流入するようになっている。その他の構成は、第７実施形態と同様である。
【０７６５】
次に、上記構成における本実施形態の作動を図１７２のモリエル線図に基づいて説明する。本実施形態のエジェクタ式冷凍サイクル３００を作動させると、第２放熱器１２２から流出した高圧冷媒の流れが、第２分岐部１８にて分岐される（図１７２のｂ２172点）。第２分岐部１８にて分岐された一方の冷媒は、第１固定絞り１７へ流入して等エンタルピ的に減圧膨張し（図１７２のｂ２172点→ｇ’172点）、エジェクタ１９のノズル部１９ａへ流入する。
【０７６６】
また、第２分岐部１８にて分岐された他方の冷媒は、内部熱交換器１５の高圧側冷媒流路１５ａへ流入し、中間圧側冷媒流路１５ｂへ流入した中間圧冷媒と熱交換して、そのエンタルピを減少させる（図１７２のｂ２172点→ｆ172点）。高圧側冷媒流路１５ａから流出した冷媒は、第２固定絞り２２へ流入して等エントロピ的に減圧膨張する（図１７２のｆ172点→ｍ172点）。
【０７６７】
その他の作動は第７実施形態と同様である。従って、本実施形態では、第７実施形態と同様の効果を得ることができるとともに、第１０７実施形態と同様に、吸引側蒸発器２３にて発揮される冷凍能力の増大効果、および、エジェクタ１９のノズル部１９ａへ流入する冷媒のエンタルピを不必要に減少させないことによるＣＯＰ向上効果を得ることができる。
【０７６８】
なお、本実施形態の如く、内部熱交換器１５と第２分岐部１８の位置関係を変更するとともに、第１固定絞り１７を第２分岐部１８とエジェクタ１９のノズル部１９ａ入口側との間に配置することは、第８、１３、１４、１９、２０、２５、２６、３１、３２、３７、３８、４５、４６、４７、６０、６１、６６、６７、７２、７３、７８、７９、８４、８５、９２〜９４実施形態のエジェクタ式冷凍サイクルにも適用可能である。
【０７６９】
（第１０９実施形態）
本実施形態では、図１７３の全体構成図に示すように、第１０５実施形態のエジェクタ式冷凍サイクル１００に対して、第２補助内部熱交換器３５と第２分岐部１８との配置を変更するとともに、第１固定絞り１７を第２分岐部１８とエジェクタ１９のノズル部１９ａ入口側との間に配置した例を説明する。
【０７７０】
具体的には、第２分岐部１８が内部熱交換器１５の高圧側冷媒流路１５ａから流出した直後の冷媒の流れを分岐するように配置されている。そして、第２分岐部１８にて分岐された一方の冷媒が第１固定絞り１７へ流入し、他方の冷媒が第２補助内部熱交換器３５の高圧側冷媒流路３５ａへ流入するようになっている。
【０７７１】
従って、本実施形態の第２補助内部熱交換器３５は、高圧側冷媒流路３５ａを通過する第２分岐部１８から第２固定絞り２２側へ流出した冷媒と、低圧側冷媒流路３５ｂを通過する吸引側蒸発器２３から流出してエジェクタ１９の冷媒吸引口１９ｂへ吸引される冷媒との間で熱交換を行うものである。その他の構成は、第１０５実施形態と同様である。
【０７７２】
次に、上記構成における本実施形態の作動を図１７４のモリエル線図に基づいて説明する。本実施形態のエジェクタ式冷凍サイクル１００を作動させると、吸引側蒸発器２３から流出した冷媒は、第２補助内部熱交換器３５の低圧側冷媒流路３５ｂにて、そのエンタルピを増加させる（図１７４のｎ174点→ｎ’174点）。
【０７７３】
そして、低圧側冷媒流路３５ｂから流出した冷媒は、エジェクタ１９の冷媒吸引口１９ｂからエジェクタ１９の内部へ吸引される（図１７４のｎ’174点→ｉ174点）。また、第２分岐部１８にて分岐された一方の冷媒は、第１固定絞り１７へ流入して等エンタルピ的に減圧膨張されて（図１７４のｆ174点→ｇ174点）、エジェクタ１９のノズル部１９ａへ流入する。
【０７７４】
第２分岐部１８にて分岐された他方の冷媒は、第２補助内部熱交換器３５の高圧側冷媒流路３５ａへ流入して、エンタルピを減少させる（図１７４のｆ174点→ｆ’174点）。高圧側冷媒流路３５ａから流出した冷媒は、第２固定絞り２２へ流入して等エンタルピ的に減圧膨張される（図１７４のｆ’174点→ｍ174点）。
【０７７５】
その他の作動は、第１０５実施形態と同様である。従って、本実施形態では、第１実施形態と同様の効果を得ることができるとともに、第１０５実施形態と同様に、第２補助内部熱交換器３５の作用によって、吸引側蒸発器２３流入冷媒のエンタルピを減少させて、吸引側蒸発器２３にて発揮できる冷凍能力を増大させることができる。
【０７７６】
この際、第２補助内部熱交換器３５では、第２分岐部１８から第１固定絞り１７側へ流出した冷媒、すなわちエジェクタ１９のノズル部１９ａへ流入する冷媒のエンタルピを不必要に減少させない。これにより、第１０７実施形態と同様に、更なるＣＯＰ向上効果を得ることができる。
【０７７７】
なお、本実施形態の如く、第２補助内部熱交換器３５と第２分岐部１８との配置を変更するとともに、第１固定絞り１７を第２分岐部１８とエジェクタ１９のノズル部１９ａ入口側との間に配置することは、第１０５実施形態に例示した第２補助内部熱交換器３５を適用可能な実施形態のエジェクタ式冷凍サイクルに対して、第２補助内部熱交換器３５を適用したサイクルにも適用することができる。
【０７７８】
さらに、これらの第２補助内部熱交換器３５を適用したサイクルにおいて、第２分岐部１８を第１分岐部１３と内部熱交換器１５の高圧側冷媒流路１５ａとの間に配置してもよい。これによれば、内部熱交換器１５においても、エジェクタ１９のノズル部１９ａへ流入する冷媒のエンタルピを不必要に減少させることがない。
【０７７９】
特に、第２実施形態のように、第１補助内部熱交換器２５を有するサイクルに適用する際には、第２分岐部１８を第１補助内部熱交換器２５と第２補助内部熱交換器３５との間に配置して、第１分岐部１３から内部熱交換器１５側へ流出した高圧冷媒を内部熱交換器１５→第１補助内部熱交換器２５→第２補助内部熱交換器３５の順に通過させてもよい。
【０７８０】
また、第３実施形態のように、補助放熱器２４を有するサイクルでは、第２分岐部１８を、第１分岐部１３の冷媒流出口と補助放熱器２４の入口側との間に配置してもよいし、補助放熱器２４の出口側と内部熱交換器１５の高圧側冷媒流路１５ａ入口側との間に配置してもよい。
【０７８１】
（第１１０実施形態）
本実施形態では、図１７５の全体構成図に示すように、第１０６実施形態のエジェクタ式冷凍サイクル１００に対して、補助内部熱交換器２５と第２分岐部１８との配置を変更するとともに、第１固定絞り１７を第２分岐部１８とエジェクタ１９のノズル部１９ａ入口側との間に配置した例を説明する。
【０７８２】
具体的には、第２分岐部１８が内部熱交換器１５の高圧側冷媒流路１５ａから流出した直後の冷媒の流れを分岐するように配置されている。そして、第２分岐部１８にて分岐された一方の冷媒が第１固定絞り１７へ流入し、他方の冷媒が補助内部熱交換器２５の高圧側冷媒流路２５ａへ流入するようになっている。
【０７８３】
従って、本実施形態の補助内部熱交換器２５は、高圧側冷媒流路２５ａを通過する第１分岐部１３から内部熱交換器１５側へ流出した冷媒（具体的には、内部熱交換器１５の高圧側冷媒流路１５ａから流出した冷媒）と、低圧側冷媒流路２５ｂを通過するエジェクタ１９から流出した冷媒（具体的には、流出側蒸発器２０から流出した冷媒）との間で熱交換を行うものである。その他の構成は、第１０６実施形態と同様である。
【０７８４】
次に、上記構成における本実施形態の作動を図１７６のモリエル線図に基づいて説明する。本実施形態のエジェクタ式冷凍サイクル１００を作動させると、流出側蒸発器２０から流出した冷媒は、補助内部熱交換器２５の低圧側冷媒流路２５ｂにて吸熱して、そのエンタルピを増加させる（図１７６のｋ176点→ｋ’176点）。
【０７８５】
また、内部熱交換器１５の高圧側冷媒流路１５ａから流出した冷媒の流れは、第２分岐部１８にて分岐される。第２分岐部１８にて分岐された一方の冷媒は、第１固定絞り１７へ流入して等エンタルピ的に減圧膨張され（図１７６のｆ176点→ｇ176点）、エジェクタ１９のノズル部１９ａへ流入する。
【０７８６】
第２分岐部１８にて分岐された他方の冷媒は、補助内部熱交換器２５の高圧側冷媒流路２５ａへ流入して、そのエンタルピを減少させる（図１７６のｆ176点→ｆ’176点）。高圧側冷媒流路２５ａから流出した冷媒は、第２固定絞り２２へ流入して等エンタルピ的に減圧膨張される（図１７６のｆ’176点→ｍ176点）。
【０７８７】
その他の作動は、第１０６実施形態と同様である。従って、本実施形態では、第１実施形態と同様の効果を得ることができるとともに、第１０６実施形態と同様に、補助内部熱交換器２５の作用によって、吸引側蒸発器２３流入冷媒のエンタルピを減少させて、吸引側蒸発器２３にて発揮できる冷凍能力を増大させることができる。
【０７８８】
この際、補助内部熱交換器２５では、第２分岐部１８から第１固定絞り１７側へ流出した冷媒、すなわちエジェクタ１９のノズル部１９ａへ流入する冷媒のエンタルピを不必要に減少させない。これにより、第１０７実施形態と同様に、更なるＣＯＰ向上効果を得ることができる。
【０７８９】
なお、本実施形態の如く、補助内部熱交換器２５と第２分岐部１８との配置を変更するとともに、第１固定絞り１７を第２分岐部１８とエジェクタ１９のノズル部１９ａ入口側との間に配置することは、第１０６実施形態にて例示した流出側蒸発器２０を追加可能な実施形態のエジェクタ式冷凍サイクルで、流出側蒸発器２０を追加したサイクルにも適用可能である。
【０７９０】
さらに、これらの流出側蒸発器２０を追加したサイクルにおいて、第２分岐部１８を第１分岐部１３と内部熱交換器１５の高圧側冷媒流路１５ａとの間に配置してもよい。これによれば、内部熱交換器１５においても、エジェクタ１９のノズル部１９ａへ流入する冷媒のエンタルピを不必要に減少させることがない。
【０７９１】
また、第４実施形態のように、補助放熱器２４を有するサイクルでは、第２分岐部１８を、第１分岐部１３と補助放熱器２４との間に配置してもよいし、補助放熱器２４と内部熱交換器１５の高圧側冷媒流路１５ａとの間に配置してもよい。
【０７９２】
（第１１１実施形態）
本実施形態では、図１７７の全体構成図に示すように、第１０６実施形態のエジェクタ式冷凍サイクル１００に対して、流出側蒸発器２０を廃止し、さらに、補助内部熱交換器２５と第２分岐部１８との配置を変更するとともに、第１固定絞り１７を第２分岐部１８とエジェクタ１９のノズル部１９ａ入口側との間に配置している。
【０７９３】
換言すると、本実施形態のエジェクタ式冷凍サイクル１００は、第２実施形態のサイクルに対して、補助内部熱交換器２５と第２分岐部１８との配置を変更するとともに、第１固定絞り１７を第２分岐部１８とエジェクタ１９のノズル部１９ａ入口側との間に配置したものと表現することもできる。
【０７９４】
次に、上記構成における本実施形態の作動を図１７８のモリエル線図に基づいて説明する。本実施形態のエジェクタ式冷凍サイクル１００を作動させると、ディフューザ部１９ｃから流出した冷媒が補助内部熱交換器２５の低圧側冷媒流路２５ｂにて蒸発して、第２圧縮機２１へ吸入される冷媒のエンタルピが増加する（図１７８のｊ178点→ｋ178点）。
【０７９５】
さらに、第２分岐部１８にて分岐された他方の冷媒は、補助内部熱交換器２５の高圧側冷媒流路２５ａへ流入して、エンタルピを減少させる（図１７８のｆ176点→ｆ’176点）。その他の作動は、第１０６実施形態と同様である。
【０７９６】
従って、本実施形態では、第２実施形態と同様の効果を得ることができるとともに、第１０６実施形態と同様に、補助内部熱交換器２５の作用によって、吸引側蒸発器２３流入冷媒のエンタルピを減少させて、吸引側蒸発器２３にて発揮できる冷凍能力を増大させることができる。
【０７９７】
この際、補助内部熱交換器２５では、第２分岐部１８から第１固定絞り１７側へ流出した冷媒、すなわちエジェクタ１９のノズル部１９ａへ流入する冷媒のエンタルピを不必要に減少させない。これにより、第１０７実施形態と同様に、更なるＣＯＰ向上効果を得ることができる。
【０７９８】
なお、本実施形態の如く、流出側蒸発器２０を設けることなく、補助内部熱交換器２５と第２分岐部１８との配置を変更するとともに、第１固定絞り１７を第２分岐部１８とエジェクタ１９のノズル部１９ａ入口側との間に配置することは、第１０６実施形態にて例示した流出側蒸発器２０を追加可能な実施形態のエジェクタ式冷凍サイクルにも適用可能である。
【０７９９】
さらに、これらのサイクルにおいて、第２分岐部１８を第１分岐部１３と内部熱交換器１５の高圧側冷媒流路１５ａとの間に配置してもよい。これによれば、内部熱交換器１５においても、エジェクタ１９のノズル部１９ａへ流入する冷媒のエンタルピを不必要に減少させることがない。
【０８００】
また、第４実施形態のように、補助放熱器２４を有するサイクルでは、第２分岐部１８を、第１分岐部１３と補助放熱器２４との間に配置してもよいし、補助放熱器２４と内部熱交換器１５の高圧側冷媒流路１５ａとの間に配置してもよい。
【０８０１】
（第１１２実施形態）
本実施形態では、第３９実施形態のエジェクタ式冷凍サイクル１００に対して、バイパス通路２８の接続態様を変更した例を説明する。本実施形態のバイパス通路２８は、図１７９に示すように、第１圧縮機１１の第１圧縮手段１１ａから吐出された高圧冷媒のうち、放熱器１２通過後の冷媒を吸引側蒸発器２３へ導くように接続されている。
【０８０２】
より具体的には、放熱器１２出口側と第１分岐部１３との間および可変絞り機構２２ａと吸引側蒸発器２３との間を接続する冷媒配管によってバイパス通路２８を構成している。その他のサイクル構成については、第３９実施形態と同様である。
【０８０３】
次に、図１８０により、本実施形態の電気制御系について説明する。図１８０は、本実施形態の電気制御系を示すブロック図である。なお、本実施形態の制御装置６０の基本的構成は、第３９実施形態と同様である。制御装置６０の入力側には、第１０２実施形態と同様の各種検出手段、および通常運転モードと除霜運転モードとの切り替えを選択する切替スイッチを有する操作パネル６１が接続されている。
【０８０４】
一方、制御装置６０の出力側には、第１、第２電動モータ１１ｂ、２１ｂ、冷却ファン１２ａ、可変絞り機構２２ａ、開閉弁２８ａ等が接続されている。従って、制御装置６０は、放熱能力調整手段としての冷却ファン１２ａの作動を制御する放熱能力制御手段６０ｃとしての機能を有している。
【０８０５】
次に、本実施形態の作動を説明する。本実施形態のエジェクタ式冷凍サイクル１００では、切替スイッチを操作することによって、第３９実施形態と同様に、庫内を冷却する通常運転モードと吸引側蒸発器２３および流出側蒸発器２０の除霜を行う除霜運転モードとを切り替えることができる。
【０８０６】
通常運転モードでは、制御装置６０が開閉弁２８ａを閉弁状態とし、可変絞り機構２２ａを予め定めた絞り開度とする。これにより、通常運転モードでは、第３９実施形態の図５４（ａ）のモリエル線図と同様に作動して、庫内を冷却することができる。
【０８０７】
一方、除霜運転モードでは、制御装置６０の放熱能力制御手段６０ｃが冷却ファン１２ａの作動を停止させ、可変絞り機構２２ａを全閉状態とし、さらに、開閉弁２８ａを開く。これにより、第３９実施形態の図５４（ｂ）のモリエル線図と同様に作動して、吸引側蒸発器２３および流出側蒸発器２０の除霜を行うことができる。
【０８０８】
つまり、本実施形態のように、バイパス通路２８へ流入する冷媒が放熱器１２を通過する構成であっても、放熱能力制御手段６０ｃが冷却ファン１２ａを停止させて放熱器１２の放熱能力を低下させることができるので、バイパス通路２８へ流入する冷媒の温度が不必要に低下してしまうことがない。従って、第３９実施形態と全く同様に、吸引側蒸発器２３および流出側蒸発器２０の除霜を行うことができる。
【０８０９】
なお、本実施形態では、バイパス通路２８の入口側を、放熱器１２出口側と第１分岐部１３との間に配置しているが、バイパス通路２８の入口側を、第１分岐部１３と内部熱交換器１５の高圧側冷媒流路１５ａとの間に配置してもよいし、第１分岐部１３と温度式膨張弁１４との間に配置してもよい。
【０８１０】
また、上記の如く、バイパス通路２８の入口側の配置を変更することは、第４０〜４４、第８６〜９１実施形態のエジェクタ式冷凍サイクルにも適用可能である。特に、第４２施形態のように補助放熱器２４を有するサイクルでは、除霜運転モード時に、冷却ファン１２ａを停止させるので、補助放熱器２４の放熱能力も低下する。従って、バイパス通路２８の入口側を、放熱器１２出口側から内部熱交換器１５の高圧側冷媒流路１５ａへ至る範囲のいずれに配置してもよい。
【０８１１】
（第１１３実施形態）
本実施形態では、第４５実施形態のエジェクタ式冷凍サイクル３００に対して、バイパス通路２８の接続態様を変更した例を説明する。本実施形態のバイパス通路２８は、図１８１に示すように、第１圧縮機１１の第１圧縮手段１１ａから吐出された高圧冷媒のうち、第２放熱器１２２通過後の冷媒を吸引側蒸発器２３へ導くように接続されている。
【０８１２】
より具体的には、放熱器１２出口側と第１分岐部１３との間および可変絞り機構２２ａと吸引側蒸発器２３との間を接続する冷媒配管によってバイパス通路２８を構成している。その他のサイクル構成については、第４５実施形態と同様である。
【０８１３】
次に、図１８２により、本実施形態の電気制御系について説明する。図１８２は、本実施形態の電気制御系を示すブロック図である。なお、本実施形態の制御装置６０の基本的構成は、第４５実施形態と同様である。制御装置６０の入力側には、第１０２実施形態と同様の各種検出手段、および通常運転モードと除霜運転モードとの切り替えを選択する切替スイッチを有する操作パネル６１が接続されている。
【０８１４】
一方、制御装置６０の出力側には、第１、第２電動モータ１１ｂ、２１ｂ、第１、第２冷却ファン１２１ａ、１２２ａ、可変絞り機構２２ａ、開閉弁２８ａ等が接続されている。従って、制御装置６０は、放熱能力調整手段としての第１、第２冷却ファン１２１ａ、１２２ａの作動を制御する第１、第２放熱能力制御手段６０ｄ、６０ｅとしての機能を有している。
【０８１５】
次に、本実施形態の作動を説明する。本実施形態のエジェクタ式冷凍サイクル１００では、切替スイッチを操作することによって、第３９実施形態と同様に、庫内を冷却する通常運転モードと吸引側蒸発器２３および流出側蒸発器２０の除霜を行う除霜運転モードとを切り替えることができる。
【０８１６】
通常運転モードでは、制御装置６０が開閉弁２８ａを閉弁状態とし、可変絞り機構２２ａを予め定めた絞り開度とする。これにより、通常運転モードでは、第４５実施形態の図６６（ａ）のモリエル線図と同様に作動して、庫内を冷却することができる。
【０８１７】
一方、除霜運転モードでは、制御装置６０の第２放熱能力制御手段６０ｅが第２冷却ファン１２２ａの作動を停止させ、可変絞り機構２２ａを全閉状態とし、さらに、開閉弁２８ａを開く。これにより、第４５実施形態の図６６（ｂ）のモリエル線図と同様に作動して、吸引側蒸発器２３および流出側蒸発器２０の除霜を行うことができる。
【０８１８】
つまり、本実施形態のように、バイパス通路２８へ流入する冷媒が第２放熱器１２２を通過する構成であっても、放熱能力制御手段６０ｅが第２冷却ファン１２２ａを停止させて放熱器１２の放熱能力を低下させることができるので、バイパス通路２８へ流入する冷媒の温度が不必要に低下してしまうことがない。従って、第４５実施形態と全く同様に、吸引側蒸発器２３および流出側蒸発器２０の除霜を行うことができる。
【０８１９】
なお、本実施形態では、バイパス通路２８の入口側を、第２放熱器１２２出口側と内部熱交換器１５の高圧側冷媒流路１５ａ入口側との間に配置しているが、バイパス通路２８の入口側を、第１放熱器１２１出口側と温度式膨張弁１４との間に配置してもよい。また、上記の如く、バイパス通路２８の入口側の配置を変更することは、第４６、４７、９２〜９４実施形態のエジェクタ式冷凍サイクルにも適用可能である。
【０８２０】
（他の実施形態）
本発明は上述の実施形態に限定されることなく、以下のように種々変形可能である。
【０８２１】
（１）上述の各実施形態では、エジェクタ１９に吸引作用を発揮させることができるように、第２圧縮機２１の冷媒吐出能力を制御し、これに応じて第１圧縮機１１吐出冷媒圧力が不必要に上昇しないように、第１圧縮機１１の第２圧縮機２１の冷媒吐出能力を制御することを説明しているが、さらに、第１、第２圧縮手段１１ａ、２１ａの昇圧量が略同等となるように制御することが望ましい。
【０８２２】
その理由は、第１、第２圧縮手段１１ａ、２１ａの昇圧量が略同等となるように制御することで、第１、第２圧縮手段１１ａ、２１ａの機械効率を向上させて、エジェクタ式冷凍サイクルのＣＯＰを向上させることができるからである。
【０８２３】
なお、圧縮効率とは、第１、第２圧縮機１１、２１にて冷媒が等エントロピ圧縮された際の冷媒のエンタルピの増加量をΔＨ１としたときに、この増加量ΔＨ１を、実際に第１、第２圧縮機１１、２１にて冷媒が昇圧された際の冷媒のエンタルピ増加分ΔＨ２で除した値である。
【０８２４】
さらに、上述の実施形態では、第１、第２圧縮機１１、２１として、それぞれ別体で構成された圧縮機を採用した例を説明したが、第１、第２圧縮機１１、２１を一体化して第１圧縮手段１１ａおよび第２圧縮手段２１ａを共通する電動モータで駆動するようにしてもよい。
【０８２５】
（２）上述の各実施形態では、第１、第２圧縮機１１、２１として、電動圧縮機を採用した例を説明したが、第１、第２圧縮機１１、２１の形式はこれに限定されない。
【０８２６】
例えば、エンジン等を駆動源として、吐出容量の変化により冷媒吐出能力を調整できる可変容量型圧縮機を採用してもよい。この場合は、吐出容量変更手段が、吐出能力変更手段となる。また、電磁クラッチの断続により駆動源との接続を断続的に変化させて冷媒吐出能力を調整する固定容量型圧縮機を使用してもよい。この場合は、電磁クラッチが、吐出能力変更手段となる。
【０８２７】
さらに、第１、第２圧縮機１１、２１に、同一の形式の圧縮手段を採用してもよいし、異なる形式の圧縮手段を採用してもよい。
【０８２８】
また、同一の形式の圧縮手段を採用する場合、例えば、第２７〜第３２実施形態のように第１、第２圧縮機１１、２１を圧縮機１０として一体的に構成する場合、単一の圧縮機構（例えば、スクロール型圧縮機構）の圧縮工程の途中に冷媒を流入させる流入ポートを設け、吸入口から流入ポート至る圧縮行程を第２圧縮機２１に相当する構成とし、流入ポートから吐出口に至る圧縮行程を第１圧縮機１１に相当する構成としてもよい。
【０８２９】
（３）上述の各実施形態では、エジェクタ１９としてノズル部１９ａの絞り通路面積が固定された固定式のエジェクタ１９を採用しているが、ノズル部の絞り通路面積を変更可能に構成された可変エジェクタを採用してもよい。
【０８３０】
例えば、第４８〜第５３、第９５〜第１００実施形態において、可変エジェクタを採用し、加熱運転モード時に可変エジェクタの絞り通路を全閉状態とすれば、エジェクタのディフューザ部からノズル部へ冷媒が逆流することを防止できるので、ノズル前逆止弁２９を廃止することができる。
【０８３１】
さらに、上述の第４８〜第５３、第９５〜第１００実施形態では、加熱運転モード時に、可変絞り機構１４ａを全閉としているが、もちろん開弁状態としてもよい。従って、高圧側減圧手段として固定絞りを採用してもよい。
【０８３２】
さらに、上述の各実施形態では、ノズル前減圧手段として第１固定絞り１７を採用しているが、ノズル前減圧手段として可変絞り機構を採用してもよい。例えば、第２圧縮機２１吸入冷媒の過熱度が予め定めた範囲となるように絞り開度を調整する温度式膨張弁や電気式膨張弁を採用してもよい。
【０８３３】
さらに、上述の各実施形態では、吸引側減圧手段として第２固定絞り２２、電気式の可変絞り機構２２ａを採用した例を説明したが、例えば、吸引側蒸発器２３出口側冷媒の過熱度が予め定めた範囲となるように絞り開度を調整する温度式膨張弁を採用してもよい。
【０８３４】
（４）上述の第１〜第４７、第５４〜第９４実施形態では、流出側蒸発器２０および吸引側蒸発器２３にて同一の冷却対象空間を冷却する例を説明したが、それぞれの蒸発器２０、２３で、異なる冷却対象空間を冷却してもよい。例えば、吸引側蒸発器２３を冷凍庫内空間冷却用とし、吸引側蒸発器２３よりも冷媒蒸発温度の高い流出側蒸発器２０を冷蔵庫内空間冷却用あるいは室内空調用に適用してもよい。
【０８３５】
さらに、第１〜第４７、第５４〜第９４実施形態では、流出側蒸発器および吸引側蒸発器を第３３〜第３８、第８０〜第８５実施形態における利用側熱交換器として、放熱器１２、第１、第２放熱器１２１、１２２を大気側へ放熱する室外熱交換器として構成しているが、逆に、流出側蒸発器２０および吸引側蒸発器２３を大気等の熱源から吸熱する室外側熱交換器として構成し、放熱器１２を空気あるいは水等の被加熱冷媒を加熱する利用側熱交換器として構成するヒートポンプサイクルとしてもよい。
【０８３６】
（５）上述の第３３〜第３８、第８０〜第８５実施形態では、冷媒として二酸化炭素を採用し、超臨界冷凍サイクルを構成した例を説明したが、この実施形態において、ノズル前減圧手段を設けてもよい。例えば、放熱器１２または第２放熱器１２２出口側冷媒の温度に基づいてＣＯＰが略最大となるように決定される目標高圧に近づくように、高圧側冷媒圧力を調整する圧力制御弁を採用してもよい。
【０８３７】
このような圧力制御弁としては、具体的に、放熱器１２または第２放熱器１２２出口側に設けられた感温部を有し、この感温部の内部に放熱器１２出口側の高圧冷媒の温度に対応した圧力を発生させ、感温部の内圧と放熱器１２出口側の冷媒圧力とのバランスで弁開度を機械的機構により調整する構成を採用できる。
【０８３８】
（６）上述の第３９〜第４７、第８６〜第９４、第１１２、第１１３実施形態では、操作パネルの切替スイッチの操作信号に基づいて、通常運転モードと除霜運転モードとの切り替えを行っているが、通常運転モードと除霜運転モードとの切り替えはこれに限定されない。
【０８３９】
例えば、制御装置が、通常運転モードと除霜運転モードとを所定時間毎に交互に切り替えるようにしてもよい。つまり、通常運転モードが予め定めた第１基準時間以上継続された場合に、除霜運転モードへ切り替え、さらに、除霜運転モードが予め定めた第２基準時間以上継続された場合に、通常運転モードへ切り替えるようにしてもよい。
【０８４０】
（７）上述の各実施形態に記載された手段は、他の実施形態に適用することができる。例えば、第１〜第６、第１２〜第１４実施形態は、流出側蒸発器２０を設けていないが、これらの実施形態において、流出側蒸発器２０を設けてもよい。この場合は、流出側蒸発器２０を冷蔵庫内の冷却用に用いることができる。
【０８４１】
例えば、第７〜第４０実施形態において、第２実施形態と同様に、吸引側減圧手段として、可変絞り機構２２ａおよび逆止弁１９ｂを採用してもよいし、減圧機構一体型の逆止弁を採用してもよい。
【０８４２】
さらに、流出側気液分離器および吸引側気液分離器を設けていない各実施形態に対して、流出側気液分離器および吸引側気液分離器を追加してもよい。さらに、第７〜第２５実施形態では、高圧側減圧手段を、第２分岐部１８出口側からエジェクタ１９のノズル部１９ａ入口側へ至る冷媒通路に配置してもよい。
【０８４３】
（８）上述の実施形態で説明した内部熱交換器１５（補助内部熱交換器２５）としては、高圧側冷媒流路における冷媒流れ方向と中間圧側冷媒流路（低圧側冷媒流路）における冷媒流れ方向が異なる方向となる対向流型の熱交換器を採用してもよいし、高圧側冷媒流路における冷媒流れ方向と低圧側冷媒流路における冷媒流れ方向が同一方向となる並向流型の熱交換器を採用してもよい。
【０８４４】
（９）上述の第１０３実施形態では、第１固定絞り１７、第２固定絞り２２およびエジェクタ１９のノズル部１９ａを固定絞りとして、Ｐｄｅｉ、ＰｎｏｚｉおよびＰｎｏｚｏが式Ｆ１を満たすように各固定絞り１７、２２、１９ａの流量特性を決定した例を説明したが、第１固定絞り１７、第２固定絞り２２およびノズル部１９ａは固定絞りに限定されない。
【０８４５】
例えば、第１０２実施形態のエジェクタ式冷凍サイクル１００において、各可変絞り機構１４ａ、１７ａ、２２ａの開度制御によって、式Ｆ１を満たすようにＰｄｅｉ、ＰｎｏｚｉおよびＰｎｏｚｏを調整してもよい。さらに、第１固定絞り１７のみを可変絞り機構へ変更して、この可変絞り機構の開度制御によって、式Ｆ１を満たすようにしてもよい。
【０８４６】
さらに、上述の第１０４実施形態では、第１固定絞り１７、第２固定絞り２２およびエジェクタ１９のノズル部１９ａを固定絞りとして、乾き度Ｘ０が式Ｆ２を満たすように、各固定絞り１７、２２、１９ａの流量特性を決定した例を説明したが、第１固定絞り１７、第２固定絞り２２およびノズル部１９ａは固定絞りに限定されない。
【０８４７】
例えば、第１０２実施形態のエジェクタ式冷凍サイクル１００において、各可変絞り機構１４ａ、１７ａ、２２ａの開度制御によって、式Ｆ２を満たすようにＸ０を調整してもよい。さらに、第１固定絞り１７のみを可変絞り機構へ変更して、この可変絞り機構の開度制御によって、式Ｆ２を満たすようにしてもよい。
【０８４８】
（１０）上述の各実施形態では、エジェクタ式冷凍サイクル１００〜３００の冷媒として、フロン系冷媒および二酸化炭素を採用した例を説明したが、冷媒はこれに限定されない。例えば、炭化水素系冷媒等を採用してもよい。
【０８４９】
（１１）上述の各実施形態では、放熱器１２、１２１、１２２、流出側蒸発器２０、吸引側蒸発器２３、利用側熱交換器５５、補助利用側熱交換器５４といった各種の熱交換器を単一の構成として説明しているが、これらの熱交換器の構成はこれに限定されない。例えば、小型の熱交換器を複数個、冷媒流れに対して、直列あるいは並列に配置してもよい。これにより、単一の熱交換器として構成する場合に対して、小型な熱交換器の組み合わせで同等の熱交換性能を達成できるとともに、その搭載性を向上できる。
【０８５０】
（１２）上述の各実施形態では、本発明のエジェクタ式冷凍サイクル１００〜３００を冷凍機に適用した例を説明したが、本発明の適用はこれに限定されない。例えば、エジェクタ式冷凍サイクルを、空調装置、冷蔵装置、自動販売機用冷却装置等の定置型の冷凍サイクル装置あるいは車両用空調装置、車両用冷凍装置等の車両用冷凍サイクル装置等に適用してもよい。
【０８５１】
（１３）第３９〜４７、８６〜９４、１１２、１１３実施形態では、各冷却ファン１２ａ、１２１ａ、１２２ａを停止させることで、各放熱器１２、１２１、１２２の放熱能力を低下させた（放熱能力を０とした）例を説明したが、各放熱器１２、１２１、１２２の放熱能力を低下させる手段はこれに限定されない。
【０８５２】
例えば、冷却ファン１２ａと放熱器１２との間に冷却ファン１２ａから放熱器１２へ向かって流れる冷却風の流れを遮断する遮断手段を設け、除霜運転モード時にこの遮断手段によって、冷却風が放熱器１２へ向かって流れないようにすればよい。
【符号の説明】
【０８５３】
１１ａ、２１ａ                      第１、第２圧縮手段
１２、１２１、１２２                放熱器、第１、第２放熱器
１２ｂ、１２１ｂ、１２２ｂ、２４ｂ  受液器、第１、第２受液器
１３、１８、１８ａ                  第１、第２分岐部
１４                                温度式膨張弁
１５、２５、３５                    内部熱交換器、補助内部熱交換器
１６                                合流部
１７、２２                          第１、第２固定絞り
１９                                エジェクタ
１９ａ                              ノズル部
１９ｂ                              冷媒吸引口
２０                                流出側蒸発器
２３                                吸引側蒸発器
２８                                バイパス通路
２８ａ                              開閉弁
５１、５２                          第１、第２電気式四方弁
５３、５３１、５３２                室外熱交換器、第１、第２室外熱交換器
５４                                補助利用側熱交換器
５５                                利用側熱交換器
【図１】
2010164291.tif 000003
【図２】
2010164291.tif 000004
【図３】
2010164291.tif 000005
【図４】
2010164291.tif 000006
【図５】
2010164291.tif 000007
【図６】
2010164291.tif 000008
【図７】
2010164291.tif 000009
【図８】
2010164291.tif 000010
【図９】
2010164291.tif 000011
【図１０】
2010164291.tif 000012
【図１１】
2010164291.tif 000013
【図１２】
2010164291.tif 000014
【図１３】
2010164291.tif 000015
【図１４】
2010164291.tif 000016
【図１５】
2010164291.tif 000017
【図１６】
2010164291.tif 000018
【図１７】
2010164291.tif 000019
【図１８】
2010164291.tif 000020
【図１９】
2010164291.tif 000021
【図２０】
2010164291.tif 000022
【図２１】
2010164291.tif 000023
【図２２】
2010164291.tif 000024
【図２３】
2010164291.tif 000025
【図２４】
2010164291.tif 000026
【図２５】
2010164291.tif 000027
【図２６】
2010164291.tif 000028
【図２７】
2010164291.tif 000029
【図２８】
2010164291.tif 000030
【図２９】
2010164291.tif 000031
【図３０】
2010164291.tif 000032
【図３１】
2010164291.tif 000033
【図３２】
2010164291.tif 000034
【図３３】
2010164291.tif 000035
【図３４】
2010164291.tif 000036
【図３５】
2010164291.tif 000037
【図３６】
2010164291.tif 000038
【図３７】
2010164291.tif 000039
【図３８】
2010164291.tif 000040
【図３９】
2010164291.tif 000041
【図４０】
2010164291.tif 000042
【図４１】
2010164291.tif 000043
【図４２】
2010164291.tif 000044
【図４３】
2010164291.tif 000045
【図４４】
2010164291.tif 000046
【図４５】
2010164291.tif 000047
【図４６】
2010164291.tif 000048
【図４７】
2010164291.tif 000049
【図４８】
2010164291.tif 000050
【図４９】
2010164291.tif 000051
【図５０】
2010164291.tif 000052
【図５１】
2010164291.tif 000053
【図５２】
2010164291.tif 000054
【図５３】
2010164291.tif 000055
【図５４】
2010164291.tif 000056
【図５５】
2010164291.tif 000057
【図５６】
2010164291.tif 000058
【図５７】
2010164291.tif 000059
【図５８】
2010164291.tif 000060
【図５９】
2010164291.tif 000061
【図６０】
2010164291.tif 000062
【図６１】
2010164291.tif 000063
【図６２】
2010164291.tif 000064
【図６３】
2010164291.tif 000065
【図６４】
2010164291.tif 000066
【図６５】
2010164291.tif 000067
【図６６】
2010164291.tif 000068
【図６７】
2010164291.tif 000069
【図６８】
2010164291.tif 000070
【図６９】
2010164291.tif 000071
【図７０】
2010164291.tif 000072
【図７１】
2010164291.tif 000073
【図７２】
2010164291.tif 000074
【図７３】
2010164291.tif 000075
【図７４】
2010164291.tif 000076
【図７５】
2010164291.tif 000077
【図７６】
2010164291.tif 000078
【図７７】
2010164291.tif 000079
【図７８】
2010164291.tif 000080
【図７９】
2010164291.tif 000081
【図８０】
2010164291.tif 000082
【図８１】
2010164291.tif 000083
【図８２】
2010164291.tif 000084
【図８３】
2010164291.tif 000085
【図８４】
2010164291.tif 000086
【図８５】
2010164291.tif 000087
【図８６】
2010164291.tif 000088
【図８７】
2010164291.tif 000089
【図８８】
2010164291.tif 000090
【図８９】
2010164291.tif 000091
【図９０】
2010164291.tif 000092
【図９１】
2010164291.tif 000093
【図９２】
2010164291.tif 000094
【図９３】
2010164291.tif 000095
【図９４】
2010164291.tif 000096
【図９５】
2010164291.tif 000097
【図９６】
2010164291.tif 000098
【図９７】
2010164291.tif 000099
【図９８】
2010164291.tif 000100
【図９９】
2010164291.tif 000101
【図１００】
2010164291.tif 000102
【図１０１】
2010164291.tif 000103
【図１０２】
2010164291.tif 000104
【図１０３】
2010164291.tif 000105
【図１０４】
2010164291.tif 000106
【図１０５】
2010164291.tif 000107
【図１０６】
2010164291.tif 000108
【図１０７】
2010164291.tif 000109
【図１０８】
2010164291.tif 000110
【図１０９】
2010164291.tif 000111
【図１１０】
2010164291.tif 000112
【図１１１】
2010164291.tif 000113
【図１１２】
2010164291.tif 000114
【図１１３】
2010164291.tif 000115
【図１１４】
2010164291.tif 000116
【図１１５】
2010164291.tif 000117
【図１１６】
2010164291.tif 000118
【図１１７】
2010164291.tif 000119
【図１１８】
2010164291.tif 000120
【図１１９】
2010164291.tif 000121
【図１２０】
2010164291.tif 000122
【図１２１】
2010164291.tif 000123
【図１２２】
2010164291.tif 000124
【図１２３】
2010164291.tif 000125
【図１２４】
2010164291.tif 000126
【図１２５】
2010164291.tif 000127
【図１２６】
2010164291.tif 000128
【図１２７】
2010164291.tif 000129
【図１２８】
2010164291.tif 000130
【図１２９】
2010164291.tif 000131
【図１３０】
2010164291.tif 000132
【図１３１】
2010164291.tif 000133
【図１３２】
2010164291.tif 000134
【図１３３】
2010164291.tif 000135
【図１３４】
2010164291.tif 000136
【図１３５】
2010164291.tif 000137
【図１３６】
2010164291.tif 000138
【図１３７】
2010164291.tif 000139
【図１３８】
2010164291.tif 000140
【図１３９】
2010164291.tif 000141
【図１４０】
2010164291.tif 000142
【図１４１】
2010164291.tif 000143
【図１４２】
2010164291.tif 000144
【図１４３】
2010164291.tif 000145
【図１４４】
2010164291.tif 000146
【図１４５】
2010164291.tif 000147
【図１４６】
2010164291.tif 000148
【図１４７】
2010164291.tif 000149
【図１４８】
2010164291.tif 000150
【図１４９】
2010164291.tif 000151
【図１５０】
2010164291.tif 000152
【図１５１】
2010164291.tif 000153
【図１５２】
2010164291.tif 000154
【図１５３】
2010164291.tif 000155
【図１５４】
2010164291.tif 000156
【図１５５】
2010164291.tif 000157
【図１５６】
2010164291.tif 000158
【図１５７】
2010164291.tif 000159
【図１５８】
2010164291.tif 000160
【図１５９】
2010164291.tif 000161
【図１６０】
2010164291.tif 000162
【図１６１】
2010164291.tif 000163
【図１６２】
2010164291.tif 000164
【図１６３】
2010164291.tif 000165
【図１６４】
2010164291.tif 000166
【図１６５】
2010164291.tif 000167
【図１６６】
2010164291.tif 000168
【図１６７】
2010164291.tif 000169
【図１６８】
2010164291.tif 000170
【図１６９】
2010164291.tif 000171
【図１７０】
2010164291.tif 000172
【図１７１】
2010164291.tif 000173
【図１７２】
2010164291.tif 000174
【図１７３】
2010164291.tif 000175
【図１７４】
2010164291.tif 000176
【図１７５】
2010164291.tif 000177
【図１７６】
2010164291.tif 000178
【図１７７】
2010164291.tif 000179
【図１７８】
2010164291.tif 000180
【図１７９】
2010164291.tif 000181
【図１８０】
2010164291.tif 000182
【図１８１】
2010164291.tif 000183
【図１８２】
2010164291.tif 000184
【図１８３】
2010164291.tif 000185